(57)【要約】【課題】記録媒体に記録される画像の画質を向上するとともに、インク定着時の記録媒体のダメージを低減する。【解決手段】画像記録装置１では、元画像であるカラー画像に対してインク抑制処理が行われ、処理済みデータである第１〜第４ハーフトーン画像データが生成される。そして、第１〜第４ハーフトーン画像データに基づいて、予めアンカーコート剤が塗布された記録媒体９に画像が記録される。これにより、発色不良、コックリング、インクの滲み等を抑制して記録媒体９上における画質を向上することができる。画像記録装置１では、複数の吐出ヘッド３２の間に仮定着ヘッド３３を配置し、定着ヘッド３５によるインクの定着よりも前に、仮定着ヘッド３３によりインクを記録媒体９に仮定着させる。これにより、定着ヘッド３５の出力を小さくして、インク定着時の記録媒体９のダメージを低減することができる。【選択図】図２
2015100923.tif 000002
【特許請求の範囲】
【請求項１】
インクジェット方式にて画像を記録する画像記録装置であって、
予めアンカーコート剤が塗布された記録媒体に向けてインクの微小液滴を吐出する記録ユニットと、
前記記録媒体を所定の移動方向に前記記録ユニットに対して相対的に移動する移動機構と、
複数の色成分の画像を含む多階調のカラー画像に対して、前記記録ユニットから前記記録媒体に付与されるインクの総量を抑制する画像処理を行って処理済みデータを生成する画像処理部と、
前記処理済みデータに基づいて前記記録ユニットと前記移動機構とを制御することにより、前記記録媒体を前記記録ユニットに対して１回だけ前記移動方向に相対的に移動させて前記記録媒体に画像を記録する出力制御部と、
を備え、
前記記録ユニットが、
前記移動方向に配列されるとともに前記複数の色成分のインクの微小液滴をそれぞれ吐出する複数の吐出ヘッドと、
前記複数の吐出ヘッドの間に配置され、前記記録媒体に付与されたインクを仮定着させる仮定着ヘッドと、
前記複数の吐出ヘッドのうち前記記録媒体に最後に付与される色成分のインクを吐出する吐出ヘッドよりも前記移動方向前側に配置され、前記記録媒体に付与された前記複数の色成分のインクを定着させる定着ヘッドと、
を備えることを特徴とする画像記録装置。
【請求項２】
請求項１に記載の画像記録装置であって、
前記画像処理部による前記カラー画像への画像処理が、
ａ）前記複数の色成分のうち第１の色成分の画像である第１色成分画像に網掛け処理を行い、ハーフトーン画像領域においてマトリクス状に配列された複数の画素位置にそれぞれ形成される前記第１の色成分の複数のドットのサイズを示す第１ハーフトーン画像データを生成する工程と、
ｂ）前記ａ）工程よりも後に、前記複数の色成分のうち第２の色成分の画像である第２色成分画像に、前記第１ハーフトーン画像データを参照しつつ網掛け処理を行い、前記ハーフトーン画像領域の前記複数の画素位置にそれぞれ形成される前記第２の色成分の複数のドットのサイズを示す第２ハーフトーン画像データを生成する工程と、
を備え、
前記ｂ）工程が、
ｂ１）前記第２色成分画像の一の画素に網掛け処理を行って前記一の画素に対応する画素位置に形成される前記第２の色成分のドットのサイズを仮決定する工程と、
ｂ２）前記画素位置に形成される前記第１の色成分のドットのサイズである第１ドットサイズと、前記ｂ１）工程にて仮決定された前記第２の色成分のドットのサイズである第２ドット仮サイズとの合計である合計ドットサイズを求める工程と、
ｂ３）前記合計ドットサイズと所定の閾値ドットサイズとを比較し、前記合計ドットサイズが前記閾値ドットサイズ以下である場合、前記第２の色成分のドットのサイズである第２ドットサイズを前記第２ドット仮サイズに等しいサイズに決定し、前記合計ドットサイズが前記閾値ドットサイズよりも大きい場合、前記第２ドットサイズを、前記閾値ドットサイズと前記第１ドットサイズとの差以下の範囲で最も大きいドットサイズに決定する工程と、
ｂ４）前記ｂ３）工程において、前記合計ドットサイズが前記閾値ドットサイズよりも大きい場合、前記一の画素の周囲の画素位置のうち、前記第２ドットサイズが未決定の１つ以上の画素位置に位置する周辺画素群の画素値を、前記一の画素の画素値および前記第２ドット仮サイズと前記第２ドットサイズとの差に基づいて変更する工程と、
ｂ５）前記複数の画素位置について予め定められた処理順序に従って前記一の画素を次の画素に変更し、前記ｂ１）工程ないし前記ｂ４）工程を繰り返す工程と、
を備えることを特徴とする画像記録装置。
【請求項３】
請求項１に記載の画像記録装置であって、
前記画像処理部による前記カラー画像への画像処理が、
ａ）前記複数の色成分のうち第１の色成分の画像である第１色成分画像に網掛け処理を行い、ハーフトーン画像領域においてマトリクス状に配列された複数の画素位置にそれぞれ形成される前記第１の色成分の複数のドットのサイズを示す第１ハーフトーン画像データを生成する工程と、
ｂ）前記ａ）工程よりも後に、前記複数の色成分のうち第２の色成分の画像である第２色成分画像に、前記第１ハーフトーン画像データを参照しつつ網掛け処理を行い、前記ハーフトーン画像領域の前記複数の画素位置にそれぞれ形成される前記第２の色成分の複数のドットのサイズを示す第２ハーフトーン画像データを生成する工程と、
を備え、
前記ｂ）工程が、
ｂ１）前記第２色成分画像に網掛け処理を行って前記ハーフトーン画像領域の前記複数の画素位置にそれぞれ形成される前記第２の色成分の前記複数のドットのサイズを仮決定する工程と、
ｂ２）前記第２色成分画像の一の画素に対応する画素位置に形成される前記第１の色成分のドットのサイズである第１ドットサイズと、前記画素位置に形成される前記第２の色成分のドットについて前記ｂ１）工程にて仮決定されたサイズである第２ドット仮サイズとの合計である合計ドットサイズを求める工程と、
ｂ３）前記合計ドットサイズと所定の閾値ドットサイズとを比較し、前記合計ドットサイズが前記閾値ドットサイズ以下である場合、前記第２の色成分のドットのサイズである第２ドットサイズを前記第２ドット仮サイズに等しいサイズに決定し、前記合計ドットサイズが前記閾値ドットサイズよりも大きい場合、前記第２ドットサイズを、前記閾値ドットサイズと前記第１ドットサイズとの差以下の範囲で最も大きいドットサイズに決定する工程と、
ｂ４）前記ｂ３）工程において、前記合計ドットサイズが前記閾値ドットサイズよりも大きい場合、前記一の画素の周囲の画素位置のうち、前記第２ドットサイズが未決定の１つ以上の画素位置に位置する周辺画素群の第２ドット仮サイズを、前記一の画素の前記第２ドット仮サイズと前記第２ドットサイズとの差に基づいて変更する工程と、
ｂ５）前記複数の画素位置について予め定められた処理順序に従って前記一の画素を次の画素に変更し、前記ｂ２）工程ないし前記ｂ４）工程を繰り返す工程と、
を備えることを特徴とする画像記録装置。
【請求項４】
請求項１に記載の画像記録装置であって、
前記画像処理部による前記カラー画像への画像処理が、
ａ）前記複数の色成分のうち１つ以上の色成分の画像にそれぞれ網掛け処理を行い、ハーフトーン画像領域においてマトリクス状に配列された複数の画素位置にそれぞれ形成される複数のドットのサイズを示す単色ハーフトーン画像データを、前記１つ以上の色成分についてそれぞれ生成する工程と、
ｂ）前記カラー画像において各画素位置に対応する各画素の色相を求め、前記複数の色成分に含まれるとともに前記１つ以上の色成分以外の１つの色成分である対象色成分に係る前記各画素位置の閾値ドットサイズを、前記各画素の色相が第１の色相範囲内に含まれる場合に、予め定められた基準閾値ドットサイズに決定し、前記各画素の色相が前記第１の色相範囲よりも前記対象色成分の色味が強い第２の色相範囲に含まれる場合に、前記基準閾値ドットサイズよりも大きい予め定められた補正閾値ドットサイズに決定する工程と、
ｃ）前記対象色成分の画像に、前記１つ以上の色成分の単色ハーフトーン画像データを参照しつつ網掛け処理を行い、前記ハーフトーン画像領域の前記複数の画素位置にそれぞれ形成される前記対象色成分の複数のドットのサイズを示す単色ハーフトーン画像データを生成する工程と、
を備え、
前記ｃ）工程が、
ｃ１）前記対象色成分の画像において、一の画素に網掛け処理を行って前記一の画素に対応する画素位置に形成される前記対象色成分のドットのサイズを仮決定する工程と、
ｃ２）前記画素位置に形成される前記１つ以上の色成分の各ドットのサイズの合計である前合計ドットサイズと、前記ｃ１）工程にて仮決定された前記対象色成分のドットのサイズである仮ドットサイズとの合計である合計ドットサイズを求める工程と、
ｃ３）前記合計ドットサイズと前記画素位置の閾値ドットサイズとを比較し、前記合計ドットサイズが前記閾値ドットサイズ以下である場合、前記対象色成分のドットのサイズを前記仮ドットサイズに等しいサイズに決定し、前記合計ドットサイズが前記閾値ドットサイズよりも大きい場合、前記対象色成分のドットのサイズを、前記閾値ドットサイズと前記前合計ドットサイズとの差以下の範囲で最も大きいドットサイズに決定する工程と、
ｃ４）前記ｃ３）工程において、前記合計ドットサイズが前記閾値ドットサイズよりも大きい場合、前記一の画素の周囲の画素位置のうち、前記対象色成分のドットのサイズが未決定の１つ以上の画素位置に位置する周辺画素群の画素値を、前記一の画素の画素値および前記仮ドットサイズと前記対象色成分のドットのサイズとの差に基づいて変更する工程と、
ｃ５）前記複数の画素位置について予め定められた処理順序に従って前記一の画素を次の画素に変更し、前記ｃ１）工程ないし前記ｃ４）工程を繰り返す工程と、
を備えることを特徴とする画像記録装置。
【請求項５】
請求項１に記載の画像記録装置であって、
前記画像処理部による前記カラー画像への画像処理が、
ａ）前記複数の色成分のうち１つ以上の色成分の画像にそれぞれ網掛け処理を行い、ハーフトーン画像領域においてマトリクス状に配列された複数の画素位置にそれぞれ形成される複数のドットのサイズを示す単色ハーフトーン画像データを、前記１つ以上の色成分についてそれぞれ生成する工程と、
ｂ）前記カラー画像において各画素位置に対応する各画素の色相を求め、前記複数の色成分に含まれるとともに前記１つ以上の色成分以外の１つの色成分である対象色成分に係る前記各画素位置の閾値ドットサイズを、前記各画素の色相が第１の色相範囲内に含まれる場合に、予め定められた基準閾値ドットサイズに決定し、前記各画素の色相が前記第１の色相範囲よりも前記対象色成分の色味が強い第２の色相範囲に含まれる場合に、前記基準閾値ドットサイズよりも大きい予め定められた補正閾値ドットサイズに決定する工程と、
ｃ）前記対象色成分の画像に、前記１つ以上の色成分の単色ハーフトーン画像データを参照しつつ網掛け処理を行い、前記ハーフトーン画像領域の前記複数の画素位置にそれぞれ形成される前記対象色成分の複数のドットのサイズを示す単色ハーフトーン画像データを生成する工程と、
を備え、
前記ｃ）工程が、
ｃ１）前記対象色成分の画像に網掛け処理を行って前記ハーフトーン画像領域の前記複数の画素位置にそれぞれ形成される前記対象色成分の前記複数のドットのサイズを仮決定する工程と、
ｃ２）前記対象色成分の画像において、一の画素に対応する画素位置に形成される前記１つ以上の色成分の各ドットのサイズの合計である前合計ドットサイズと、前記ｃ１）工程にて仮決定された前記対象色成分のドットのサイズである仮ドットサイズとの合計である合計ドットサイズを求める工程と、
ｃ３）前記合計ドットサイズと前記画素位置の閾値ドットサイズとを比較し、前記合計ドットサイズが前記閾値ドットサイズ以下である場合、前記対象色成分のドットのサイズを前記仮ドットサイズに等しいサイズに決定し、前記合計ドットサイズが前記閾値ドットサイズよりも大きい場合、前記対象色成分のドットのサイズを、前記閾値ドットサイズと前記前合計ドットサイズとの差以下の範囲で最も大きいドットサイズに決定する工程と、
ｃ４）前記ｃ３）工程において、前記合計ドットサイズが前記閾値ドットサイズよりも大きい場合、前記一の画素の周囲の画素位置のうち、前記対象色成分のドットのサイズが未決定の１つ以上の画素位置に位置する周辺画素群の仮ドットサイズを、前記一の画素の前記対象色成分の前記仮ドットサイズと前記対象色成分のドットのサイズとの差に基づいて変更する工程と、
ｃ５）前記複数の画素位置について予め定められた処理順序に従って前記一の画素を次の画素に変更し、前記ｃ２）工程ないし前記ｃ４）工程を繰り返す工程と、
を備えることを特徴とする画像記録装置。
【請求項６】
請求項１ないし５のいずれかに記載の画像記録装置であって、
前記複数の色成分がブラックを含み、
前記画像処理部による前記カラー画像への画像処理が、前記カラー画像のグレイ領域を、前記複数の色成分のインクによる表現からブラックのインクの濃淡による表現に変更する処理を含むことを特徴とする画像記録装置。
【請求項７】
請求項１ないし６のいずれかに記載の画像記録装置であって、
前記複数の吐出ヘッドが、３つ以上の吐出ヘッドを含み、
前記記録ユニットが、
前記仮定着ヘッドを含み、前記３つ以上の吐出ヘッドのうち前記移動方向に隣接する各２つの吐出ヘッド間に配置される複数の仮定着ヘッドをさらに備えることを特徴とする画像記録装置。
【請求項８】
請求項１ないし７のいずれかに記載の画像記録装置であって、
前記記録ユニットが、
前記仮定着ヘッドを含み、前記複数の吐出ヘッドと前記移動方向に沿って交互に配列される複数の仮定着ヘッドをさらに備え、
各仮定着ヘッドからの出力が、前記各仮定着ヘッドの前記移動方向後側に隣接する吐出ヘッドから吐出されるインクの定着特性に合わせて決定されることを特徴とする画像記録装置。
【請求項９】
請求項１ないし８のいずれかに記載の画像記録装置であって、
前記記録ユニットよりも前記移動方向後側に配置されるアンカーコートユニットをさらに備え、
前記アンカーコートユニットが、
前記記録媒体にアンカーコート剤を付与するコート剤付与部と、
前記記録媒体に付与されたアンカーコート剤を定着させるコート剤定着部と、
を備えることを特徴とする画像記録装置。
【請求項１０】
請求項１ないし９のいずれかに記載の画像記録装置であって、
前記複数の吐出ヘッドから吐出されるインクが光硬化型インクであり、
前記仮定着ヘッドおよび前記定着ヘッドが、前記記録媒体上のインクに向けて光を照射することを特徴とする画像記録装置。
【請求項１１】
請求項１ないし９のいずれかに記載の画像記録装置であって、
前記複数の吐出ヘッドから吐出されるインクが酸化重合型インクであり、
前記仮定着ヘッドおよび前記定着ヘッドが、前記記録媒体上のインクを加熱することを特徴とする画像記録装置。
【請求項１２】
請求項１ないし９のいずれかに記載の画像記録装置であって、
前記複数の吐出ヘッドから吐出されるインクがハイブリッド型インクであり、
前記仮定着ヘッドおよび前記定着ヘッドが、前記記録媒体上のインクを加熱するとともに前記インクに向けて光を照射することを特徴とする画像記録装置。
【請求項１３】
予めアンカーコート剤が塗布された記録媒体に向けてインクの微小液滴を吐出する記録ユニットと、前記記録媒体を所定の移動方向に前記記録ユニットに対して相対的に移動する移動機構とを備え、前記記録ユニットが、前記移動方向に配列されるとともに前記複数の色成分のインクの微小液滴をそれぞれ吐出する複数の吐出ヘッドと、前記複数の吐出ヘッドの間に配置される仮定着ヘッドと、前記複数の吐出ヘッドのうち前記記録媒体に最後に付与される色成分のインクを吐出する吐出ヘッドよりも前記移動方向前側に配置される定着ヘッドとを備え、インクジェット方式にて画像を記録する画像記録装置における画像記録方法であって、
ａ）複数の色成分の画像を含む多階調のカラー画像に対して、前記記録ユニットから前記記録媒体に付与されるインクの総量を抑制する画像処理を行って処理済みデータを生成する工程と、
ｂ）前記処理済みデータに基づいて前記記録ユニットと前記移動機構とを制御することにより、前記記録媒体を前記記録ユニットに対して１回だけ所定の移動方向に相対的に移動させて前記記録媒体に画像を記録する工程と、
を備え、
前記ｂ）工程が、
ｂ１）前記仮定着ヘッドの前記移動方向後側に隣接する吐出ヘッドから前記記録媒体に向けてインクの微小液滴を吐出する工程と、
ｂ２）前記ｂ１）工程にて前記記録媒体に付与されたインクを前記仮定着ヘッドにより仮定着させる工程と、
ｂ３）前記記録媒体に付与された前記複数の色成分のインクを前記定着ヘッドにより定着させる工程と、
を備えることを特徴とする画像記録方法。
【請求項１４】
請求項１３に記載の画像記録方法であって、
前記ａ）工程が、
ｃ）前記複数の色成分のうち第１の色成分の画像である第１色成分画像に網掛け処理を行い、ハーフトーン画像領域においてマトリクス状に配列された複数の画素位置にそれぞれ形成される前記第１の色成分の複数のドットのサイズを示す第１ハーフトーン画像データを生成する工程と、
ｄ）前記ｃ）工程よりも後に、前記複数の色成分のうち第２の色成分の画像である第２色成分画像に、前記第１ハーフトーン画像データを参照しつつ網掛け処理を行い、前記ハーフトーン画像領域の前記複数の画素位置にそれぞれ形成される前記第２の色成分の複数のドットのサイズを示す第２ハーフトーン画像データを生成する工程と、
を備え、
前記ｄ）工程が、
ｄ１）前記第２色成分画像の一の画素に網掛け処理を行って前記一の画素に対応する画素位置に形成される前記第２の色成分のドットのサイズを仮決定する工程と、
ｄ２）前記画素位置に形成される前記第１の色成分のドットのサイズである第１ドットサイズと、前記ｄ１）工程にて仮決定された前記第２の色成分のドットのサイズである第２ドット仮サイズとの合計である合計ドットサイズを求める工程と、
ｄ３）前記合計ドットサイズと所定の閾値ドットサイズとを比較し、前記合計ドットサイズが前記閾値ドットサイズ以下である場合、前記第２の色成分のドットのサイズである第２ドットサイズを前記第２ドット仮サイズに等しいサイズに決定し、前記合計ドットサイズが前記閾値ドットサイズよりも大きい場合、前記第２ドットサイズを、前記閾値ドットサイズと前記第１ドットサイズとの差以下の範囲で最も大きいドットサイズに決定する工程と、
ｄ４）前記ｄ３）工程において、前記合計ドットサイズが前記閾値ドットサイズよりも大きい場合、前記一の画素の周囲の画素位置のうち、前記第２ドットサイズが未決定の１つ以上の画素位置に位置する周辺画素群の画素値を、前記一の画素の画素値および前記第２ドット仮サイズと前記第２ドットサイズとの差に基づいて変更する工程と、
ｄ５）前記複数の画素位置について予め定められた処理順序に従って前記一の画素を次の画素に変更し、前記ｄ１）工程ないし前記ｄ４）工程を繰り返す工程と、
を備えることを特徴とする画像記録方法。
【請求項１５】
請求項１３に記載の画像記録方法であって、
前記ａ）工程が、
ｃ）前記複数の色成分のうち第１の色成分の画像である第１色成分画像に網掛け処理を行い、ハーフトーン画像領域においてマトリクス状に配列された複数の画素位置にそれぞれ形成される前記第１の色成分の複数のドットのサイズを示す第１ハーフトーン画像データを生成する工程と、
ｄ）前記ｃ）工程よりも後に、前記複数の色成分のうち第２の色成分の画像である第２色成分画像に、前記第１ハーフトーン画像データを参照しつつ網掛け処理を行い、前記ハーフトーン画像領域の前記複数の画素位置にそれぞれ形成される前記第２の色成分の複数のドットのサイズを示す第２ハーフトーン画像データを生成する工程と、
を備え、
前記ｄ）工程が、
ｄ１）前記第２色成分画像に網掛け処理を行って前記ハーフトーン画像領域の前記複数の画素位置にそれぞれ形成される前記第２の色成分の前記複数のドットのサイズを仮決定する工程と、
ｄ２）前記第２色成分画像の一の画素に対応する画素位置に形成される前記第１の色成分のドットのサイズである第１ドットサイズと、前記画素位置に形成される前記第２の色成分のドットについて前記ｄ１）工程にて仮決定されたサイズである第２ドット仮サイズとの合計である合計ドットサイズを求める工程と、
ｄ３）前記合計ドットサイズと所定の閾値ドットサイズとを比較し、前記合計ドットサイズが前記閾値ドットサイズ以下である場合、前記第２の色成分のドットのサイズである第２ドットサイズを前記第２ドット仮サイズに等しいサイズに決定し、前記合計ドットサイズが前記閾値ドットサイズよりも大きい場合、前記第２ドットサイズを、前記閾値ドットサイズと前記第１ドットサイズとの差以下の範囲で最も大きいドットサイズに決定する工程と、
ｄ４）前記ｄ３）工程において、前記合計ドットサイズが前記閾値ドットサイズよりも大きい場合、前記一の画素の周囲の画素位置のうち、前記第２ドットサイズが未決定の１つ以上の画素位置に位置する周辺画素群の第２ドット仮サイズを、前記一の画素の前記第２ドット仮サイズと前記第２ドットサイズとの差に基づいて変更する工程と、
ｄ５）前記複数の画素位置について予め定められた処理順序に従って前記一の画素を次の画素に変更し、前記ｄ２）工程ないし前記ｄ４）工程を繰り返す工程と、
を備えることを特徴とする画像記録方法。
【請求項１６】
請求項１３に記載の画像記録方法であって、
前記ａ）工程が、
ｃ）前記複数の色成分のうち１つ以上の色成分の画像にそれぞれ網掛け処理を行い、ハーフトーン画像領域においてマトリクス状に配列された複数の画素位置にそれぞれ形成される複数のドットのサイズを示す単色ハーフトーン画像データを、前記１つ以上の色成分についてそれぞれ生成する工程と、
ｄ）前記カラー画像において各画素位置に対応する各画素の色相を求め、前記複数の色成分に含まれるとともに前記１つ以上の色成分以外の１つの色成分である対象色成分に係る前記各画素位置の閾値ドットサイズを、前記各画素の色相が第１の色相範囲内に含まれる場合に、予め定められた基準閾値ドットサイズに決定し、前記各画素の色相が前記第１の色相範囲よりも前記対象色成分の色味が強い第２の色相範囲に含まれる場合に、前記基準閾値ドットサイズよりも大きい予め定められた補正閾値ドットサイズに決定する工程と、
ｅ）前記対象色成分の画像に、前記１つ以上の色成分の単色ハーフトーン画像データを参照しつつ網掛け処理を行い、前記ハーフトーン画像領域の前記複数の画素位置にそれぞれ形成される前記対象色成分の複数のドットのサイズを示す単色ハーフトーン画像データを生成する工程と、
を備え、
前記ｅ）工程が、
ｅ１）前記対象色成分の画像において、一の画素に網掛け処理を行って前記一の画素に対応する画素位置に形成される前記対象色成分のドットのサイズを仮決定する工程と、
ｅ２）前記画素位置に形成される前記１つ以上の色成分の各ドットのサイズの合計である前合計ドットサイズと、前記ｅ１）工程にて仮決定された前記対象色成分のドットのサイズである仮ドットサイズとの合計である合計ドットサイズを求める工程と、
ｅ３）前記合計ドットサイズと前記画素位置の閾値ドットサイズとを比較し、前記合計ドットサイズが前記閾値ドットサイズ以下である場合、前記対象色成分のドットのサイズを前記仮ドットサイズに等しいサイズに決定し、前記合計ドットサイズが前記閾値ドットサイズよりも大きい場合、前記対象色成分のドットのサイズを、前記閾値ドットサイズと前記前合計ドットサイズとの差以下の範囲で最も大きいドットサイズに決定する工程と、
ｅ４）前記ｅ３）工程において、前記合計ドットサイズが前記閾値ドットサイズよりも大きい場合、前記一の画素の周囲の画素位置のうち、前記対象色成分のドットのサイズが未決定の１つ以上の画素位置に位置する周辺画素群の画素値を、前記一の画素の画素値および前記仮ドットサイズと前記対象色成分のドットのサイズとの差に基づいて変更する工程と、
ｅ５）前記複数の画素位置について予め定められた処理順序に従って前記一の画素を次の画素に変更し、前記ｅ１）工程ないし前記ｅ４）工程を繰り返す工程と、
を備えることを特徴とする画像記録方法。
【請求項１７】
請求項１３に記載の画像記録方法であって、
前記ａ）工程が、
ｃ）前記複数の色成分のうち１つ以上の色成分の画像にそれぞれ網掛け処理を行い、ハーフトーン画像領域においてマトリクス状に配列された複数の画素位置にそれぞれ形成される複数のドットのサイズを示す単色ハーフトーン画像データを、前記１つ以上の色成分についてそれぞれ生成する工程と、
ｄ）前記カラー画像において各画素位置に対応する各画素の色相を求め、前記複数の色成分に含まれるとともに前記１つ以上の色成分以外の１つの色成分である対象色成分に係る前記各画素位置の閾値ドットサイズを、前記各画素の色相が第１の色相範囲内に含まれる場合に、予め定められた基準閾値ドットサイズに決定し、前記各画素の色相が前記第１の色相範囲よりも前記対象色成分の色味が強い第２の色相範囲に含まれる場合に、前記基準閾値ドットサイズよりも大きい予め定められた補正閾値ドットサイズに決定する工程と、
ｅ）前記対象色成分の画像に、前記１つ以上の色成分の単色ハーフトーン画像データを参照しつつ網掛け処理を行い、前記ハーフトーン画像領域の前記複数の画素位置にそれぞれ形成される前記対象色成分の複数のドットのサイズを示す単色ハーフトーン画像データを生成する工程と、
を備え、
前記ｅ）工程が、
ｅ１）前記対象色成分の画像に網掛け処理を行って前記ハーフトーン画像領域の前記複数の画素位置にそれぞれ形成される前記対象色成分の前記複数のドットのサイズを仮決定する工程と、
ｅ２）前記対象色成分の画像において、一の画素に対応する画素位置に形成される前記１つ以上の色成分の各ドットのサイズの合計である前合計ドットサイズと、前記ｅ１）工程にて仮決定された前記対象色成分のドットのサイズである仮ドットサイズとの合計である合計ドットサイズを求める工程と、
ｅ３）前記合計ドットサイズと前記画素位置の閾値ドットサイズとを比較し、前記合計ドットサイズが前記閾値ドットサイズ以下である場合、前記対象色成分のドットのサイズを前記仮ドットサイズに等しいサイズに決定し、前記合計ドットサイズが前記閾値ドットサイズよりも大きい場合、前記対象色成分のドットのサイズを、前記閾値ドットサイズと前記前合計ドットサイズとの差以下の範囲で最も大きいドットサイズに決定する工程と、
ｅ４）前記ｅ３）工程において、前記合計ドットサイズが前記閾値ドットサイズよりも大きい場合、前記一の画素の周囲の画素位置のうち、前記対象色成分のドットのサイズが未決定の１つ以上の画素位置に位置する周辺画素群の仮ドットサイズを、前記一の画素の前記対象色成分の前記仮ドットサイズと前記対象色成分のドットのサイズとの差に基づいて変更する工程と、
ｅ５）前記複数の画素位置について予め定められた処理順序に従って前記一の画素を次の画素に変更し、前記ｅ２）工程ないし前記ｅ４）工程を繰り返す工程と、
を備えることを特徴とする画像記録方法。
【発明の詳細な説明】
【技術分野】
【０００１】
本発明は、インクジェット方式にて画像を記録する技術に関する。
【背景技術】
【０００２】
従来より、インクの微小な液滴を吐出する複数のノズルが配列された吐出部を記録媒体に対して相対的に移動することにより、記録媒体にインクジェット方式にてカラー画像を記録する画像記録装置が用いられている。画像記録装置では、記録媒体上に記録された画像を定着させるための機構が設けられることがある。例えば、インクが紫外線硬化型のインクである場合、記録媒体上のインクに紫外線を照射して硬化させる紫外線照射部が定着部として設けられる。インクが酸化重合型のインクである場合、記録媒体上のインクを加熱して乾燥させる加熱部が定着部として設けられる。
【０００３】
また、画像記録装置では、カラー画像は、網掛け処理により生成されたハーフトーン画像データに基づいて、記録媒体上の各画素位置にインクのドットが形成されることにより記録される。このような画像記録装置では、記録媒体上の各画素位置において複数色のインクのドットが大きく重なることにより、色が濁って発色不良が生じてしまったり、コックリング（記録媒体の波打ち現象）が発生するおそれがある。
【０００４】
特許文献１および特許文献２では、各画素位置に１つの色のインクのドットのみを記録することにより、画像の粒状性の改善を図る方法が開示されている。また、特許文献３では、記録媒体上におけるドットの重なりの分散性を示す評価指数に基づいてカラー画像の網掛け処理が行われる。これにより、ドットの重なりを抑制して画像の粒状性の改善が図られる。
【０００５】
一方、記録媒体上においてインクの滲みが大きい場合等、記録媒体の表面にアンカーコート剤が塗布されることがある。例えば、特許文献４では、インクジェットプリンタにおいて、インクがしみ込み易くなるコーティング液が記録媒体の表面に塗布される。
【先行技術文献】
【特許文献】
【０００６】
【特許文献１】特開平１１−０１０９１８号公報
【特許文献２】特開２０００−３５４１７２号公報
【特許文献３】特開２０１０−２４１０５２号公報
【特許文献４】特開平５−２６１９１２号公報
【発明の概要】
【発明が解決しようとする課題】
【０００７】
ところで、特許文献１および特許文献２では、複数色のドットの重なりにより色が濁ってしまうことは抑制されるが、濃い混色を表現することが困難になってしまう。また、インクの着弾位置が所望の位置からずれて複数色のドットの重なり状態が変化すると、当該変化の影響が色味に大きく反映されてしまう。特許文献３でも、複数色のドットの重なりにより色が濁ってしまうことは抑制される。しかしながら、各画素位置に付与されるインクの総量については何ら考慮されておらず、コックリングを適切に抑制することは困難である。
【０００８】
また、インクの滲みを抑制するアンカーコート剤が記録媒体に塗布されると、記録媒体上において各ドットにより被覆される面積が小さくなる。このため、所望の濃度の画像を記録するために、アンカーコート剤を使用しない場合に比べて、記録媒体上に記録されるドット数を増加させる必要がある。ドット数が増加すると、画像を記録媒体に定着させるための定着部の出力も増大させる必要がある。インクの色数が多い場合も同様に、定着部の出力は大きくなる。
【０００９】
しかしながら、定着部の出力が大きくなると、記録媒体にダメージが生じるおそれがある。例えば、インクが紫外線硬化型のインクである場合、記録媒体に照射される紫外線のエネルギーが高くなり、記録媒体にダメージが生じるおそれがある。記録媒体が、軟包装パッケージのように比較的薄いフィルムである場合、紫外線照射によるダメージの発生確率は高くなる。インクが酸化重合型のインクである場合、記録媒体が高温にて加熱されて反ったり焦げるおそれがある。
【００１０】
本発明は、上記課題に鑑みなされたものであり、記録媒体に記録される画像の画質を向上するとともに、インク定着時の記録媒体のダメージを低減することを目的としている。
【課題を解決するための手段】
【００１１】
請求項１に記載の発明は、インクジェット方式にて画像を記録する画像記録装置であって、予めアンカーコート剤が塗布された記録媒体に向けてインクの微小液滴を吐出する記録ユニットと、前記記録媒体を所定の移動方向に前記記録ユニットに対して相対的に移動する移動機構と、複数の色成分の画像を含む多階調のカラー画像に対して、前記記録ユニットから前記記録媒体に付与されるインクの総量を抑制する画像処理を行って処理済みデータを生成する画像処理部と、前記処理済みデータに基づいて前記記録ユニットと前記移動機構とを制御することにより、前記記録媒体を前記記録ユニットに対して１回だけ前記移動方向に相対的に移動させて前記記録媒体に画像を記録する出力制御部とを備え、前記記録ユニットが、前記移動方向に配列されるとともに前記複数の色成分のインクの微小液滴をそれぞれ吐出する複数の吐出ヘッドと、前記複数の吐出ヘッドの間に配置され、前記記録媒体に付与されたインクを仮定着させる仮定着ヘッドと、前記複数の吐出ヘッドのうち前記記録媒体に最後に付与される色成分のインクを吐出する吐出ヘッドよりも前記移動方向前側に配置され、前記記録媒体に付与された前記複数の色成分のインクを定着させる定着ヘッドとを備える。
【００１２】
請求項２に記載の発明は、請求項１に記載の画像記録装置であって、前記画像処理部による前記カラー画像への画像処理が、ａ）前記複数の色成分のうち第１の色成分の画像である第１色成分画像に網掛け処理を行い、ハーフトーン画像領域においてマトリクス状に配列された複数の画素位置にそれぞれ形成される前記第１の色成分の複数のドットのサイズを示す第１ハーフトーン画像データを生成する工程と、ｂ）前記ａ）工程よりも後に、前記複数の色成分のうち第２の色成分の画像である第２色成分画像に、前記第１ハーフトーン画像データを参照しつつ網掛け処理を行い、前記ハーフトーン画像領域の前記複数の画素位置にそれぞれ形成される前記第２の色成分の複数のドットのサイズを示す第２ハーフトーン画像データを生成する工程とを備え、前記ｂ）工程が、ｂ１）前記第２色成分画像の一の画素に網掛け処理を行って前記一の画素に対応する画素位置に形成される前記第２の色成分のドットのサイズを仮決定する工程と、ｂ２）前記画素位置に形成される前記第１の色成分のドットのサイズである第１ドットサイズと、前記ｂ１）工程にて仮決定された前記第２の色成分のドットのサイズである第２ドット仮サイズとの合計である合計ドットサイズを求める工程と、ｂ３）前記合計ドットサイズと所定の閾値ドットサイズとを比較し、前記合計ドットサイズが前記閾値ドットサイズ以下である場合、前記第２の色成分のドットのサイズである第２ドットサイズを前記第２ドット仮サイズに等しいサイズに決定し、前記合計ドットサイズが前記閾値ドットサイズよりも大きい場合、前記第２ドットサイズを、前記閾値ドットサイズと前記第１ドットサイズとの差以下の範囲で最も大きいドットサイズに決定する工程と、ｂ４）前記ｂ３）工程において、前記合計ドットサイズが前記閾値ドットサイズよりも大きい場合、前記一の画素の周囲の画素位置のうち、前記第２ドットサイズが未決定の１つ以上の画素位置に位置する周辺画素群の画素値を、前記一の画素の画素値および前記第２ドット仮サイズと前記第２ドットサイズとの差に基づいて変更する工程と、ｂ５）前記複数の画素位置について予め定められた処理順序に従って前記一の画素を次の画素に変更し、前記ｂ１）工程ないし前記ｂ４）工程を繰り返す工程とを備える。
【００１３】
請求項３に記載の発明は、請求項１に記載の画像記録装置であって、前記画像処理部による前記カラー画像への画像処理が、ａ）前記複数の色成分のうち第１の色成分の画像である第１色成分画像に網掛け処理を行い、ハーフトーン画像領域においてマトリクス状に配列された複数の画素位置にそれぞれ形成される前記第１の色成分の複数のドットのサイズを示す第１ハーフトーン画像データを生成する工程と、ｂ）前記ａ）工程よりも後に、前記複数の色成分のうち第２の色成分の画像である第２色成分画像に、前記第１ハーフトーン画像データを参照しつつ網掛け処理を行い、前記ハーフトーン画像領域の前記複数の画素位置にそれぞれ形成される前記第２の色成分の複数のドットのサイズを示す第２ハーフトーン画像データを生成する工程とを備え、前記ｂ）工程が、ｂ１）前記第２色成分画像に網掛け処理を行って前記ハーフトーン画像領域の前記複数の画素位置にそれぞれ形成される前記第２の色成分の前記複数のドットのサイズを仮決定する工程と、ｂ２）前記第２色成分画像の一の画素に対応する画素位置に形成される前記第１の色成分のドットのサイズである第１ドットサイズと、前記画素位置に形成される前記第２の色成分のドットについて前記ｂ１）工程にて仮決定されたサイズである第２ドット仮サイズとの合計である合計ドットサイズを求める工程と、ｂ３）前記合計ドットサイズと所定の閾値ドットサイズとを比較し、前記合計ドットサイズが前記閾値ドットサイズ以下である場合、前記第２の色成分のドットのサイズである第２ドットサイズを前記第２ドット仮サイズに等しいサイズに決定し、前記合計ドットサイズが前記閾値ドットサイズよりも大きい場合、前記第２ドットサイズを、前記閾値ドットサイズと前記第１ドットサイズとの差以下の範囲で最も大きいドットサイズに決定する工程と、ｂ４）前記ｂ３）工程において、前記合計ドットサイズが前記閾値ドットサイズよりも大きい場合、前記一の画素の周囲の画素位置のうち、前記第２ドットサイズが未決定の１つ以上の画素位置に位置する周辺画素群の第２ドット仮サイズを、前記一の画素の前記第２ドット仮サイズと前記第２ドットサイズとの差に基づいて変更する工程と、ｂ５）前記複数の画素位置について予め定められた処理順序に従って前記一の画素を次の画素に変更し、前記ｂ２）工程ないし前記ｂ４）工程を繰り返す工程とを備える。
【００１４】
請求項４に記載の発明は、請求項１に記載の画像記録装置であって、前記画像処理部による前記カラー画像への画像処理が、ａ）前記複数の色成分のうち１つ以上の色成分の画像にそれぞれ網掛け処理を行い、ハーフトーン画像領域においてマトリクス状に配列された複数の画素位置にそれぞれ形成される複数のドットのサイズを示す単色ハーフトーン画像データを、前記１つ以上の色成分についてそれぞれ生成する工程と、ｂ）前記カラー画像において各画素位置に対応する各画素の色相を求め、前記複数の色成分に含まれるとともに前記１つ以上の色成分以外の１つの色成分である対象色成分に係る前記各画素位置の閾値ドットサイズを、前記各画素の色相が第１の色相範囲内に含まれる場合に、予め定められた基準閾値ドットサイズに決定し、前記各画素の色相が前記第１の色相範囲よりも前記対象色成分の色味が強い第２の色相範囲に含まれる場合に、前記基準閾値ドットサイズよりも大きい予め定められた補正閾値ドットサイズに決定する工程と、ｃ）前記対象色成分の画像に、前記１つ以上の色成分の単色ハーフトーン画像データを参照しつつ網掛け処理を行い、前記ハーフトーン画像領域の前記複数の画素位置にそれぞれ形成される前記対象色成分の複数のドットのサイズを示す単色ハーフトーン画像データを生成する工程とを備え、前記ｃ）工程が、ｃ１）前記対象色成分の画像において、一の画素に網掛け処理を行って前記一の画素に対応する画素位置に形成される前記対象色成分のドットのサイズを仮決定する工程と、ｃ２）前記画素位置に形成される前記１つ以上の色成分の各ドットのサイズの合計である前合計ドットサイズと、前記ｃ１）工程にて仮決定された前記対象色成分のドットのサイズである仮ドットサイズとの合計である合計ドットサイズを求める工程と、ｃ３）前記合計ドットサイズと前記画素位置の閾値ドットサイズとを比較し、前記合計ドットサイズが前記閾値ドットサイズ以下である場合、前記対象色成分のドットのサイズを前記仮ドットサイズに等しいサイズに決定し、前記合計ドットサイズが前記閾値ドットサイズよりも大きい場合、前記対象色成分のドットのサイズを、前記閾値ドットサイズと前記前合計ドットサイズとの差以下の範囲で最も大きいドットサイズに決定する工程と、ｃ４）前記ｃ３）工程において、前記合計ドットサイズが前記閾値ドットサイズよりも大きい場合、前記一の画素の周囲の画素位置のうち、前記対象色成分のドットのサイズが未決定の１つ以上の画素位置に位置する周辺画素群の画素値を、前記一の画素の画素値および前記仮ドットサイズと前記対象色成分のドットのサイズとの差に基づいて変更する工程と、ｃ５）前記複数の画素位置について予め定められた処理順序に従って前記一の画素を次の画素に変更し、前記ｃ１）工程ないし前記ｃ４）工程を繰り返す工程とを備える。
【００１５】
請求項５に記載の発明は、請求項１に記載の画像記録装置であって、前記画像処理部による前記カラー画像への画像処理が、ａ）前記複数の色成分のうち１つ以上の色成分の画像にそれぞれ網掛け処理を行い、ハーフトーン画像領域においてマトリクス状に配列された複数の画素位置にそれぞれ形成される複数のドットのサイズを示す単色ハーフトーン画像データを、前記１つ以上の色成分についてそれぞれ生成する工程と、ｂ）前記カラー画像において各画素位置に対応する各画素の色相を求め、前記複数の色成分に含まれるとともに前記１つ以上の色成分以外の１つの色成分である対象色成分に係る前記各画素位置の閾値ドットサイズを、前記各画素の色相が第１の色相範囲内に含まれる場合に、予め定められた基準閾値ドットサイズに決定し、前記各画素の色相が前記第１の色相範囲よりも前記対象色成分の色味が強い第２の色相範囲に含まれる場合に、前記基準閾値ドットサイズよりも大きい予め定められた補正閾値ドットサイズに決定する工程と、ｃ）前記対象色成分の画像に、前記１つ以上の色成分の単色ハーフトーン画像データを参照しつつ網掛け処理を行い、前記ハーフトーン画像領域の前記複数の画素位置にそれぞれ形成される前記対象色成分の複数のドットのサイズを示す単色ハーフトーン画像データを生成する工程とを備え、前記ｃ）工程が、ｃ１）前記対象色成分の画像に網掛け処理を行って前記ハーフトーン画像領域の前記複数の画素位置にそれぞれ形成される前記対象色成分の前記複数のドットのサイズを仮決定する工程と、ｃ２）前記対象色成分の画像において、一の画素に対応する画素位置に形成される前記１つ以上の色成分の各ドットのサイズの合計である前合計ドットサイズと、前記ｃ１）工程にて仮決定された前記対象色成分のドットのサイズである仮ドットサイズとの合計である合計ドットサイズを求める工程と、ｃ３）前記合計ドットサイズと前記画素位置の閾値ドットサイズとを比較し、前記合計ドットサイズが前記閾値ドットサイズ以下である場合、前記対象色成分のドットのサイズを前記仮ドットサイズに等しいサイズに決定し、前記合計ドットサイズが前記閾値ドットサイズよりも大きい場合、前記対象色成分のドットのサイズを、前記閾値ドットサイズと前記前合計ドットサイズとの差以下の範囲で最も大きいドットサイズに決定する工程と、ｃ４）前記ｃ３）工程において、前記合計ドットサイズが前記閾値ドットサイズよりも大きい場合、前記一の画素の周囲の画素位置のうち、前記対象色成分のドットのサイズが未決定の１つ以上の画素位置に位置する周辺画素群の仮ドットサイズを、前記一の画素の前記対象色成分の前記仮ドットサイズと前記対象色成分のドットのサイズとの差に基づいて変更する工程と、ｃ５）前記複数の画素位置について予め定められた処理順序に従って前記一の画素を次の画素に変更し、前記ｃ２）工程ないし前記ｃ４）工程を繰り返す工程とを備える。
【００１６】
請求項６に記載の発明は、請求項１ないし５のいずれかに記載の画像記録装置であって、前記複数の色成分がブラックを含み、前記画像処理部による前記カラー画像への画像処理が、前記カラー画像のグレイ領域を、前記複数の色成分のインクによる表現からブラックのインクの濃淡による表現に変更する処理を含む。
【００１７】
請求項７に記載の発明は、請求項１ないし６のいずれかに記載の画像記録装置であって、前記複数の吐出ヘッドが、３つ以上の吐出ヘッドを含み、前記記録ユニットが、前記仮定着ヘッドを含み、前記３つ以上の吐出ヘッドのうち前記移動方向に隣接する各２つの吐出ヘッド間に配置される複数の仮定着ヘッドをさらに備える。
【００１８】
請求項８に記載の発明は、請求項１ないし７のいずれかに記載の画像記録装置であって、前記記録ユニットが、前記仮定着ヘッドを含み、前記複数の吐出ヘッドと前記移動方向に沿って交互に配列される複数の仮定着ヘッドをさらに備え、各仮定着ヘッドからの出力が、前記各仮定着ヘッドの前記移動方向後側に隣接する吐出ヘッドから吐出されるインクの定着特性に合わせて決定される。
【００１９】
請求項９に記載の発明は、請求項１ないし８のいずれかに記載の画像記録装置であって、前記記録ユニットよりも前記移動方向後側に配置されるアンカーコートユニットをさらに備え、前記アンカーコートユニットが、前記記録媒体にアンカーコート剤を付与するコート剤付与部と、前記記録媒体に付与されたアンカーコート剤を定着させるコート剤定着部とを備える。
【００２０】
請求項１０に記載の発明は、請求項１ないし９のいずれかに記載の画像記録装置であって、前記複数の吐出ヘッドから吐出されるインクが光硬化型インクであり、前記仮定着ヘッドおよび前記定着ヘッドが、前記記録媒体上のインクに向けて光を照射する。
【００２１】
請求項１１に記載の発明は、請求項１ないし９のいずれかに記載の画像記録装置であって、前記複数の吐出ヘッドから吐出されるインクが酸化重合型インクであり、前記仮定着ヘッドおよび前記定着ヘッドが、前記記録媒体上のインクを加熱する。
【００２２】
請求項１２に記載の発明は、請求項１ないし９のいずれかに記載の画像記録装置であって、前記複数の吐出ヘッドから吐出されるインクがハイブリッド型インクであり、前記仮定着ヘッドおよび前記定着ヘッドが、前記記録媒体上のインクを加熱するとともに前記インクに向けて光を照射する。
【００２３】
請求項１３に記載の発明は、予めアンカーコート剤が塗布された記録媒体に向けてインクの微小液滴を吐出する記録ユニットと、前記記録媒体を所定の移動方向に前記記録ユニットに対して相対的に移動する移動機構とを備え、前記記録ユニットが、前記移動方向に配列されるとともに前記複数の色成分のインクの微小液滴をそれぞれ吐出する複数の吐出ヘッドと、前記複数の吐出ヘッドの間に配置される仮定着ヘッドと、前記複数の吐出ヘッドのうち前記記録媒体に最後に付与される色成分のインクを吐出する吐出ヘッドよりも前記移動方向前側に配置される定着ヘッドとを備え、インクジェット方式にて画像を記録する画像記録装置における画像記録方法であって、ａ）複数の色成分の画像を含む多階調のカラー画像に対して、前記記録ユニットから前記記録媒体に付与されるインクの総量を抑制する画像処理を行って処理済みデータを生成する工程と、ｂ）前記処理済みデータに基づいて前記記録ユニットと前記移動機構とを制御することにより、前記記録媒体を前記記録ユニットに対して１回だけ所定の移動方向に相対的に移動させて前記記録媒体に画像を記録する工程とを備え、前記ｂ）工程が、ｂ１）前記仮定着ヘッドの前記移動方向後側に隣接する吐出ヘッドから前記記録媒体に向けてインクの微小液滴を吐出する工程と、ｂ２）前記ｂ１）工程にて前記記録媒体に付与されたインクを前記仮定着ヘッドにより仮定着させる工程と、ｂ３）前記記録媒体に付与された前記複数の色成分のインクを前記定着ヘッドにより定着させる工程とを備える。
【００２４】
請求項１４に記載の発明は、請求項１３に記載の画像記録方法であって、前記ａ）工程が、ｃ）前記複数の色成分のうち第１の色成分の画像である第１色成分画像に網掛け処理を行い、ハーフトーン画像領域においてマトリクス状に配列された複数の画素位置にそれぞれ形成される前記第１の色成分の複数のドットのサイズを示す第１ハーフトーン画像データを生成する工程と、ｄ）前記ｃ）工程よりも後に、前記複数の色成分のうち第２の色成分の画像である第２色成分画像に、前記第１ハーフトーン画像データを参照しつつ網掛け処理を行い、前記ハーフトーン画像領域の前記複数の画素位置にそれぞれ形成される前記第２の色成分の複数のドットのサイズを示す第２ハーフトーン画像データを生成する工程とを備え、前記ｄ）工程が、ｄ１）前記第２色成分画像の一の画素に網掛け処理を行って前記一の画素に対応する画素位置に形成される前記第２の色成分のドットのサイズを仮決定する工程と、ｄ２）前記画素位置に形成される前記第１の色成分のドットのサイズである第１ドットサイズと、前記ｄ１）工程にて仮決定された前記第２の色成分のドットのサイズである第２ドット仮サイズとの合計である合計ドットサイズを求める工程と、ｄ３）前記合計ドットサイズと所定の閾値ドットサイズとを比較し、前記合計ドットサイズが前記閾値ドットサイズ以下である場合、前記第２の色成分のドットのサイズである第２ドットサイズを前記第２ドット仮サイズに等しいサイズに決定し、前記合計ドットサイズが前記閾値ドットサイズよりも大きい場合、前記第２ドットサイズを、前記閾値ドットサイズと前記第１ドットサイズとの差以下の範囲で最も大きいドットサイズに決定する工程と、ｄ４）前記ｄ３）工程において、前記合計ドットサイズが前記閾値ドットサイズよりも大きい場合、前記一の画素の周囲の画素位置のうち、前記第２ドットサイズが未決定の１つ以上の画素位置に位置する周辺画素群の画素値を、前記一の画素の画素値および前記第２ドット仮サイズと前記第２ドットサイズとの差に基づいて変更する工程と、ｄ５）前記複数の画素位置について予め定められた処理順序に従って前記一の画素を次の画素に変更し、前記ｄ１）工程ないし前記ｄ４）工程を繰り返す工程とを備える。
【００２５】
請求項１５に記載の発明は、請求項１３に記載の画像記録方法であって、前記ａ）工程が、ｃ）前記複数の色成分のうち第１の色成分の画像である第１色成分画像に網掛け処理を行い、ハーフトーン画像領域においてマトリクス状に配列された複数の画素位置にそれぞれ形成される前記第１の色成分の複数のドットのサイズを示す第１ハーフトーン画像データを生成する工程と、ｄ）前記ｃ）工程よりも後に、前記複数の色成分のうち第２の色成分の画像である第２色成分画像に、前記第１ハーフトーン画像データを参照しつつ網掛け処理を行い、前記ハーフトーン画像領域の前記複数の画素位置にそれぞれ形成される前記第２の色成分の複数のドットのサイズを示す第２ハーフトーン画像データを生成する工程とを備え、前記ｄ）工程が、ｄ１）前記第２色成分画像に網掛け処理を行って前記ハーフトーン画像領域の前記複数の画素位置にそれぞれ形成される前記第２の色成分の前記複数のドットのサイズを仮決定する工程と、ｄ２）前記第２色成分画像の一の画素に対応する画素位置に形成される前記第１の色成分のドットのサイズである第１ドットサイズと、前記画素位置に形成される前記第２の色成分のドットについて前記ｄ１）工程にて仮決定されたサイズである第２ドット仮サイズとの合計である合計ドットサイズを求める工程と、ｄ３）前記合計ドットサイズと所定の閾値ドットサイズとを比較し、前記合計ドットサイズが前記閾値ドットサイズ以下である場合、前記第２の色成分のドットのサイズである第２ドットサイズを前記第２ドット仮サイズに等しいサイズに決定し、前記合計ドットサイズが前記閾値ドットサイズよりも大きい場合、前記第２ドットサイズを、前記閾値ドットサイズと前記第１ドットサイズとの差以下の範囲で最も大きいドットサイズに決定する工程と、ｄ４）前記ｄ３）工程において、前記合計ドットサイズが前記閾値ドットサイズよりも大きい場合、前記一の画素の周囲の画素位置のうち、前記第２ドットサイズが未決定の１つ以上の画素位置に位置する周辺画素群の第２ドット仮サイズを、前記一の画素の前記第２ドット仮サイズと前記第２ドットサイズとの差に基づいて変更する工程と、ｄ５）前記複数の画素位置について予め定められた処理順序に従って前記一の画素を次の画素に変更し、前記ｄ２）工程ないし前記ｄ４）工程を繰り返す工程とを備える。
【００２６】
請求項１６に記載の発明は、請求項１３に記載の画像記録方法であって、前記ａ）工程が、ｃ）前記複数の色成分のうち１つ以上の色成分の画像にそれぞれ網掛け処理を行い、ハーフトーン画像領域においてマトリクス状に配列された複数の画素位置にそれぞれ形成される複数のドットのサイズを示す単色ハーフトーン画像データを、前記１つ以上の色成分についてそれぞれ生成する工程と、ｄ）前記カラー画像において各画素位置に対応する各画素の色相を求め、前記複数の色成分に含まれるとともに前記１つ以上の色成分以外の１つの色成分である対象色成分に係る前記各画素位置の閾値ドットサイズを、前記各画素の色相が第１の色相範囲内に含まれる場合に、予め定められた基準閾値ドットサイズに決定し、前記各画素の色相が前記第１の色相範囲よりも前記対象色成分の色味が強い第２の色相範囲に含まれる場合に、前記基準閾値ドットサイズよりも大きい予め定められた補正閾値ドットサイズに決定する工程と、ｅ）前記対象色成分の画像に、前記１つ以上の色成分の単色ハーフトーン画像データを参照しつつ網掛け処理を行い、前記ハーフトーン画像領域の前記複数の画素位置にそれぞれ形成される前記対象色成分の複数のドットのサイズを示す単色ハーフトーン画像データを生成する工程とを備え、前記ｅ）工程が、ｅ１）前記対象色成分の画像において、一の画素に網掛け処理を行って前記一の画素に対応する画素位置に形成される前記対象色成分のドットのサイズを仮決定する工程と、ｅ２）前記画素位置に形成される前記１つ以上の色成分の各ドットのサイズの合計である前合計ドットサイズと、前記ｅ１）工程にて仮決定された前記対象色成分のドットのサイズである仮ドットサイズとの合計である合計ドットサイズを求める工程と、ｅ３）前記合計ドットサイズと前記画素位置の閾値ドットサイズとを比較し、前記合計ドットサイズが前記閾値ドットサイズ以下である場合、前記対象色成分のドットのサイズを前記仮ドットサイズに等しいサイズに決定し、前記合計ドットサイズが前記閾値ドットサイズよりも大きい場合、前記対象色成分のドットのサイズを、前記閾値ドットサイズと前記前合計ドットサイズとの差以下の範囲で最も大きいドットサイズに決定する工程と、ｅ４）前記ｅ３）工程において、前記合計ドットサイズが前記閾値ドットサイズよりも大きい場合、前記一の画素の周囲の画素位置のうち、前記対象色成分のドットのサイズが未決定の１つ以上の画素位置に位置する周辺画素群の画素値を、前記一の画素の画素値および前記仮ドットサイズと前記対象色成分のドットのサイズとの差に基づいて変更する工程と、ｅ５）前記複数の画素位置について予め定められた処理順序に従って前記一の画素を次の画素に変更し、前記ｅ１）工程ないし前記ｅ４）工程を繰り返す工程とを備える。
【００２７】
請求項１７に記載の発明は、請求項１３に記載の画像記録方法であって、前記ａ）工程が、ｃ）前記複数の色成分のうち１つ以上の色成分の画像にそれぞれ網掛け処理を行い、ハーフトーン画像領域においてマトリクス状に配列された複数の画素位置にそれぞれ形成される複数のドットのサイズを示す単色ハーフトーン画像データを、前記１つ以上の色成分についてそれぞれ生成する工程と、ｄ）前記カラー画像において各画素位置に対応する各画素の色相を求め、前記複数の色成分に含まれるとともに前記１つ以上の色成分以外の１つの色成分である対象色成分に係る前記各画素位置の閾値ドットサイズを、前記各画素の色相が第１の色相範囲内に含まれる場合に、予め定められた基準閾値ドットサイズに決定し、前記各画素の色相が前記第１の色相範囲よりも前記対象色成分の色味が強い第２の色相範囲に含まれる場合に、前記基準閾値ドットサイズよりも大きい予め定められた補正閾値ドットサイズに決定する工程と、ｅ）前記対象色成分の画像に、前記１つ以上の色成分の単色ハーフトーン画像データを参照しつつ網掛け処理を行い、前記ハーフトーン画像領域の前記複数の画素位置にそれぞれ形成される前記対象色成分の複数のドットのサイズを示す単色ハーフトーン画像データを生成する工程とを備え、前記ｅ）工程が、ｅ１）前記対象色成分の画像に網掛け処理を行って前記ハーフトーン画像領域の前記複数の画素位置にそれぞれ形成される前記対象色成分の前記複数のドットのサイズを仮決定する工程と、ｅ２）前記対象色成分の画像において、一の画素に対応する画素位置に形成される前記１つ以上の色成分の各ドットのサイズの合計である前合計ドットサイズと、前記ｅ１）工程にて仮決定された前記対象色成分のドットのサイズである仮ドットサイズとの合計である合計ドットサイズを求める工程と、ｅ３）前記合計ドットサイズと前記画素位置の閾値ドットサイズとを比較し、前記合計ドットサイズが前記閾値ドットサイズ以下である場合、前記対象色成分のドットのサイズを前記仮ドットサイズに等しいサイズに決定し、前記合計ドットサイズが前記閾値ドットサイズよりも大きい場合、前記対象色成分のドットのサイズを、前記閾値ドットサイズと前記前合計ドットサイズとの差以下の範囲で最も大きいドットサイズに決定する工程と、ｅ４）前記ｅ３）工程において、前記合計ドットサイズが前記閾値ドットサイズよりも大きい場合、前記一の画素の周囲の画素位置のうち、前記対象色成分のドットのサイズが未決定の１つ以上の画素位置に位置する周辺画素群の仮ドットサイズを、前記一の画素の前記対象色成分の前記仮ドットサイズと前記対象色成分のドットのサイズとの差に基づいて変更する工程と、ｅ５）前記複数の画素位置について予め定められた処理順序に従って前記一の画素を次の画素に変更し、前記ｅ２）工程ないし前記ｅ４）工程を繰り返す工程とを備える。
【発明の効果】
【００２８】
本発明では、記録媒体に記録される画像の画質を向上するとともに、インク定着時の記録媒体のダメージを低減することができる。
【図面の簡単な説明】
【００２９】
【図１】第１の実施の形態に係る画像記録装置の構成を示す図である。
【図２】ヘッドユニットを示す正面図である。
【図３】制御ユニットの機能を示すブロック図である。
【図４】マトリクスセットの特性を示す図である。
【図５．Ａ】画像記録装置による画像記録の流れを示す図である。
【図５．Ｂ】画像記録装置による画像記録の流れを示す図である。
【図６】階調画像および閾値マトリクスを示す図である。
【図７】ハーフトーン画像領域を簡略化して示す図である。
【図８】第２ハーフトーン画像データ生成部の機能を示すブロック図である。
【図９．Ａ】画像記録の流れの一部を示す図である。
【図９．Ｂ】画像記録の流れの一部を示す図である。
【図１０】周辺画素群の画素値の変更の様子を示す図である。
【図１１】処理順序を示す図である。
【図１２】第３ハーフトーン画像データ生成部の機能を示すブロック図である。
【図１３．Ａ】画像記録の流れの一部を示す図である。
【図１３．Ｂ】画像記録の流れの一部を示す図である。
【図１４】画像記録の流れの一部を示す図である。
【図１５】画像記録の流れの一部を示す図である。
【図１６】画像記録の流れの一部を示す図である。
【図１７】画像記録の流れの一部を示す図である。
【図１８】第２の実施の形態に係る第２ハーフトーン画像データ生成部の機能を示すブロック図である。
【図１９．Ａ】画像記録の流れの一部を示す図である。
【図１９．Ｂ】画像記録の流れの一部を示す図である。
【図２０】第３ハーフトーン画像データ生成部の機能を示すブロック図である。
【図２１．Ａ】画像記録の流れの一部を示す図である。
【図２１．Ｂ】画像記録の流れの一部を示す図である。
【発明を実施するための形態】
【００３０】
図１は、本発明の第１の実施の形態に係る画像記録装置１の構成を示す図である。画像記録装置１は、記録媒体９上にインクの微小液滴を吐出することにより、記録媒体９上にカラー画像を記録する印刷装置である。換言すれば、画像記録装置１は、インクジェット方式にてカラー画像を記録するインクジェットプリンタである。記録媒体９は、例えば、長尺状のフィルムや印刷用紙である。
【００３１】
図１では、互いに垂直な２つの水平方向をＸ方向およびＹ方向として示し、Ｘ方向およびＹ方向に垂直な上下方向をＺ方向として示している。図１中のＸ方向およびＹ方向は必ずしも水平方向である必要はなく、同様に、Ｚ方向も必ずしも上下方向である必要はない。すなわち、図１中の上側および下側は、必ずしも、重力方向の上側および下側に一致する必要はない。
【００３２】
画像記録装置１は、移動機構２と、記録ユニット３と、アンカーコートユニット５と、制御ユニットとを備える。図１では、制御ユニットの図示を省略する。移動機構２は、シート状の記録媒体９を移動する。記録ユニット３は、移動機構２による移動途上の記録媒体９の上面９１（すなわち、記録面）に向けて光硬化型のインクの微小液滴を吐出する。画像記録装置１では、例えば、紫外線硬化型のインクが使用される。アンカーコートユニット５は、記録媒体９の上面９１に対し、前処理であるアンカーコートを行う。制御ユニットは、移動機構２、記録ユニット３およびアンカーコートユニット５等を制御する。
【００３３】
移動機構２は、それぞれが図１中のＸ方向に長い複数のローラ２１を有する。最も（−Ｙ）側に配置されたローラ２１の近傍には、ロール状の記録媒体９（供給ロール）を保持する供給部６１が設けられる。最も（＋Ｙ）側に配置されたローラ２１の近傍には、ロール状の記録媒体９（巻取ロール）を保持する巻取部６２が設けられる。画像記録装置１では、移動機構２の複数のローラ２１の一部が、Ｘ方向に平行な軸を中心として一定の回転速度にて回転することにより、供給部６１から巻取部６２に至る所定の移動経路に沿って記録媒体９が一定速度にて移動する。
【００３４】
記録媒体９の移動経路において記録ユニット３のヘッドユニット３１と上下方向に対向する位置には、基材案内部６４が設けられる。基材案内部６４は、曲面６４１（以下、「案内面６４１」という。）を上面として有する。案内面６４１は、Ｘ方向に平行な仮想軸を中心とする円筒面の一部である。当該仮想軸は、ヘッドユニット３１の真下（（−Ｚ）側）に配置される。ヘッドユニット３１の下方において、滑らかな案内面６４１に沿って記録媒体９が移動する。このように、記録ユニット３に対向する位置において、記録媒体９の移動経路がヘッドユニット３１に向かって凸となるように湾曲し、記録媒体９が案内面６４１に沿って伸ばされる。ヘッドユニット３１に対向する位置では、記録媒体９は、案内面６４１に沿っておよそ（＋Ｙ）方向に向かう所定の移動方向に、記録ユニット３に対して相対的に移動する。
【００３５】
記録媒体９の移動経路において供給部６１と基材案内部６４との間には、記録媒体９の蛇行を補正する蛇行補正部６３が設けられる。上述のアンカーコートユニット５は、記録媒体９の移動経路において蛇行補正部６３と基材案内部６４との間に配置される。また、アンカーコートユニット５は、記録ユニット３よりも記録媒体９の移動方向後側、すなわち、記録媒体９の移動の上流側に配置される。
【００３６】
アンカーコートユニット５は、コート剤付与部５１と、コート剤定着部５２と、対向ローラ５３とを備える。コート剤付与部５１およびコート剤定着部５２は、記録媒体９の上面９１に対向する。コート剤付与部５１は、コート剤定着部５２よりも記録媒体９の移動方向後側に配置される。対向ローラ５３は、記録媒体９を挟んでコート剤付与部５１に対向する。コート剤付与部５１、コート剤定着部５２および対向ローラ５３は、記録媒体９のＸ方向（すなわち、上記移動方向に垂直な幅方向）の全幅に亘って設けられる。
【００３７】
コート剤付与部５１は、記録媒体９の上面９１にアンカーコート剤を付与する。図１に示す例では、コート剤付与部５１は、記録媒体９の上面９１にアンカーコート剤を塗布するローラ状のコータである。アンカーコート剤は、例えば、記録ユニット３から吐出されるインクの記録媒体９上における拡がりを抑制する。アンカーコート剤としては、例えば、紫外線硬化型のホワイトのインクが利用される。なお、コート剤付与部５１は、例えば、記録媒体９の上面９１にアンカーコート剤をスプレー状に吐出するコート剤吐出部であってもよい。
【００３８】
コート剤定着部５２は、記録媒体９の上面９１に付与されたアンカーコート剤を定着させる。アンカーコート剤が光硬化型である場合、コート剤定着部５２から記録媒体９上のアンカーコート剤に向けて光が照射され、アンカーコート剤が記録媒体９上に定着する。また、アンカーコート剤が酸化重合型である場合、コート剤定着部５２により記録媒体９上のアンカーコート剤が加熱され、アンカーコート剤が記録媒体９上に定着する。
【００３９】
記録ユニット３は、上述のヘッドユニット３１と、定着ヘッド３５とを備える。ヘッドユニット３１は、アンカーコートユニット５よりも記録媒体９の移動方向前側、すなわち、記録媒体９の移動の下流側に配置される。定着ヘッド３５は、ヘッドユニット３１よりも記録媒体９の移動方向前側に配置される。また、定着ヘッド３５は、記録媒体９の移動経路においてヘッドユニット３１と巻取部６２との間に配置される。ヘッドユニット３１および定着ヘッド３５は、記録媒体９の幅方向の全幅に亘って設けられる。
【００４０】
図２は、ヘッドユニット３１を拡大して示す正面図である。図２に示すように、ヘッドユニット３１は、複数の吐出ヘッド３２と、複数の仮定着ヘッド３３と、ベース３４とを備える。複数の吐出ヘッド３２および複数の仮定着ヘッド３３は、ベース３４に取り付けられる。複数の吐出ヘッド３２および複数の仮定着ヘッド３３はそれぞれ、記録媒体９の幅方向の全幅に亘って設けられる。
【００４１】
各吐出ヘッド３２は、Ｘ方向に配列される複数の吐出口を（−Ｚ）側の底面に有する。複数の吐出口は、記録媒体９の幅方向の全幅に亘って配置される。なお、複数の吐出口は、必ずしもＸ方向に配列される必要はなく、記録媒体９の移動方向に対して交差する方向に配列されていればよい。複数の吐出ヘッド３２は、アンカーコートユニット５により予めアンカーコート剤が塗布された記録媒体９に向けて、複数の色成分の光硬化型のインクの微小液滴を複数の吐出口からそれぞれ吐出する。
【００４２】
各吐出ヘッド３２の各吐出口から吐出されるインクの微小液滴のサイズは切替可能である。すなわち、各吐出ヘッド３２では、各吐出口から異なる量のインクの微小液滴が吐出可能である。インクの微小液滴のサイズが切り替えられ、当該微小液滴が記録媒体９上に着弾することにより、記録媒体９上に形成されるドットのサイズも切り替えられる。図１に示す画像記録装置１では、各吐出ヘッド３２から吐出されるインクの微小液滴のサイズが、「大サイズ」、大サイズよりも小さい「中サイズ」、および、中サイズよりも小さい「小サイズ」の３種類の間で切り替えられる。これにより、記録媒体９上に形成されるインクのドットサイズは、「大サイズ」、「中サイズ」、「小サイズ」、および、ドットが存在しないことを示す「ゼロサイズ」の間で切り換えられる。以下の説明では、大サイズ、中サイズおよび小サイズのドットをそれぞれ、「大ドット」、「中ドット」および「小ドット」とも呼ぶ。例えば、大サイズの液滴のインク量は９ｐｌ（ピコリットル）であり、中サイズの液滴のインク量は６ｐｌであり、小サイズの液滴のインク量は３ｐｌである。
【００４３】
複数の仮定着ヘッド３３は、複数の吐出ヘッド３２により記録媒体９に付与されたインクに向けて光（例えば、紫外線）を照射する。記録媒体９が各仮定着ヘッド３３の下方を通過する際に、各仮定着ヘッド３３から記録媒体９の各位置に照射される光のエネルギーの積算値は、記録媒体９上のインクを十分に硬化させるために必要なエネルギーに比べて小さい。これにより、記録媒体９上のインクが仮硬化（すなわち、プリキュア）し、記録媒体９上に仮定着する。インクの仮定着とは、インクのドットが記録媒体９に十分には定着していないが、当該インクのドットが周囲に拡がることが抑制または防止される程度には記録媒体９に定着している状態である。
【００４４】
図２に示す例では、４つの吐出ヘッド３２と、４つの仮定着ヘッド３３とが、ベース３４に取り付けられる。４つの吐出ヘッド３２と、４つの仮定着ヘッド３３とは、およそＹ方向に沿って（正確には、上述の移動方向に沿って）、交互に配列される。各吐出ヘッド４２１の上記移動方向前側には、１つの仮定着ヘッド３３が隣接して配置される。４つの吐出ヘッド３２は、（−Ｙ）側から順に、それぞれブラック（Ｋ）、シアン（Ｃ）、マゼンタ（Ｍ）、イエロー（Ｙ）の色のインクを吐出する。
【００４５】
画像記録装置１では、マゼンタのインク濃度が、他の色成分のインク濃度よりも低い。換言すれば、マゼンタのインクにおける顔料等の着色材料の含有率が、他の色成分のインクにおける着色材料の含有率よりも低い。このため、後述する画像の記録において、マゼンタの発色が他の色よりも低下する可能性がある。そこで、画像記録装置１では、マゼンタの発色を良くして他の色の発色と同程度とする補正が後述のように行われる。すなわち、マゼンタは、当該補正の対象となる対象色成分である。
【００４６】
４つの仮定着ヘッド３３のうち最も（−Ｙ）側の仮定着ヘッド３３は、ブラックのインクを吐出する吐出ヘッド３２とシアンのインクを吐出する吐出ヘッド３２との間に配置され、最も（−Ｙ）側の吐出ヘッド３２から吐出されたブラックのインクを記録媒体９上に仮定着させる。（−Ｙ）側から２番目の仮定着ヘッド３３は、シアンのインクを吐出する吐出ヘッド３２とマゼンタのインクを吐出する吐出ヘッド３２との間に配置され、（−Ｙ）側から２番目の吐出ヘッド３２から吐出されたシアンのインクを記録媒体９上に仮定着させる。
【００４７】
（−Ｙ）側から３番目の仮定着ヘッド３３は、マゼンタのインクを吐出する吐出ヘッド３２とイエローのインクを吐出する吐出ヘッド３２との間に配置され、（−Ｙ）側から３番目の吐出ヘッド３２から吐出されたマゼンタのインクを記録媒体９上に仮定着させる。すなわち、４つの仮定着ヘッド３３のうち（−Ｙ）側の３つの仮定着ヘッド３３はそれぞれ、記録媒体９の移動経路において複数の吐出ヘッド３２の間に配置される。最も（＋Ｙ）側の仮定着ヘッド３３は、イエローのインクを吐出する吐出ヘッド３２よりも、記録媒体９の移動方向前側に配置され、最も（＋Ｙ）側の吐出ヘッド３２から吐出されたイエローのインクを記録媒体９上に仮定着させる。
【００４８】
ヘッドユニット３１では、各仮定着ヘッド３３からの出力が、各仮定着ヘッド３３の上記移動方向後側（すなわち、（−Ｙ）側）に隣接する吐出ヘッド３２から吐出されるインクの定着特性に合わせて決定される。具体的には、各仮定着ヘッド３３から出射される光の波長が、各仮定着ヘッド３３の移動方向後側に隣接する吐出ヘッド３２から吐出されるインクの硬化に適した波長とされる。したがって、複数の吐出ヘッド３２から吐出される複数の色成分のインクの硬化に適した波長が互いに異なる場合、複数の仮定着ヘッド３３から出射される光の波長も互いに異なる。
【００４９】
定着ヘッド３５は、上述のように、ヘッドユニット３１よりも上記移動方向前側に配置される。換言すれば、定着ヘッド３５は、複数の吐出ヘッド３２のうち記録媒体９に最後に付与される色成分のインクを吐出する吐出ヘッド３２、すなわち、イエローのインクを吐出する最も（＋Ｙ）側の吐出ヘッド３２よりも、記録媒体９の移動方向前側に配置される。また、定着ヘッド３５は、複数の仮定着ヘッド３３のうち、上述の最も（＋Ｙ）側の吐出ヘッド３２の移動方向前側に隣接する最も（＋Ｙ）側の仮定着ヘッド３３よりも、記録媒体９の移動方向前側に配置される。
【００５０】
定着ヘッド３５は、複数の吐出ヘッド３２により記録媒体９に付与された複数の色成分のインクに向けて光（例えば、紫外線）を照射する。定着ヘッド３５から記録媒体９に照射される光のエネルギーは、例えば、各仮定着ヘッド３３から記録媒体９に照射される光のエネルギーよりも少し大きい。定着ヘッド３５から記録媒体９に照射される光のエネルギーは、例えば、各仮定着ヘッド３３から記録媒体９に照射される光のエネルギーとおよそ等しくてもよい。
【００５１】
定着ヘッド３５から記録媒体９に向けて光が照射されることにより、記録媒体９の各位置に各仮定着ヘッド３３および定着ヘッド３５から照射された光のエネルギーの積算値が、各色成分のインクの硬化に必要なエネルギー以上となる。これにより、記録媒体９に付与された複数の色成分のインクが硬化し、記録媒体９上に定着する。
【００５２】
画像記録装置１では、制御ユニット４の出力制御部４１（図３参照）により記録ユニット３と移動機構２とが制御されることにより、供給部６１から記録媒体９の連続する部位が順次引き出され、各部位（以下、「対象部位」という。）が、蛇行補正部６３を経由して基材案内部６４へと到達する。対象部位は、基材案内部６４において案内面６４１に接触しつつ移動方向に沿って移動し、基材案内部６４に対向するヘッドユニット３１の下方、および、定着ヘッド３５を通過する。これにより、対象部位に対して画像が記録される。
【００５３】
具体的には、最も（−Ｙ）側の吐出ヘッド３２により記録媒体９上にブラックの画像が記録され、当該吐出ヘッド３２の（＋Ｙ）側に隣接する仮定着ヘッド３３からの光により記録媒体９に仮定着する。続いて、（−Ｙ）側から２番目の吐出ヘッド３２により記録媒体９上にシアンの画像が記録され、当該吐出ヘッド３２の（＋Ｙ）側に隣接する仮定着ヘッド３３からの光により記録媒体９に仮定着する。次に、（−Ｙ）側から３番目の吐出ヘッド３２により記録媒体９上にマゼンタの画像が記録され、当該吐出ヘッド３２の（＋Ｙ）側に隣接する仮定着ヘッド３３からの光により記録媒体９に仮定着する。さらに、最も（＋Ｙ）側の吐出ヘッド３２により記録媒体９上にイエローの画像が記録され、当該吐出ヘッド３２の（＋Ｙ）側に隣接する仮定着ヘッド３３からの光により記録媒体９に仮定着する。その後、定着ヘッド３５からの光により、各色成分の画像の記録媒体９への定着、すなわち、各色成分のインクの硬化が行われる。そして、巻取部６２にて対象部位が巻き取られ、対象部位に対する画像形成が完了する。
【００５４】
このように、画像記録装置１では、出力制御部４１により移動機構２と記録ユニット３とが制御されることにより、記録媒体９を記録ユニット３に対して上記移動方向に１回だけ相対的に移動させて記録媒体９に画像が記録される。換言すれば、画像記録装置１では、記録媒体９に対するシングルパス印刷が行われる。これにより、短時間にて画像形成を行うことができる。ここで、ブラックを第１の色、シアンを第２の色、マゼンタを第３の色、イエローを第４の色と呼ぶと、記録ユニット３の４つの吐出ヘッド３２は、（−Ｙ）側から順に、第１の色のドットを記録する第１吐出部、第２の色のドットを記録する第２吐出部、第３の色のドットを記録する第３吐出部、および、第４の色のドットを記録する第４吐出部である。
【００５５】
制御ユニット４は、各種演算処理を行うＣＰＵ、基本プログラムを記憶するＲＯＭ、および、各種情報を記憶するＲＡＭをバスラインに接続した一般的なコンピュータシステムの構成となっている。図３は、制御ユニット４の機能を示すブロック図である。図３では、制御ユニット４に接続される画像記録装置１の構成の一部を併せて示す。制御ユニット４は、上述の出力制御部４１と、各種演算を行う演算部４２とを備える。
【００５６】
演算部４２は、複数の色成分の画像を含む多階調のカラー画像に対して、記録ユニット３から記録媒体９に付与されるインクの総量を抑制する画像処理（以下、「インク抑制処理」という。）を行って、色成分毎のハーフトーン画像データを含む処理済みデータを生成する画像処理部である。記録媒体９への画像記録の際の出力制御部４１による上述の制御は、当該処理済みデータに基づいて行われる。
【００５７】
演算部４２は、画像メモリ４２１と、複数のマトリクス記憶部４２２（ＳＰＭ（Ｓｃｒｅｅｎ  Ｐａｔｔｅｒｎ  Ｍｅｍｏｒｙ）とも呼ばれる。）と、画像データ生成部４２３（ハーフトーン化回路）と、色成分画像生成部４２４とを備える。色成分画像生成部４２４は、外部から入力される多階調のカラー画像にグレイ置換（ＧＣＲ：Ｇｒａｙ  Ｃｏｍｐｏｎｅｎｔ  Ｒｅｐｌａｃｅｍｅｎｔ）を行いつつ分版処理を施す。グレイ置換とは、上記複数の色成分にブラックが含まれる場合に行われる処理であり、カラー画像においてシアン、マゼンタおよびイエロー等のドットを重ねて表現されるグレイの部分を、ブラックのインクの濃淡で表現する処理である。換言すれば、グレイ置換とは、カラー画像のグレイ領域を、上記複数の色成分のインクによる表現からブラックのインクの濃淡による表現に変更する処理である。これにより、グレイの部分に付与されるシアン、マゼンタおよびイエローのインク量を低減することができる。画像記録装置１では、当該グレイ置換が、画像処理部である演算部４２によるカラー画像への上記インク抑制処理に含まれる。
【００５８】
色成分画像生成部４２４では、当該カラー画像の複数の色成分のうち、第１の色成分であるブラックの階調画像、第２の色成分であるシアンの階調画像、第３の色成分であるマゼンタの階調画像、および、第４の色成分であるイエローの階調画像が生成される。以下の説明では、色成分画像生成部４２４により生成されるブラック、シアン、マゼンタおよびイエローの階調画像をそれぞれ、「第１色成分画像」、「第２色成分画像」、「第３色成分画像」および「第４色成分画像」と呼ぶ。また、第１ないし第４色成分画像をまとめて「色成分画像」と呼ぶ。
【００５９】
第１ないし第４色成分画像のデータ（以下、まとめて「色成分画像データ」ともいう。）は、画像メモリ４２１に記憶される。複数のマトリクス記憶部４２２は、第１ないし第４の色成分に対応する閾値マトリクスがそれぞれ記憶されるメモリである。
【００６０】
各マトリクス記憶部４２２には、大ドット用の閾値マトリクスである大ドット用マトリクス８１１と、中ドット用の閾値マトリクスである中ドット用マトリクス８１２と、小ドット用の閾値マトリクスである小ドット用マトリクス８１３とが記憶される。大ドット用マトリクス８１１、中ドット用マトリクス８１２および小ドット用マトリクス８１３はそれぞれ、不規則に配置されるドットの個数を変更することにより階調を表現するＦＭ（Ｆｒｅｑｕｅｎｃｙ  Ｍｏｄｕｌａｔｅｄ）スクリーニングに用いられる閾値マトリクスである。
【００６１】
図３では１つのマトリクス記憶部４２２に記憶される大ドット用マトリクス８１１、中ドット用マトリクス８１２および小ドット用マトリクス８１３を図示しているが、他の色成分のマトリクス記憶部４２２にもそれぞれ、大ドット用マトリクス８１１、中ドット用マトリクス８１２および小ドット用マトリクス８１３が記憶される。以下の説明では、大ドット用マトリクス８１１、中ドット用マトリクス８１２および小ドット用マトリクス８１３の３つの閾値マトリクスをまとめて「マトリクスセット」とも呼ぶ。当該３つの閾値マトリクスの同じ位置では、大ドット用マトリクス８１１の閾値が最も大きく、小ドット用マトリクス８１３の閾値が最も小さい。また、中ドット用マトリクス８１２の閾値は、大ドット用マトリクス８１１および小ドット用マトリクス８１３の両閾値の間の値である。
【００６２】
図４は、マトリクスセットの特性を示す図である。図４では、一様な階調値の画像を画像記録装置１にて記録する場合の各色成分のインクの吐出率を縦軸に示しており、横軸は各色成分の画像の階調値を示している。上述の吐出率とは、記録媒体９上の単位領域においてインクのドットが付与可能な位置として定義されている記録位置の個数を基準個数として、単位領域に対して一の吐出ヘッド３２から実際に吐出されて付与されるドットの個数の基準個数に対する割合を示す値である。
【００６３】
図４では、大サイズのインクの微小液滴の吐出率を符号Ａ１を付す実線にて示す。以下の説明では、大サイズ、中サイズおよび小サイズのインクの微小液滴の吐出率をそれぞれ「大ドットの吐出率」、「中ドットの吐出率」および「小ドットの吐出率」という。図４では、大ドットの吐出率と中ドットの吐出率との和を、符号Ａ２を付す一点鎖線にて示し、全サイズのインクの微小液滴の吐出率である合計吐出率を符号Ａ３を付す破線にて示す。
【００６４】
大ドット用マトリクス８１１の閾値の範囲は１２８〜２５４であり、中ドット用マトリクス８１２の閾値の範囲は６４〜１９１であり、小ドット用マトリクス８１３の閾値の範囲は０〜１２７である。既述のように、マトリクスセットの３つの閾値マトリクスにおいて互いに対応する位置では、小ドット用マトリクス８１３の閾値よりも中ドット用マトリクス８１２の閾値の方が大きく、中ドット用マトリクス８１２の閾値よりも大ドット用マトリクス８１１の閾値の方が大きい。そして、１つの位置に大ドットが形成されると、小ドットおよび中ドットは入力画素値が閾値を上回っても描画されず、１つの位置に中ドットが形成されると、小ドットは入力画素値が閾値を上回っても描画されない。
【００６５】
図４に示すように、画像の階調値が０から６４まで増加するに従って、小ドットのみによる吐出率が、破線Ａ３にて示すように０％から５０％まで線形に増加する。階調値が６４から１２８まで増加する際には、合計吐出率は、破線Ａ３にて示すように５０％から１００％まで線形に増加し、中ドットの吐出率は一点鎖線Ａ２にて示すように０％から５０％まで線形に増加する。破線Ａ３と一点鎖線Ａ２との差は、小ドットの吐出率に相当し、小ドットの吐出率は、階調値の増加にかかわらず一定である。
【００６６】
階調値が１２８から１９２まで増加する際には、合計吐出率は、破線Ａ３にて示すように１００％のままであり、大ドットの吐出率と中ドットの吐出率との和は、一点鎖線Ａ２にて示すように５０％から１００％まで線形に増加し、大ドットの吐出率は、実線Ａ１にて示すように０％から５０％まで線形に増加する。破線Ａ３と一点鎖線Ａ２との差は、小ドットの吐出率に相当し、小ドットの吐出率は、階調値の増加に従って減少する。一点鎖線Ａ２と実線Ａ１との差は、中ドットの吐出率に相当し、中ドットの吐出率は、階調値の増加にかかわらず一定である。
【００６７】
階調値が１９２から２５５まで増加する際には、合計吐出率は１００％のままであり、大ドットの吐出率と中ドットの吐出率との和も、一点鎖線Ａ２にて示すように１００％のままである。また、大ドットの吐出率は、実線Ａ１にて示すように５０％から１００％まで線形に増加する。一点鎖線Ａ２と実線Ａ１との差は、中ドットの吐出率に相当し、中ドットの吐出率は、階調値の増加に従って減少する。小ドットの吐出率は０％であり、小サイズのインクの微小液滴は吐出されない。
【００６８】
マトリクスセットの各ドットサイズに対応する閾値マトリクスが生成される際には、例えば、特開２００８−１９９１５４号公報に開示された方法にて元となる閾値マトリクスが作成され、閾値の範囲を必要に応じて狭めるとともに最小閾値がそのサイズのドットの出現階調値に合うように各閾値にオフセット値が加えられる。
【００６９】
図３に示す画像データ生成部４２３は、色成分画像データと閾値マトリクスとを色成分毎に比較してハーフトーン画像データを生成する比較部である。画像データ生成部４２３は、第１色成分画像と第１の色成分に対応する閾値マトリクスとを比較する第１ハーフトーン画像データ生成部４２５、第２色成分画像と第２の色成分に対応する閾値マトリクスとを比較する第２ハーフトーン画像データ生成部４２６、第３色成分画像と第３の色成分に対応する閾値マトリクスとを比較する第３ハーフトーン画像データ生成部４２７、および、第４色成分画像と第４の色成分に対応する閾値マトリクスとを比較する第４ハーフトーン画像データ生成部４２８を備える。なお、画像データ生成部４２３はソフトウェアにて実現されてもよい。
【００７０】
出力制御部４１は、記録制御部４１１と、移動制御部４１２とを備える。移動制御部４１２は、画像データ生成部４２３からの出力に基づいて、移動機構２による記録媒体９の記録ユニット３に対する相対移動を制御する。記録制御部４１１は、画像データ生成部４２３からの出力に基づいて、記録媒体９の相対移動に同期して各吐出ヘッド３２の複数の吐出口からのインクの吐出と、各仮定着ヘッド３３および定着ヘッド３５からの光の照射とを制御する。
【００７１】
次に、画像記録装置１が画像を記録する動作について、図５．Ａおよび図５．Ｂを参照しつつ説明する。画像記録装置１では、第１ないし第４色成分画像の網掛け処理に利用される４つのマトリクスセットが、図３に示す演算部４２の４つのマトリクス記憶部４２２にそれぞれ記憶される。また、外部のコンピュータから多階調のカラー画像のデータが色成分画像生成部４２４に入力される。当該カラー画像の各色成分の階調値（すなわち、各色成分画像の各画素が取り得る画素値）は、０から２５５である。階調値０は、画像濃度０％に対応し、インクのドットが形成されないことにより表現される。階調値２５５は、画像濃度１００％（ベタ）に対応し、インクの大ドットにて表現される。すなわち、画像記録装置１では、画像濃度１００％に対応する各色成分のインクの液滴の量は、９ｐｌである。
【００７２】
以下、カラー画像が第１の色相のチント画像である場合と、カラー画像が第２の色相のチント画像である場合とについて順に説明する。第１の色相は青紫色である。第２の色相は赤紫色である。Ｌ＊ａ＊ｂ＊表色系にて表現すると、第１の色相の色度は「ａ＊＞０」かつ「−１００≦ｂ＊≦−５０」の範囲に含まれ、第２の色相の色度は「ａ＊＞０」かつ「−５０＜ｂ＊＜０」の範囲に含まれる。Ｌ＊ａ＊ｂ＊表色系の色度「ａ＊」に関しては、プラス方向が赤方向を表し、マイナス方向は緑方向を表す。また、色度「ｂ＊」に関しては、プラス方向が黄方向を表し、マイナス方向は青方向を表す。また、ａ＊およびｂ＊の範囲はそれぞれ、−１００以上１００以下である。
【００７３】
第１の色相の上記カラー画像を記録する際には、まず、色成分画像生成部４２４により、第１の色相のカラー画像にグレイ置換を行いつつ分版処理が施される。これにより、階調値１５３（画像濃度６０％）のブラックの階調画像、階調値２５５（画像濃度１００％）のシアンの階調画像、階調値１２８（画像濃度５０％）のマゼンタの階調画像、および、階調値０（画像濃度０％）のイエローの階調画像が生成される（ステップＳ１１）。第１の色相は、青方向の色味が赤方向の色味に比べて強い色相である。色成分画像生成部４２４により生成された各色成分画像は、画像メモリ４２１に格納される。
【００７４】
続いて、第１ハーフトーン画像データ生成部４２５において、第１色成分画像であるブラックの階調画像の各画素の画素値（本実施の形態では、１５３）と、ブラックに対応するマトリクスセットの閾値とが比較される。これにより、ブラックの階調画像に網掛け処理が行われ（すなわち、ブラックの階調画像がハーフトーン化され）、ブラックの画像の記録に用いられる第１ハーフトーン画像データが生成される（ステップＳ１２）。
【００７５】
ここで、階調画像のハーフトーン化（網点化）について説明する。図６は、階調画像および閾値マトリクスを抽象的に示す図である。図６ではマトリクスセットの１つの閾値マトリクスを符号８１にて示している。閾値マトリクス８１では、記録媒体９の幅方向に対応する行方向（図６中にてｘ方向として示す。）、および、移動方向に対応する列方向（図６中にてｙ方向として示す。）に複数の要素が配列されており、階調画像７０においても行方向および列方向に複数の画素が配列されている。
【００７６】
階調画像７０のハーフトーン化の際には、階調画像７０を、図６に示すように、同一の大きさの多数の領域に分割してハーフトーン化の単位となる繰り返し領域７１が設定される。図３に示すマトリクス記憶部４２２は１つの繰り返し領域７１に相当する記憶領域を有し、この記憶領域の各アドレス（座標）に閾値が設定されることにより閾値マトリクス８１を記憶している。そして、概念的には階調画像７０の各繰り返し領域７１と閾値マトリクス８１とを重ね合わせ、繰り返し領域７１の各画素の画素値と閾値マトリクス８１の対応する閾値とが比較される。画素値と閾値との比較は、３種類のドットサイズに対応する３つの閾値マトリクス（すなわち、大ドット用マトリクス８１１、中ドット用マトリクス８１２および小ドット用マトリクス８１３）に対して行われ、これにより記録媒体９上のその画素の位置に描画を行うか否か、および、描画されるドットのサイズが決定される。
【００７７】
実際の動作では、図３の画像データ生成部４２３が有するアドレス発生器からのアドレス信号に基づいて画像メモリ４２１から階調画像７０の１つの画素の画素値が読み出される。一方、アドレス発生器では当該画素に対応する繰り返し領域７１中の位置を示すアドレス信号も生成され、大ドット用マトリクス８１１、中ドット用マトリクス８１２および小ドット用マトリクス８１３の３つの閾値が特定されてマトリクス記憶部４２２から読み出される。そして、上記画素値と３つの閾値とが画像データ生成部４２３にて比較されることにより、出力画像の領域であるハーフトーン画像領域においてマトリクス状に配列された複数の画素位置（すなわち、複数の描画位置）にそれぞれ形成される複数のドットのサイズが順次決定される。
【００７８】
具体的には、階調画像７０の各画素の画素値（以下、「入力画素値」という。）と、ハーフトーン画像領域の各画素に対応する画素位置における大ドット用マトリクス８１１の閾値とが比較され、入力画素値が閾値よりも大きい場合には、当該画素位置に値「３」が付与される。以下、ハーフトーン画像領域における値を「ハーフトーン画素値」という。入力画素値が大ドット用マトリクス８１１の閾値以下の場合には、入力画素値と中ドット用マトリクス８１２の閾値とが比較される。入力画素値が中ドット用マトリクス８１２の閾値よりも大きい場合には、上記画素位置にハーフトーン画素値「２」が付与される。入力画素値が中ドット用マトリクス８１２の閾値以下の場合には、入力画素値と小ドット用マトリクス８１３の閾値とが比較される。入力画素値が小ドット用マトリクス８１３の閾値よりも大きい場合には、上記画素位置にハーフトーン画素値「１」が付与され、閾値以下の場合にはハーフトーン画素値「０」が付与される。
【００７９】
図７は、ハーフトーン画像が生成される領域であるハーフトーン画像領域７５を簡略化して示す概念図である。図７では、ハーフトーン画像領域７５を、縦方向に４つの画素位置７５１が配列され、横方向に４つの画素位置７５１が配列された正方形の領域として示す。図７では、ハーフトーン画像領域７５には１６個の画素位置７５１が含まれるが、実際には、ハーフトーン画像領域７５にはもっと多数の画素位置が含まれる。図７において、各画素位置７５１に記載された数値は、第１ハーフトーン画像データのハーフトーン画素値を示す。
【００８０】
後述するように、ハーフトーン画素値が「３」であるハーフトーン画像領域７５の画素位置７５１（すなわち、記録媒体９上のドット記録位置）には、大サイズのインクの微小液滴が吐出されて大ドットが形成される。また、ハーフトーン画素値が「２」である画素位置７５１には、中サイズのインクの微小液滴が吐出されて中ドットが形成され、ハーフトーン画素値が「１」である画素位置７５１には、小サイズのインクの微小液滴が吐出されて小ドットが形成される。ハーフトーン画素値が「０」である画素位置７５１には、ドットは形成されない。換言すれば、当該画素位置７５１のドットサイズは、ゼロサイズとなる。
【００８１】
このように、ステップＳ１２において、第１ハーフトーン画像データ生成部４２５により生成される第１ハーフトーン画像データは、ブラックについて、ハーフトーン画像領域７５の複数の画素位置７５１にそれぞれ形成される複数のドットのサイズを示す単色ハーフトーン画像データである。換言すれば、第１ハーフトーン画像データ生成部４２５は、ブラックの単色ハーフトーン画像データを生成する単色ハーフトーン画像データ生成部である。ブラックのドットのサイズを「第１ドットサイズ」と呼ぶと、第１ドットサイズは、最大サイズである大サイズ、最大サイズよりも小さい中間サイズである中サイズおよび小サイズ、並びに、ゼロサイズのいずれかである。
【００８２】
ステップＳ１２が終了すると、図３に示す第２ハーフトーン画像データ生成部４２６により、第１ハーフトーン画像データを参照しつつ、第２色成分画像であるシアンの階調画像の各画素の画素値（本実施の形態では、２５５）と、シアンに対応するマトリクスセットの閾値とが比較される。これにより、シアンの階調画像に網掛け処理が行われ（すなわち、シアンの階調画像がハーフトーン化され）、第２ハーフトーン画像データが生成される（ステップＳ１３）。第２ハーフトーン画像データは、シアンについて、ハーフトーン画像領域の複数の画素位置にそれぞれ形成される複数のドットのサイズを示す単色ハーフトーン画像データである。シアンのドットのサイズを「第２ドットサイズ」と呼ぶと、第２ドットサイズは、第１ドットサイズと同様に、最大サイズである大サイズ、最大サイズよりも小さい中間サイズである中サイズおよび小サイズ、並びに、ゼロサイズのいずれかである。
【００８３】
図８は、第２ハーフトーン画像データ生成部４２６の機能を示すブロック図である。図９．Ａおよび図９．Ｂは、ステップＳ１３の詳細な流れを示す図である。図８に示すように、第２ハーフトーン画像データ生成部４２６は、画素値記憶部４６１と、仮サイズ決定部４６２と、ドットサイズ積算部４６３と、サイズ決定部４６４と、画素値変更部４６５と、繰り返し制御部４６６と、第１閾値ドットサイズ記憶部４６７とを備える。
【００８４】
第１閾値ドットサイズ記憶部４６７は、第２ハーフトーン画像データの生成に係る第１閾値ドットサイズを記憶する。第１閾値ドットサイズは、１つの画素に記録されるブラックのインクのドットサイズとシアンのインクのドットサイズの合計の上限値を示す。画像記録装置１では、第１閾値ドットサイズは、大ドットと小ドットとの和に対応するサイズであり、当該サイズに対応するインク量およびハーフトーン画素値はそれぞれ、１２ｐｌおよび「４」である。第１閾値ドットサイズは、中ドットと中ドットとの和に対応するサイズでもある。
【００８５】
第２ハーフトーン画像データ生成部４２６では、画像メモリ４２１からシアンの階調画像が読み込まれ、各画素の画素値が画素値記憶部４６１に記憶される（ステップＳ１３１）。続いて、シアンの階調画像において、一の画素が注目画素として選択される（ステップＳ１３２）。本実施の形態では、図７に示すハーフトーン画像領域７５の左上の角部の画素位置７５１に対応する画素が注目画素として選択される。次に、仮サイズ決定部４６２により、注目画素に対して上述と同様の網掛け処理が行われ、ハーフトーン画像領域７５の注目画素に対応する画素位置７５１（以下、「注目画素位置７５１」という。）に形成されるシアンのドットのサイズが仮決定される（ステップＳ１３３）。
【００８６】
具体的には、注目画素の画素値と、ハーフトーン画像領域７５の注目画素位置７５１におけるシアン用の大ドット用マトリクス８１１の閾値とが比較され、注目画素の画素値が閾値よりも大きい場合には、注目画素位置７５１にハーフトーン画素値「３」が仮付与される。すなわち、注目画素位置７５１に形成されるシアンのドットサイズが、大サイズに仮決定される。注目画素の画素値が大ドット用マトリクス８１１の閾値以下の場合には、注目画素の画素値とシアン用の中ドット用マトリクス８１２の閾値とが比較される。注目画素の画素値が中ドット用マトリクス８１２の閾値よりも大きい場合には、注目画素位置７５１にハーフトーン画素値「２」が仮付与され、注目画素位置７５１に形成されるシアンのドットサイズが、中サイズに仮決定される。
【００８７】
注目画素の画素値が中ドット用マトリクス８１２の閾値以下の場合には、注目画素の画素値とシアン用の小ドット用マトリクス８１３の閾値とが比較される。注目画素の画素値が小ドット用マトリクス８１３の閾値よりも大きい場合には、注目画素位置７５１にハーフトーン画素値「１」が仮付与され、注目画素位置７５１に形成されるシアンのドットサイズが、小サイズに仮決定される。注目画素の画素値が小ドット用マトリクス８１３の閾値以下の場合には、注目画素位置７５１にハーフトーン画素値「０」が仮付与され、注目画素位置７５１のシアンのドットサイズが、ゼロサイズに仮決定される。
【００８８】
ドットサイズの仮決定が終了すると、ドットサイズ積算部４６３により、ハーフトーン画像領域７５の注目画素位置７５１に形成されるブラックのドットのサイズである第１ドットサイズが、第１ハーフトーン画像データ生成部４２５から取得される。図７に示すように、注目画素位置７５１のブラックのハーフトーン画素値は「３」であり、第１ドットサイズは大サイズである。続いて、注目画素位置７５１についてステップＳ１３３にて仮決定されたシアンのドットのサイズである第２ドット仮サイズと、上記第１ドットサイズとの合計である合計ドットサイズが求められる（ステップＳ１３４）。
【００８９】
そして、サイズ決定部４６４により、合計ドットサイズと、第１閾値ドットサイズ記憶部４６７に予め記憶されている第１閾値ドットサイズが比較される（ステップＳ１３５）。具体的には、第１閾値ドットサイズに対応するインク量（１２ｐｌ）と、合計ドットサイズに対応するインク量とが比較され、合計ドットサイズに対応するインク量が１２ｐｌ以下の場合、合計ドットサイズが第１閾値ドットサイズ以下であると判断される。また、合計ドットサイズに対応するインク量が１２ｐｌよりも大きい場合、合計ドットサイズが第１閾値ドットサイズよりも大きいと判断される。
【００９０】
合計ドットサイズと第１閾値ドットサイズとの比較は、第１閾値ドットサイズに対応するハーフトーン画素値（４）と、合計ドットサイズに対応するハーフトーン画素値（すなわち、注目画素位置７５１におけるブラックおよびシアンのハーフトーン画素値の合計）との比較により行われてもよい。この場合、合計ドットサイズに対応するハーフトーン画素値が「４」以下であれば、合計ドットサイズが第１閾値ドットサイズ以下であると判断され、合計ドットサイズに対応するハーフトーン画素値が「４」よりも大きいと、合計ドットサイズが第１閾値ドットサイズよりも大きいと判断される。
【００９１】
第２ドット仮サイズがゼロサイズ（対応するインク量：０ｐｌ）である場合、合計ドットサイズは、大サイズとゼロサイズとの和に対応するサイズであり、合計ドットサイズに対応するインク量は９ｐｌである。したがって、合計ドットサイズは、第１閾値ドットサイズ以下であると判断され、注目画素位置７５１に形成されるシアンのドットのサイズである第２ドットサイズが、サイズ決定部４６４により、第２ドット仮サイズに等しいサイズ、すなわち、ゼロサイズに決定される（ステップＳ１３６）。注目画素位置７５１には、シアンのハーフトーン画素値として「０」が付与される。
【００９２】
また、第２ドット仮サイズが小サイズ（対応するインク量：３ｐｌ）である場合、合計ドットサイズは、大サイズと小サイズとの和に対応するサイズであり、合計ドットサイズに対応するインク量は１２ｐｌである。したがって、合計ドットサイズは、上記と同様に第１閾値ドットサイズ以下であると判断され、サイズ決定部４６４により、第２ドットサイズが、第２ドット仮サイズに等しいサイズである小サイズに決定される（ステップＳ１３６）。注目画素位置７５１には、シアンのハーフトーン画素値として「１」が付与される。
【００９３】
一方、第２ドット仮サイズが中サイズ（対応するインク量：６ｐｌ）である場合、合計ドットサイズは、大サイズと中サイズとの和に対応するサイズであり、合計ドットサイズに対応するインク量は１５ｐｌである。したがって、合計ドットサイズは、第１閾値ドットサイズよりも大きいと判断される。そして、サイズ決定部４６４により、第２ドットサイズが、第１閾値ドットサイズと第１ドットサイズとの差以下の範囲で最も大きいドットサイズ、すなわち、小サイズに決定される（ステップＳ１３７）。ドットサイズに対応するインク量で説明すると、第２ドットサイズは、第１閾値ドットサイズに対応するインク量（１２ｐｌ）と第１ドットサイズに対応するインク量（９ｐｌ）との差（３ｐｌ）以下の範囲で最も大きいドットサイズである小サイズに決定される。注目画素位置７５１には、シアンのハーフトーン画素値として「１」が付与される。
【００９４】
また、第２ドット仮サイズが大サイズ（対応するインク量：９ｐｌ）である場合、合計ドットサイズは、大サイズと大サイズとの和に対応するサイズであり、合計ドットサイズに対応するインク量は１８ｐｌである。したがって、合計ドットサイズは、上記と同様に第１閾値ドットサイズよりも大きいと判断され、サイズ決定部４６４により、第２ドットサイズが、第１閾値ドットサイズと第１ドットサイズとの差以下の範囲で最も大きいドットサイズである小サイズに決定される（ステップＳ１３７）。注目画素位置７５１には、シアンのハーフトーン画素値として「１」が付与される。
【００９５】
ステップＳ１３５において合計ドットサイズが、第１閾値ドットサイズよりも大きいと判断された場合、ステップＳ１３７に続いて、画素値変更部４６５が、画素値記憶部４６１に記憶されているシアンの階調画像にアクセスする。そして、画素値変更部４６５により、シアンの階調画像において、注目画素の周囲の画素位置７５１のうち第２ドットサイズが未決定の１つ以上の画素位置７５１に位置する画素（以下、「周辺画素群」という。）の画素値が、注目画素の画素値、および、注目画素位置７５１における第２ドット仮サイズと第２ドットサイズとの差に基づいて変更される（ステップＳ１３８）。
【００９６】
図１０は、周辺画素群の画素値の変更の様子を示す図である。図１０では、階調画像７０１の注目画素７０２に平行斜線を付し、周辺画素群に含まれる画素７０３（以下、「周辺画素７０３」という。）にも、注目画素７０２とは異なる平行斜線を付す。周辺画素群に含まれる周辺画素７０３は、注目画素７０２と所定の位置関係を有する画素であり、本実施の形態では、周辺画素群は、注目画素７０２の右側および下側に隣接する２つの周辺画素７０３を含む。ステップＳ１３８では、第２ドット仮サイズと第２ドットサイズとの差を第２ドット仮サイズで除算した値を、注目画素７０２の画素値に対して積算し、積算結果を周辺画素群に含まれる周辺画素７０３に均等に分配して加算することにより、周辺画素群の画素値が変更される。
【００９７】
例えば、第２ドット仮サイズが中サイズである場合、ステップＳ１３７にて決定された第２ドットサイズは小サイズであるため、第２ドット仮サイズと第２ドットサイズとの差に対応するインク量は、６−３＝３ｐｌである。また、注目画素の画素値は、上述のように２０４である。そこで、図１０に白抜き矢印にて示すように、２０４×（６−３）／６＝１０２の画素値を周辺画素群に含まれる２つの周辺画素７０３に均等に分配し、各周辺画素７０３に画素値５１が加算されて画素値が２５５となる。
【００９８】
一方、第２ドット仮サイズが大サイズである場合、ステップＳ１３７にて決定された第２ドットサイズは小サイズであるため、第２ドット仮サイズと第２ドットサイズとの差に対応するインク量は、９−３＝６ｐｌである。そこで、２０４×（９−３）／９＝１３６の画素値を周辺画素群に含まれる２つの周辺画素７０３に均等に分配し、各周辺画素７０３に画素値６８が加算されて画素値が２７２となる。ステップＳ１３８では、画素値の加算により周辺画素７０３の画素値が２５５よりも大きくなる場合、周辺画素７０３の画素値は２５５に変更される。
【００９９】
第２ドットサイズが決定され、必要に応じて周辺画素群の画素値の変更が行われると、複数の画素位置７５１について予め定められた処理順序（後述）に従って、注目画素が次の画素に変更される（ステップＳ１３９，Ｓ１４０）。そして、ステップＳ１３３に戻り、新たな注目画素について、ステップＳ１３３〜Ｓ１３８の処理が行われる。図１１は、上記処理順序を示す図である。画像記録装置１では、図１１中の各画素位置７５１において括弧内に示される番号の小さい順にステップＳ１３３〜Ｓ１３８の処理が行われる。図１１に示すように、ステップＳ１３３〜Ｓ１３８の処理は、ハーフトーン画像領域７５の横方向の画素位置７５１の列において、一方の端部の画素位置７５１から他方の端部の画素位置７５１へと順次行われる。ステップＳ１３３〜Ｓ１３８の処理は、ハーフトーン画像領域７５の縦方向の画素位置７５１の列において、一方の端部の画素位置７５１から他方の端部の画素位置７５１へと順次行われてもよい。
【０１００】
画像記録装置１では、図８に示す繰り返し制御部４６６による制御により、シアンの階調画像の全ての画素に対応する画素位置７５１について第２ドットサイズが決定されるまで、ステップＳ１３３〜Ｓ１４０が繰り返される。これにより、シアンの画像の記録に利用される単色ハーフトーン画像データである第２ハーフトーン画像データが生成される。第２ハーフトーン画像データ生成部４２６は、シアンの単色ハーフトーン画像データを生成する単色ハーフトーン画像データ生成部である。
【０１０１】
上述の説明では、注目画素位置７５１の第１ドットサイズが大サイズである場合について述べたが、以下、他の場合についても説明する。例えば、注目画素位置７５１の第１ドットサイズが中サイズである場合、第２ドット仮サイズがゼロサイズ、小サイズまたは中サイズであれば、合計ドットサイズは第１閾値ドットサイズ以下となるため、第２ドットサイズは第２ドット仮サイズに等しいサイズに決定される。一方、第２ドット仮サイズが大サイズであれば、第２ドットサイズは、第１閾値ドットサイズと第１ドットサイズとの差以下の範囲で最も大きいドットサイズである中サイズに決定される。また、注目画素位置７５１の第１ドットサイズが小サイズまたはゼロサイズである場合、第２ドットサイズは、常に第２ドット仮サイズに等しいサイズに決定される。
【０１０２】
第２ハーフトーン画像データの生成が終了すると、図３に示す第３ハーフトーン画像データ生成部４２７により、第１ハーフトーン画像データおよび第２ハーフトーン画像データを参照しつつ、第３色成分画像であるマゼンタの階調画像の各画素の画素値（本実施の形態では、１２８）と、マゼンタに対応するマトリクスセットの閾値とが比較される。これにより、マゼンタの階調画像に網掛け処理が行われ（すなわち、マゼンタの階調画像がハーフトーン化され）、第３ハーフトーン画像データが生成される（ステップＳ１４）。第３ハーフトーン画像データは、上述の対象色成分であるマゼンタについて、ハーフトーン画像領域の複数の画素位置にそれぞれ形成される複数のドットのサイズを示す単色ハーフトーン画像データである。マゼンタのドットのサイズを「第３ドットサイズ」と呼ぶと、第３ドットサイズは、第１ドットサイズおよび第２ドットサイズと同様に、最大サイズである大サイズ、最大サイズよりも小さい中間サイズである中サイズおよび小サイズ、並びに、ゼロサイズのいずれかである。
【０１０３】
図１２は、第３ハーフトーン画像データ生成部４２７の機能を示すブロック図である。図１３．Ａおよび図１３．Ｂは、ステップＳ１４の詳細な流れを示す図である。図１２に示すように、第３ハーフトーン画像データ生成部４２７は、画素値記憶部４７１と、仮サイズ決定部４７２と、ドットサイズ積算部４７３と、サイズ決定部４７４と、画素値変更部４７５と、繰り返し制御部４７６と、第２閾値ドットサイズ記憶部４７７とを備える。
【０１０４】
第２閾値ドットサイズ記憶部４７７は、第３ハーフトーン画像データの生成に係る第２閾値ドットサイズを記憶する。第２閾値ドットサイズは、１つの画素に記録されるブラック、シアンおよびマゼンタのインクのドットサイズの合計の上限値を示す。第２閾値ドットサイズは、上述の第１閾値ドットサイズとは異なる他の閾値ドットサイズであり、第１閾値ドットサイズよりも大きい、または、第１閾値ドットサイズに等しい。マゼンタに係る第２閾値ドットサイズは、後述するように、閾値ドットサイズ決定部４７８により、ハーフトーン画像領域の複数の画素位置に対してそれぞれ決定される。
【０１０５】
第３ハーフトーン画像データ生成部４２７では、画像メモリ４２１からマゼンタの階調画像が読み込まれ、各画素の画素値が画素値記憶部４７１に記憶される（ステップＳ１４１）。続いて、マゼンタの階調画像において、ステップＳ１３２と同様に、一の画素が注目画素として選択される（ステップＳ１４２）。本実施の形態では、図７に示すハーフトーン画像領域７５の左上の角部の画素位置７５１に対応する画素が注目画素として選択される。
【０１０６】
次に、閾値ドットサイズ決定部４７８により、グレイ置換後のカラー画像において、注目画素の色相が求められる（ステップＳ１４３）。上述のように、当該カラー画像は第１の色相のチント画像であるため、注目画素の色相の色度は、「ａ＊＞０」かつ「−１００≦ｂ＊≦−５０」の範囲に含まれる。
【０１０７】
閾値ドットサイズ決定部４７８では、注目画素の色相が第１の色相範囲内に含まれる場合、注目画素に対応する注目画素位置７５１の第２閾値ドットサイズは、予め定められた基準閾値ドットサイズに決定される（ステップＳ１４４，Ｓ１４５）。一方、注目画素の色相が、上記第１の色相範囲よりも対象色成分であるマゼンタの色味が強い（すなわち、赤方向の色味が強い）第２の色相範囲内に含まれる場合、注目画素に対応する注目画素位置７５１の第２閾値ドットサイズは、予め定められた補正閾値ドットサイズに決定される（ステップＳ１４４，Ｓ１４６）。第１の色相範囲は、第２の色相範囲を除く全ての色相範囲である。また、補正閾値ドットサイズは、基準閾値ドットサイズよりも大きい。閾値ドットサイズ決定部４７８により決定された第２閾値ドットサイズは、第２閾値ドットサイズ記憶部４７７に記憶される。
【０１０８】
画像記録装置１では、上述の第１の色相範囲は、例えば、色度が「ａ＊≦０」、「ｂ＊≦−５０」および「５０≦ｂ＊」のうち１つ以上の条件を満たす範囲である。この場合、第２の色相範囲は、色度が「ａ＊＞０」かつ「−５０＜ｂ＊＜５０」を満たす範囲である。上述のように、注目画素の色相の色度は、「ａ＊＞０」かつ「−１００≦ｂ＊≦−５０」の範囲に含まれるため、注目画素の色相は第１の色相範囲内に含まれる。したがって、注目画素位置７５１の第２閾値ドットサイズは、基準閾値ドットサイズに決定される。
【０１０９】
画像記録装置１では、基準閾値ドットサイズは、大ドットと中ドットと小ドットとの合計に対応するサイズであり、当該サイズに対応するインク量およびハーフトーン画素値はそれぞれ、１８ｐｌおよび「６」である。基準閾値ドットサイズは、３つの中ドットの合計に対応するサイズでもあり、大ドットと大ドットとゼロドットとの合計に対応するサイズでもある。また、補正閾値ドットサイズは、大ドットと中ドットと中ドットとの合計に対応するサイズであり、当該サイズに対応するインク量およびハーフトーン画素値はそれぞれ、２１ｐｌおよび「７」である。補正閾値ドットサイズは、２つの大ドットと１つの小ドットとの合計に対応するサイズでもある。
【０１１０】
次に、仮サイズ決定部４７２により、マゼンタの画像において、注目画素に対してステップＳ１３３と同様の網掛け処理が行われ、ハーフトーン画像領域７５の注目画素に対応する注目画素位置７５１に形成されるマゼンタのドットのサイズが仮決定される（ステップＳ１４７）。
【０１１１】
具体的には、注目画素の画素値と、ハーフトーン画像領域７５の注目画素位置７５１におけるマゼンタ用の大ドット用マトリクス８１１の閾値とが比較され、注目画素の画素値が閾値よりも大きい場合には、注目画素位置７５１にハーフトーン画素値「３」が仮付与される。すなわち、注目画素位置７５１に形成されるマゼンタのドットサイズが、大サイズに仮決定される。注目画素の画素値が大ドット用マトリクス８１１の閾値以下の場合には、注目画素の画素値とマゼンタ用の中ドット用マトリクス８１２の閾値とが比較される。注目画素の画素値が中ドット用マトリクス８１２の閾値よりも大きい場合には、注目画素位置７５１にハーフトーン画素値「２」が仮付与され、注目画素位置７５１に形成されるマゼンタのドットサイズが、中サイズに仮決定される。
【０１１２】
注目画素の画素値が中ドット用マトリクス８１２の閾値以下の場合には、注目画素の画素値とマゼンタ用の小ドット用マトリクス８１３の閾値とが比較される。注目画素の画素値が小ドット用マトリクス８１３の閾値よりも大きい場合には、注目画素位置７５１にハーフトーン画素値「１」が仮付与され、注目画素位置７５１に形成されるマゼンタのドットサイズが、小サイズに仮決定される。注目画素の画素値が小ドット用マトリクス８１３の閾値以下の場合には、注目画素位置７５１にハーフトーン画素値「０」が仮付与され、注目画素位置７５１のマゼンタのドットサイズが、ゼロサイズに仮決定される。
【０１１３】
ドットサイズの仮決定が終了すると、ドットサイズ積算部４７３により、ハーフトーン画像領域７５の注目画素位置７５１に形成されるブラックのドットのサイズである第１ドットサイズ、および、注目画素位置７５１に形成されるシアンのドットのサイズである第２ドットサイズが、第１ハーフトーン画像データ生成部４２５および第２ハーフトーン画像データ生成部４２６から取得される。図７に示すように、注目画素位置７５１のブラックのハーフトーン画素値は「３」であり、第１ドットサイズは大サイズである。また、上述のように、第２ドットサイズは、小サイズまたはゼロサイズであり、以下、第２ドットサイズが小サイズであるものとして説明する。この場合、第１ドットサイズと第２ドットサイズとの合計に対応するインク量およびハーフトーン画素値は、１２ｐｌおよび「４」である。
【０１１４】
ドットサイズ積算部４７３では、上記第１ドットサイズおよび第２ドットサイズの合計（以下、「前合計ドットサイズ」という。）と、ステップＳ１４７にて仮決定されたマゼンタのドットのサイズ（すなわち、仮ドットサイズ）である第３ドット仮サイズとの合計である合計ドットサイズが求められる（ステップＳ１４８）。ステップＳ１４８にて求められる合計ドットサイズは、ステップＳ１３４にて求められる合計ドットサイズとは異なる他の合計ドットサイズである。以下の説明では、ステップＳ１３４にて求められる合計ドットサイズを「第１合計ドットサイズ」と呼び、ステップＳ１４８にて求められる合計ドットサイズを「第２合計ドットサイズ」と呼ぶ。
【０１１５】
そして、サイズ決定部４７４により、注目画素位置７５１の第２合計ドットサイズと、第２閾値ドットサイズ記憶部４７７に記憶されている注目画素位置７５１の第２閾値ドットサイズ（すなわち、基準閾値ドットサイズ）とが比較される（ステップＳ１４９）。具体的には、第２閾値ドットサイズに対応するインク量（１８ｐｌ）と、第２合計ドットサイズに対応するインク量とが比較され、第２合計ドットサイズに対応するインク量が１８ｐｌ以下の場合、第２合計ドットサイズが第２閾値ドットサイズ以下であると判断される。また、第２合計ドットサイズに対応するインク量が１８ｐｌよりも大きい場合、第２合計ドットサイズが第２閾値ドットサイズよりも大きいと判断される。
【０１１６】
第２合計ドットサイズと第２閾値ドットサイズとの比較は、第２閾値ドットサイズに対応するハーフトーン画素値（６）と、第２合計ドットサイズに対応するハーフトーン画素値（すなわち、注目画素位置７５１におけるブラック、シアンおよびマゼンタのハーフトーン画素値の合計）との比較により行われてもよい。この場合、第２合計ドットサイズに対応するハーフトーン画素値が「６」以下であれば、第２合計ドットサイズが第２閾値ドットサイズ以下であると判断され、第２合計ドットサイズに対応するハーフトーン画素値が「６」よりも大きいと、第２合計ドットサイズが第２閾値ドットサイズよりも大きいと判断される。
【０１１７】
第３ドット仮サイズがゼロサイズ（対応するインク量：０ｐｌ）である場合、第２合計ドットサイズは、第１ドットサイズである大サイズと、第２ドットサイズである小サイズと、第３ドット仮サイズであるゼロサイズとの合計に対応するサイズであり、合計ドットサイズに対応するインク量は１２ｐｌである。したがって、第２合計ドットサイズは、第２閾値ドットサイズ以下であると判断され、注目画素位置７５１に形成されるマゼンタのドットのサイズである第３ドットサイズが、サイズ決定部４７４により、第３ドット仮サイズに等しいサイズ、すなわち、ゼロサイズに決定される（ステップＳ１５０）。注目画素位置７５１には、マゼンタのハーフトーン画素値として「０」が付与される。
【０１１８】
また、第３ドット仮サイズが小サイズ（対応するインク量：３ｐｌ）である場合、第２合計ドットサイズは、大サイズと小サイズと小サイズとの合計に対応するサイズであり、第２合計ドットサイズに対応するインク量は１５ｐｌである。したがって、第２合計ドットサイズは、上記と同様に第２閾値ドットサイズ以下であると判断され、サイズ決定部４７４により、第３ドットサイズが、第３ドット仮サイズに等しいサイズである小サイズに決定される（ステップＳ１５０）。注目画素位置７５１には、マゼンタのハーフトーン画素値として「１」が付与される。
【０１１９】
第３ドット仮サイズが中サイズ（対応するインク量：６ｐｌ）である場合、第２合計ドットサイズは、大サイズと小サイズと中サイズとの合計に対応するサイズであり、第２合計ドットサイズに対応するインク量は１８ｐｌである。したがって、第２合計ドットサイズは、上記と同様に第２閾値ドットサイズ以下であると判断され、サイズ決定部４７４により、第３ドットサイズが、第３ドット仮サイズに等しいサイズである中サイズに決定される（ステップＳ１５０）。注目画素位置７５１には、マゼンタのハーフトーン画素値として「２」が付与される。
【０１２０】
一方、第３ドット仮サイズが大サイズである場合、第２合計ドットサイズは、大サイズと小サイズと大サイズとの合計に対応するサイズであり、第２合計ドットサイズに対応するインク量は２１ｐｌである。したがって、第２合計ドットサイズは、第２閾値ドットサイズよりも大きいと判断される。そして、サイズ決定部４７４により、第３ドットサイズが、第２閾値ドットサイズと、第１ドットサイズおよび第２ドットサイズの合計との差以下の範囲で最も大きいドットサイズ、すなわち、中サイズに決定される（ステップＳ１５１）。ドットサイズに対応するインク量で説明すると、第３ドットサイズは、第２閾値ドットサイズに対応するインク量（１８ｐｌ）と、第１ドットサイズおよび第２ドットサイズの合計に対応するインク量（１２ｐｌ）との差（６ｐｌ）以下の範囲で最も大きいドットサイズである中サイズに決定される。注目画素位置７５１には、マゼンタのハーフトーン画素値として「２」が付与される。
【０１２１】
ステップＳ１４９において第２合計ドットサイズが、第２閾値ドットサイズよりも大きいと判断された場合、ステップＳ１５１に続いて、画素値変更部４７５が、画素値記憶部４７１に記憶されるマゼンタの階調画像にアクセスする。そして、画素値変更部４７５により、マゼンタの階調画像において、注目画素の周囲の画素位置７５１のうち第３ドットサイズが未決定の１つ以上の画素位置７５１に位置する画素である周辺画素群の画素値が、注目画素の画素値、および、注目画素位置７５１における第３ドット仮サイズと第３ドットサイズとの差に基づいて変更される（ステップＳ１５２）。
【０１２２】
ステップＳ１５２では、ステップＳ１３８と同様に、第３ドット仮サイズと第３ドットサイズとの差を第３ドット仮サイズで除算した値を、注目画素７０２（図１０参照）の画素値に対して積算し、積算結果を周辺画素群に含まれる周辺画素７０３に均等に分配して加算することにより、周辺画素群の画素値が変更される。具体的には、第３ドット仮サイズが大サイズである場合、ステップＳ１５１にて決定された第３ドットサイズは中サイズであるため、第３ドット仮サイズと第３ドットサイズとの差に対応するインク量は、９−６＝３ｐｌである。また、注目画素の画素値は、上述のように１２８である。そこで、１２８×（９−６）／９≒４２の画素値を周辺画素群に含まれる２つの周辺画素７０３（図１０参照）に均等に分配し、各周辺画素７０３に画素値２１が加算されて画素値が１４９に変更される。
【０１２３】
第３ドットサイズが決定され、必要に応じて周辺画素群の画素値の変更が行われると、複数の画素位置７５１について予め定められた処理順序（図１１参照）に従って、注目画素が次の画素に変更される（ステップＳ１５３，Ｓ１５４）。そして、ステップＳ１４３に戻り、新たな注目画素について、ステップＳ１４３〜Ｓ１５２の処理が行われる。ステップＳ１４３〜Ｓ１５２の処理は、ステップＳ１３３〜Ｓ１３８と同様に、図１１に示すハーフトーン画像領域７５の横方向の画素位置７５１の列において、一方の端部の画素位置７５１から他方の端部の画素位置７５１へと順次行われる。ステップＳ１４３〜Ｓ１５２の処理は、ハーフトーン画像領域７５の縦方向の画素位置７５１の列において、一方の端部の画素位置７５１から他方の端部の画素位置７５１へと順次行われてもよい。
【０１２４】
画像記録装置１では、繰り返し制御部４７６による制御により、マゼンタの階調画像の全ての画素に対応する画素位置７５１について第３ドットサイズが決定されるまで、ステップＳ１４３〜Ｓ１５４が繰り返される。これにより、対象色成分であるマゼンタの画像の記録に利用される単色ハーフトーン画像データである第３ハーフトーン画像データが生成される。第３ハーフトーン画像データ生成部４２７は、対象色成分の単色ハーフトーン画像データを生成する対象色成分ハーフトーン画像データ生成部である。
【０１２５】
上述の説明では、注目画素位置７５１の第１ドットサイズおよび第２ドットサイズがそれぞれ大サイズおよび小サイズである場合について述べたが、以下、他の場合についても説明する。例えば、注目画素位置７５１の第１ドットサイズおよび第２ドットサイズがそれぞれ小サイズおよび大サイズである場合、または、注目画素位置７５１の第１ドットサイズおよび第２ドットサイズが共に中サイズである場合は、上述と同様に、第３ドット仮サイズがゼロサイズ、小サイズまたは中サイズであれば、第３ドットサイズは第３ドット仮サイズに等しいサイズに決定される。一方、第３ドット仮サイズが大サイズであれば、第３ドットサイズは、第２閾値ドットサイズと前合計ドットサイズ（すなわち、第１ドットサイズおよび第２ドットサイズの合計）との差以下の範囲で最も大きいドットサイズである中サイズに決定される。
【０１２６】
注目画素位置７５１の第１ドットサイズおよび第２ドットサイズの一方が大サイズであり、他方がゼロサイズである場合、第２合計ドットサイズは常に第２閾値ドットサイズ以下となるため、第３ドットサイズは、常に第３ドット仮サイズに等しいサイズに決定される。例えば、第３ドット仮サイズが大サイズであれば、第３ドットサイズも大サイズに決定される。第１ドットサイズおよび第２ドットサイズの一方が中サイズであり、他方が小サイズである場合、第１ドットサイズおよび第２ドットサイズが共に小サイズまたはゼロサイズである場合、および、第１ドットサイズおよび第２ドットサイズの一方が小サイズであり、他方がゼロサイズである場合も同様である。
【０１２７】
上述の説明では、第１閾値ドットサイズに対応するインク量およびハーフトーン画素値がそれぞれ１２ｐｌおよび「４」の場合について述べたが、以下、第１閾値ドットサイズが異なる場合についても説明する。まず、第１閾値ドットサイズに対応するインク量およびハーフトーン画素値がそれぞれ１５ｐｌおよび「５」である場合について説明する。このとき、注目画素位置７５１の第１ドットサイズおよび第２ドットサイズの一方が大サイズ（対応するインク量：９ｐｌ）であり、他方が中サイズ（対応するインク量：６ｐｌ）である場合、第３ドット仮サイズがゼロサイズ（対応するインク量：０ｐｌ）または小サイズ（対応するインク量：３ｐｌ）であれば、第３ドットサイズは第３ドット仮サイズに等しいサイズに決定される。一方、第３ドット仮サイズが中サイズまたは大サイズであれば、第３ドットサイズは、第２閾値ドットサイズ（対応するインク量：１８ｐｌ）と前合計ドットサイズ（対応するインク量：１５ｐｌ）との差以下の範囲で最も大きいドットサイズである小サイズに決定される。
【０１２８】
次に、第１閾値ドットサイズに対応するインク量およびハーフトーン画素値がそれぞれ１８ｐｌおよび「６」である場合について説明する。このとき、注目画素位置７５１の第１ドットサイズおよび第２ドットサイズが共に大サイズである場合、第３ドット仮サイズが大サイズ、中サイズまたは小サイズであれば、第２合計ドットサイズは第２閾値ドットサイズよりも大きくなるため、第３ドットサイズは、常にゼロサイズに決定される。
【０１２９】
第３ハーフトーン画像データの生成が終了すると、図３に示す第４ハーフトーン画像データ生成部４２８により、第４色成分画像であるイエローの階調画像の各画素の画素値と、イエローに対応するマトリクスセットの閾値とが比較される。これにより、ステップＳ１２におけるブラックの階調画像の網掛け処理と同様に、イエローの階調画像に網掛け処理が行われる（すなわち、イエローの階調画像がハーフトーン化される）。その結果、ハーフトーン画像領域の複数の画素位置に形成されるイエローの複数のドットのサイズを示す第４ハーフトーン画像データが生成される（ステップＳ１５）。本実施の形態では、上述のように、ステップＳ１１にて生成されたイエローの階調画像の階調値が０であるものとして説明しているため、ハーフトーン画像領域７５の全画素位置７５１におけるドットサイズはゼロサイズとなる。
【０１３０】
画像記録装置１では、このように、多階調のカラー画像に網掛け処理を行うことにより、当該カラー画像に含まれる複数の色成分の画像にそれぞれ対応する複数の単色ハーフトーン画像データの集合であるハーフトーン画像データが生成される。実際には、上記カラー画像のうち最初に印刷される部分のハーフトーン画像データが生成されて準備されると、出力制御部４１の移動制御部４１２により移動機構２が制御され、記録媒体９の移動方向への移動が開始される（ステップＳ１６）。
【０１３１】
そして、記録媒体９の移動に同期しつつ、最も（−Ｙ）側の吐出ヘッド３２が第１ハーフトーン画像データに基づいて記録制御部４１１により制御され、記録媒体９に向けて第１の色成分であるブラックのインクの微小液滴が吐出される。これにより、記録媒体９上にブラックのインクのドットが形成される（ステップＳ１７）。また、当該吐出ヘッド３２の（＋Ｙ）側に隣接する仮定着ヘッド３３が記録制御部４１１により制御され、記録媒体９に向けて光が照射される。これにより、ブラックのインクのドットが記録媒体９上に仮定着し、ブラックのドットによる第１ハーフトーン画像が記録媒体９上に記録される（ステップＳ１８）。
【０１３２】
続いて、第２ハーフトーン画像データに基づいて（−Ｙ）側から２番目の吐出ヘッド３２が記録制御部４１１により制御され、記録媒体９のブラックのドットが記録された領域（以下、「既記録領域」という。）に向けて第２の色成分であるシアンのインクの微小液滴が吐出される。これにより、記録媒体９上にシアンのインクのドットが形成される（ステップＳ１９）。また、当該吐出ヘッド３２の（＋Ｙ）側に隣接する仮定着ヘッド３３が記録制御部４１１により制御され、記録媒体９に向けて光が照射される。これにより、シアンのインクのドットが記録媒体９上に仮定着し、シアンのドットによる第２ハーフトーン画像が記録される（ステップＳ２０）。
【０１３３】
次に、第３ハーフトーン画像データに基づいて対象色成分である（−Ｙ）側から３番目の吐出ヘッド３２（すなわち、対象色成分吐出部）が記録制御部４１１により制御され、記録媒体９の既記録領域に向けて第３の色成分であるマゼンタのインクの微小液滴が吐出される。これにより、記録媒体９上にマゼンタのインクのドットが形成される（ステップＳ２１）。また、当該吐出ヘッド３２の（＋Ｙ）側に隣接する仮定着ヘッド３３が記録制御部４１１により制御され、記録媒体９に向けて光が照射される。これにより、マゼンタのインクのドットが記録媒体９上に仮定着し、マゼンタのドットによる第３ハーフトーン画像が記録される（ステップＳ２２）。
【０１３４】
さらに、第４ハーフトーン画像データに基づいて最も（＋Ｙ）側の吐出ヘッド３２が制御され、記録媒体９の既記録領域に向けて第４の色成分であるイエローのインクの微小液滴が吐出される。これにより、記録媒体９上にイエローのインクのドットが形成される（ステップＳ２３）。また、当該吐出ヘッド３２の（＋Ｙ）側に隣接する仮定着ヘッド３３が記録制御部４１１により制御され、記録媒体９に向けて光が照射される。これにより、イエローのインクのドットが記録媒体９上に仮定着し、イエローのドットによる第４ハーフトーン画像が記録される（ステップＳ２４）。ただし、本実施の形態では、記録媒体９上にイエローのドットは記録されない。
【０１３５】
そして、定着ヘッド３５が記録制御部４１１により制御されることにより、記録媒体９の期記録領域に向けて光が照射される。これにより、記録媒体９に付与された複数の色成分のインクによる画像である第１〜第４ハーフトーン画像が、記録媒体９上に定着する（ステップＳ２５）。各色成分のハーフトーン画像の記録は、上述のハーフトーン画像データの生成に並行して行われる。ハーフトーン画像データの生成では、第１〜第４ハーフトーン画像の記録順序（すなわち、ブラック、シアン、マゼンタおよびイエローの複数の色成分の画像を記録媒体９に記録する順序）の通りに、複数の色成分の単色ハーフトーン画像データが生成される。
【０１３６】
画像記録装置１では、既述のように記録媒体９は供給部６１により逐次供給されるとともに画像記録後に巻取部６２により巻き取られる。所望の長さの記録媒体９上にハーフトーン画像が記録されると、記録媒体９の移動が停止され、画像記録動作が終了する（ステップＳ２６）。
【０１３７】
次に、上述の第２の色相のカラー画像の記録について説明する。第２の色相のカラー画像の記録は、図１３．Ａおよび図１３．ＢにおけるステップＳ１４５に代えてステップＳ１４６が行われる点を除き、上述の第１の色相のカラー画像の記録と同様である。まず、色成分画像生成部４２４により、第２の色相のカラー画像にグレイ置換を行いつつ分版処理が施される。これにより、階調値１５３（画像濃度６０％）のブラックの階調画像、階調値２０４（画像濃度８０％）のシアンの階調画像、階調値２３０（画像濃度９０％）のマゼンタの階調画像、および、階調値０（画像濃度０％）のイエローの階調画像が生成される（ステップＳ１１）。第２の色相は、赤方向の色味が強い色相である。色成分画像生成部４２４により生成された各色成分画像は、画像メモリ４２１に格納される。
【０１３８】
続いて、第１の色相のカラー画像の場合と同様に、第１ハーフトーン画像データ生成部４２５により、ブラックの階調画像に網掛け処理が行われ、第１ハーフトーン画像データが生成される（ステップＳ１２）。また、第２ハーフトーン画像データ生成部４２６により、第１ハーフトーン画像データを参照しつつシアンの階調画像に網掛け処理が行われ、第２ハーフトーン画像データが生成される（ステップＳ１３）。第２の色相のカラー画像の記録においても、ステップＳ１３の詳細な流れは、図９．Ａおよび図９．Ｂに示すステップＳ１３１〜Ｓ１４０と同様である。
【０１３９】
次に、第３ハーフトーン画像データ生成部４２７により、第１ハーフトーン画像データおよび第２ハーフトーン画像データを参照しつつマゼンタの階調画像に網掛け処理が行われ第３ハーフトーン画像データが生成される（ステップＳ１４）。
【０１４０】
詳細には、まず、マゼンタの階調画像の各画素の画素値が画素値記憶部４７１に記憶され、一の画素が注目画素として選択される（ステップＳ１４１，Ｓ１４２）。続いて、閾値ドットサイズ決定部４７８により、上述のカラー画像において、注目画素の色相が求められる（ステップＳ１４３）。上述のように、当該カラー画像は第２の色相のチント画像であるため、注目画素の色相の色度は、「ａ＊＞０」かつ「−５０＜ｂ＊＜０」の範囲に含まれる。このため、注目画素の色相は、上述の第２の色相範囲内、すなわち、色度が「ａ＊＞０」かつ「−５０＜ｂ＊＜５０」を満たす範囲内に含まれる（ステップＳ１４４）。したがって、注目画素位置７５１の第２閾値ドットサイズは、補正閾値ドットサイズに決定される（ステップＳ１４６）。
【０１４１】
第２閾値ドットサイズが決定されると、第１の色相のカラー画像の場合と同様に、仮サイズ決定部４７２により、マゼンタの画像において注目画素に対して網掛け処理が行われ、ハーフトーン画像領域７５の注目画素に対応する注目画素位置７５１に形成されるマゼンタのドットのサイズが仮決定される（ステップＳ１４７）。続いて、ドットサイズ積算部４６３により、注目画素位置７５１に形成されるブラックおよびシアンのドットのサイズの合計である前合計ドットサイズが求められ、前合計ドットサイズと第３ドット仮サイズとの合計である第２合計ドットサイズが求められる（ステップＳ１４８）。
【０１４２】
次に、第１の色相のカラー画像の場合と同様に、サイズ決定部４７４により、注目画素位置７５１における第２閾値ドットサイズ（すなわち、補正閾値ドットサイズ）と第２合計ドットサイズとが比較される（ステップＳ１４９）。上述のように、補正閾値ドットサイズに対応するインク量およびハーフトーン画素値はそれぞれ、２１ｐｌおよび「７」である。したがって、ステップＳ１４９では、第２閾値ドットサイズに対応するインク量（２１ｐｌ）と、第２合計ドットサイズに対応するインク量とが比較される。ステップＳ１４９では、第２閾値ドットサイズに対応するハーフトーン画素値（７）と、第２合計ドットサイズに対応するハーフトーン画素値とが比較されてもよい。
【０１４３】
上述のように、前合計ドットサイズは、第１閾値ドットサイズ（対応するインク量：１２ｐｌ）以下である。このため、第３ドット仮サイズがゼロサイズ、小サイズ、中サイズおよび大サイズのいずれであっても、すなわち、第３ドット仮サイズに対応するインク量が０ｐｌ、３ｐｌ、６ｐｌおよび９ｐｌのいずれであっても、第２合計ドットサイズは、第２閾値ドットサイズ（対応するインク量：２１ｐｌ）以下となる。このため、第３ドットサイズは、第３ドット仮サイズに等しいサイズに決定される（ステップＳ１５０）。
【０１４４】
第３ドットサイズが決定されると、第１の色相のカラー画像の場合と同様に、複数の画素位置７５１について予め定められた処理順序に従って、注目画素が次の画素に変更される（ステップＳ１５３，Ｓ１５４）。そして、ステップＳ１４３に戻り、新たな注目画素について、ステップＳ１４３〜Ｓ１５２の処理が行われる。画像記録装置１では、繰り返し制御部４７６による制御により、マゼンタの階調画像の全ての画素に対応する画素位置７５１について第３ドットサイズが決定されるまで、ステップＳ１４３〜Ｓ１５４が繰り返される。これにより、マゼンタの画像の記録に利用される第３ハーフトーン画像データが生成される。
【０１４５】
第２の色相のカラー画像に係る上述の例の場合、第２閾値ドットサイズが補正閾値ドットサイズ（対応するインク量：２１ｐｌ）とされ、第１閾値ドットサイズに対応するインク量が１２ｐｌであるため、第３ドットサイズは常に第３ドット仮サイズに等しいサイズに決定される。このため、画素値変更部４７５による周辺画素群の画素値の変更は行われない。
【０１４６】
上述の説明では、第１閾値ドットサイズに対応するインク量およびハーフトーン画素値がそれぞれ１２ｐｌおよび「４」の場合について述べたが、以下、第１閾値ドットサイズが異なる場合についても説明する。まず、第１閾値ドットサイズに対応するインク量およびハーフトーン画素値がそれぞれ１５ｐｌおよび「５」である場合について説明する。このとき、注目画素位置７５１の第１ドットサイズおよび第２ドットサイズの一方が大サイズであり、他方が中サイズである場合、第３ドット仮サイズがゼロサイズ、小サイズおよび中サイズのいずれかであれば、第３ドットサイズは第３ドット仮サイズに等しいサイズに決定される。
【０１４７】
一方、第３ドット仮サイズが大サイズであれば、第３ドットサイズは、第２閾値ドットサイズ（対応するインク量：２１ｐｌ）と前合計ドットサイズ（対応するインク量：１５ｐｌ）との差以下の範囲で最も大きいドットサイズである中サイズに決定される（ステップＳ１５１）。そして、画素値変更部４７５により、第１の色相のカラー画像の場合と同様に、マゼンタの階調画像において、注目画素の周囲の画素位置７５１のうち第３ドットサイズが未決定の１つ以上の画素位置７５１に位置する画素である周辺画素群の画素値が、注目画素の画素値、および、注目画素位置７５１における第３ドット仮サイズと第３ドットサイズとの差に基づいて変更される（ステップＳ１５２）。
【０１４８】
次に、第１閾値ドットサイズに対応するインク量およびハーフトーン画素値がそれぞれ１８ｐｌおよび「６」である場合について説明する。このとき、注目画素位置７５１の第１ドットサイズおよび第２ドットサイズが共に大サイズである場合、第３ドット仮サイズがゼロサイズまたは小サイズであれば、第３ドットサイズは第３ドット仮サイズに等しいサイズに決定される（ステップＳ１５０）。
【０１４９】
一方、第３ドット仮サイズが中サイズまたは大サイズであれば、第３ドットサイズは、第２閾値ドットサイズ（すなわち、補正閾値ドットサイズ）と前合計ドットサイズとの差以下の範囲で最も大きいドットサイズである小サイズに決定される（ステップＳ１５１）。そして、画素値変更部４７５により、第１の色相のカラー画像の場合と同様に、周辺画素群の画素値が、注目画素の画素値、および、注目画素位置７５１における第３ドット仮サイズと第３ドットサイズとの差に基づいて変更される（ステップＳ１５２）。
【０１５０】
第３ハーフトーン画像データの生成が終了すると、上記と同様に、第４ハーフトーン画像データ生成部４２８（図３参照）によりイエローの階調画像に網掛け処理が行われ、第４ハーフトーン画像データが生成される（ステップＳ１５）。
【０１５１】
画像記録装置１では、上述のように、カラー画像のハーフトーン画像データの生成と並行して、記録媒体９の移動方向への移動が開始される（ステップＳ１６）。そして、記録媒体９の移動に同期しつつ、ブラックのインクを吐出する吐出ヘッド３２が第１ハーフトーン画像データに基づいて制御され、当該吐出ヘッド３２の（＋Ｙ）側に隣接する仮定着ヘッド３３が制御されることにより、第１ハーフトーン画像が記録媒体９上に記録される（ステップＳ１７，Ｓ１８）。続いて、第２ハーフトーン画像データに基づいてシアンのインクを吐出する吐出ヘッド３２が制御され、当該吐出ヘッド３２の（＋Ｙ）側に隣接する仮定着ヘッド３３が制御されることにより、記録媒体９の既記録領域に第２ハーフトーン画像が記録される（ステップＳ１９，Ｓ２０）。
【０１５２】
また、第３ハーフトーン画像データに基づいて対象色成分であるマゼンタのインクを吐出する吐出ヘッド３２（すなわち、対象色成分吐出部）が制御され、当該吐出ヘッド３２の（＋Ｙ）側に隣接する仮定着ヘッド３３が制御されることにより、記録媒体９の既記録領域に第３ハーフトーン画像が記録される（ステップＳ２１，Ｓ２２）。さらに、第４ハーフトーン画像データに基づいてイエローのインクを吐出する吐出ヘッド３２が制御され、当該吐出ヘッド３２の（＋Ｙ）側に隣接する仮定着ヘッド３３が制御されることにより、記録媒体９の既記録領域に第４ハーフトーン画像が記録される（ステップＳ２３，Ｓ２４）。ただし、本実施の形態では、記録媒体９上にイエローのドットは記録されない。
【０１５３】
そして、定着ヘッド３５が制御されることにより、記録媒体９の期記録領域に向けて光が照射され、第１〜第４ハーフトーン画像が記録媒体９上に定着する（ステップＳ２５）。画像記録装置１では、所望の長さの記録媒体９上にハーフトーン画像が記録されると、記録媒体９の供給が停止され、画像記録動作が終了する（ステップＳ２６）。
【０１５４】
以上に説明したように、画像記録装置１では、演算部４２によるインク抑制処理に、上述のステップＳ１３１〜Ｓ１４０が含まれる。具体的には、ハーフトーン画像領域の複数の画素位置にそれぞれ形成されるシアン（第２の色成分）のドットサイズを示す第２ハーフトーン画像データを生成する際に、ブラック（第１の色成分）のドットサイズを示す第１ハーフトーン画像データを参照しつつ、シアンの階調画像に網掛け処理が行われる。第２ハーフトーン画像データの生成では、第１ハーフトーン画像データを参照することにより、各画素位置に形成されるブラックのドットサイズ（第１ドットサイズ）とシアンのドットサイズ（第２ドットサイズ）との合計である前合計ドットサイズが、所定の第１閾値ドットサイズ以下とされる。これにより、記録媒体９上への画像の記録途上において、シアンのドットが形成される際に、ブラックのドットとシアンのドットとの過剰な重なりを防止することができる。その結果、ブラックのインクとシアンのインクとの混合による発色不良（色の濁り）やコックリング（記録媒体９の波打ち現象）を抑制することができる。
【０１５５】
また、前合計ドットサイズを第１閾値ドットサイズ以下とするために、マトリクスセットとの比較により仮決定されたシアンのドットサイズが変更される場合、ドットサイズが変更される注目画素の周囲に位置する周辺画素群の画素値が、注目画素の画素値と、シアンのドットサイズの変更量（すなわち、第２ドット仮サイズと第２ドットサイズとの差）に基づいて変更される。これにより、シアンのドットサイズの変更による影響を補正し、シアンの階調画像を記録媒体９上に精度良く表現することができる。
【０１５６】
画像記録装置１では、マゼンタ（第３の色成分）のドットサイズを示す第３ハーフトーン画像データを生成する際に、第１ハーフトーン画像データおよび第２ハーフトーン画像データを参照しつつ、マゼンタの階調画像に網掛け処理が行われる。第３ハーフトーン画像データの生成では、第１ハーフトーン画像データおよび第２ハーフトーン画像データを参照することにより、各画素位置に形成されるブラックのドットサイズ、シアンのドットサイズおよびマゼンタのドットサイズ（第３ドットサイズ）の合計が、所定の第２閾値ドットサイズ以下とされる。これにより、記録媒体９上への画像の記録途上において、マゼンタのドットが形成される際に、ブラック、シアンおよびマゼンタのドットの過剰な重なりを防止することができる。その結果、ブラック、シアンおよびマゼンタのインクの混合による発色不良やコックリングを抑制することができる。
【０１５７】
また、ブラック、シアンおよびマゼンタのドットサイズの合計を第２閾値ドットサイズ以下とするために、マトリクスセットとの比較により仮決定されたマゼンタのドットサイズが変更される場合、ドットサイズが変更される注目画素の周囲に位置する周辺画素群の画素値が、注目画素の画素値と、マゼンタのドットサイズの変更量（すなわち、第３ドット仮サイズと第３ドットサイズとの差）に基づいて変更される。これにより、マゼンタのドットサイズの変更による影響を補正し、マゼンタの階調画像を記録媒体９上に精度良く表現することができる。
【０１５８】
画像記録装置１では、対象色成分であるマゼンタの第３ハーフトーン画像データの生成（ステップＳ１４）の際に、注目画素の色相に拘わらず第２閾値ドットサイズが一定であってもよい。この場合でも、上述のように、各画素位置における複数の色成分のドットの重なりが抑制されるため、インクの混合による発色不良やコックリングを抑制することができる。ただし、この場合は、対象色成分の色味が強い領域を描画する際であっても、対象色成分の色味があまり強くない領域を描画する際と同様に、対象色成分のインクの付与量が制限される。このため、対象色成分の色味が強い領域を描画する際に、他の色成分よりもインク濃度が低い対象色成分の発色（すなわち、赤系色の発色）が不足し、当該領域の色相が所望の色相から少しずれる可能性がある。
【０１５９】
したがって、画像記録装置１では、演算部４２によるインク抑制処理に、上述のステップＳ１４１〜Ｓ１５４が含まれることが、より好ましい。具体的には、カラー画像において各画素位置７５１に対応する各画素の色相が求められ、対象色成分（マゼンタ）に係る各画素位置７５１の閾値ドットサイズである第２閾値ドットサイズが、各画素の色相に応じて変更される。より具体的には、各画素の色相が、他の色成分の色味が対象色成分の色味よりも強い上述の第１の色相範囲内に含まれる場合、第２閾値ドットサイズは基準閾値ドットサイズに決定される。また、各画素の色相が、対象色成分の色味が強い上述の第２の色相範囲内に含まれる場合、第２閾値ドットサイズは、基準閾値ドットサイズよりも大きい補正閾値ドットサイズに決定される。
【０１６０】
これにより、対象色成分の色味が強い領域を描画する際に、複数の色成分のドットの重なりを抑制して発色不良やコックリングを抑制しつつ、各画素位置における対象色成分のインクの付与量を増大させることができる。このため、インク濃度が低い対象色成分の発色を良くすることができ、他の色成分（シアンおよびイエロー）と同程度の発色を実現することができる。その結果、対象色成分の色味が強い領域の描画においても、所望の色相を表現することができる。なお、画像記録装置１では、対象色成分の色味があまり強くない領域を描画する際にも、各画素位置における複数の色成分のドットの重なりを抑制し、インクの混合による発色不良やコックリングを抑制することができる。
【０１６１】
記録媒体９上では、ブラックの色成分のドットと他の色成分のドットとが重なると、ドットが重なった部位では、ブラック以外の色成分はあまり認識されない。したがって、上述のように、第１の色成分をブラックとして、シアンおよびマゼンタのドット配置を示す第２ハーフトーン画像データおよび第３ハーフトーン画像データを生成する際に、ブラックのドット配置を示す第１ハーフトーン画像データを考慮することにより、シアンおよびマゼンタのドットがブラックのドットと重なることを抑制し、記録媒体９に記録される画像の発色を良くすることができる。また、他の色成分に対する影響が小さいイエローを第４の色成分として、ブラックの階調画像の網掛け処理と同様に、他の色成分のハーフトーン画像データを考慮することなく、第４ハーフトーン画像データを生成することにより、他の色成分のハーフトーン画像に対する影響を抑制しつつ、第４ハーフトーン画像データの生成を簡素化することができる。
【０１６２】
上述のように、ステップＳ１３３〜Ｓ１３８の処理は、ハーフトーン画像領域７５の縦方向または横方向の画素位置７５１の列において、一方の端部の画素位置７５１から他方の端部の画素位置７５１へと順次行われる。このように、ステップＳ１３３〜Ｓ１３８の処理順序において、処理が進む方向が変更される変曲点を少なくすることにより、注目画素の周囲における第２ドットサイズが未決定の画素の個数を、処理の進行の程度（すなわち、注目画素の位置）にかかわらず、およそ一定とすることができる。その結果、ハーフトーン画像領域のおよそ全域に亘って、ステップＳ１３３〜Ｓ１３８の処理の質を均一にすることができる。
【０１６３】
同様に、ステップＳ１４３〜Ｓ１５２の処理は、ハーフトーン画像領域７５の縦方向または横方向の画素位置７５１の列において、一方の端部の画素位置７５１から他方の端部の画素位置７５１へと順次行われる。このように、ステップＳ１４３〜Ｓ１５２の処理順序において、処理が進む方向が変更される変曲点を少なくすることにより、注目画素の周囲における第３ドットサイズが未決定の画素の個数を、処理の進行の程度（すなわち、注目画素の位置）にかかわらず、およそ一定とすることができる。その結果、ハーフトーン画像領域のおよそ全域に亘って、ステップＳ１４３〜Ｓ１５２の処理の質を均一にすることができる。
【０１６４】
画像記録装置１では、第１ハーフトーン画像データを生成する工程（ステップＳ１２）よりも前に、演算部４２によるインク抑制処理の１つとして、カラー画像にグレイ置換を行いつつ分版処理が施される（ステップＳ１１）。これにより、各画素位置に形成される複数色のドットの重なりを抑制し、発色不良やコックリングを効率良く抑制することができる。
【０１６５】
画像記録装置１では、画像処理部である演算部４２により、元画像であるカラー画像に対して、上述のステップＳ１１，ステップＳ１３１〜Ｓ１４０，ステップＳ１４１〜Ｓ１５４にそれぞれ示すインク抑制処理が行われ、処理済みデータである第１〜第４ハーフトーン画像データが生成される。そして、第１〜第４ハーフトーン画像データに基づいて記録ユニット３および移動機構２が制御されることにより、予めアンカーコート剤が塗布された記録媒体９に画像が記録される。これにより、上述のように、発色不良、コックリング、インクの滲み等を抑制して記録媒体９上における画質を向上することができる。
【０１６６】
上述のように、記録媒体９にはアンカーコート剤が塗布されているため、アンカーコート剤が塗布されていない場合に比べ、記録媒体９上のドット数は増加し、ドットを記録媒体９上に定着させるための出力は増大する。そこで、画像記録装置１では、複数の吐出ヘッド３２の間に仮定着ヘッド３３を配置し、定着ヘッド３５によるインクの定着よりも前に、仮定着ヘッド３３によりインクを記録媒体９に仮定着させる。これにより、定着ヘッド３５の出力を、仮定着ヘッド３３が設けられない場合に比べて小さくすることができる。具体的には、定着ヘッド３５から記録媒体９に向けて照射される光のエネルギーを低減することができる。その結果、インク定着時に記録媒体９に向けて照射される光による記録媒体９のダメージを低減することができる。
【０１６７】
記録ユニット３は、上述のように、４つの吐出ヘッド３２のうち記録媒体９の移動方向に隣接する各２つの吐出ヘッド３２間に配置される３つの仮定着ヘッド３３（すなわち、（−Ｙ）側の３つの仮定着ヘッド３３）を備える。このため、シアンのインクは、ブラックのインクのドットが仮定着された後の既記録領域に吐出され、マゼンタのインクは、シアンのインクのドットが仮定着された後の既記録領域に吐出され、イエローのインクは、マゼンタのインクのドットが仮定着された後の既記録領域に吐出される。これにより、先に吐出された色成分のインクのドットと、後から吐出された他の色成分のインクのドットとが混ざって発色不良が生じることを、より一層抑制することができる。その結果、記録媒体９上における画質をさらに向上することができる。
【０１６８】
なお、記録ユニット３には、必ずしも４つの吐出ヘッド３２が設けられる必要はない。画像記録装置１では、記録ユニット３の複数の吐出ヘッド３２が３つ以上の吐出ヘッド３２を含み、記録ユニット３が、当該３つ以上の吐出ヘッド３２のうち記録媒体９の移動方向に隣接する各２つの吐出ヘッド３２間に配置される複数の仮定着ヘッド３３を備えるのであれば、上記と同様に、記録媒体９上における画質をさらに向上することができる。
【０１６９】
記録ユニット３では、また、イエローのインクを吐出する最も（＋Ｙ）側の吐出ヘッド３２の（＋Ｙ）側（すなわち、移動方向前側）にも仮定着ヘッド３３が設けられる。これにより、定着ヘッド３５による光の照射よりも前に、イエローのインクも記録媒体９上に仮定着する。その結果、定着ヘッド３５の出力をさらに小さくすることができ、インク定着時の記録媒体９のダメージを、より一層低減することができる。
【０１７０】
上述のように、記録ユニット３では、複数の吐出ヘッド３２と複数の仮定着ヘッド３３とが、記録媒体９の移動方向に沿って交互に配列されており、各吐出ヘッド４２１の上記移動方向前側には仮定着ヘッド３３が隣接する。各仮定着ヘッド３３からの出力は、各仮定着ヘッド３３の上記移動方向後側に隣接する吐出ヘッド３２から吐出されるインクの定着特性に合わせて決定される。具体的には、各仮定着ヘッド３３から出射される光の波長が、各仮定着ヘッド３３の移動方向後側に隣接する吐出ヘッド３２から吐出されるインクの硬化に適した波長とされる。これにより、複数の色成分のインクの仮定着を、およそ均等に行うことができる。なお、各吐出ヘッド４２１の上記移動方向前側には、移動方向に沿って配列された複数の仮定着ヘッド３３が隣接してもよい。
【０１７１】
画像記録装置１では、記録ユニット３よりも上記移動方向後側に配置されるアンカーコートユニット５を備える。これにより、記録媒体９にアンカーコート剤を塗布する他の装置を準備する必要がなく、記録媒体９に対する画像の記録を容易かつ迅速に行うことができる。
【０１７２】
画像記録装置１では、上述の演算部４２によるインク抑制処理に、ステップＳ１１，ステップＳ１３１〜Ｓ１４０，ステップＳ１４１〜Ｓ１５４のそれぞれの処理が含まれる必要はない。例えば、ステップＳ１１の処理のみがインク抑制処理に含まれてもよく、ステップＳ１３１〜Ｓ１４０の処理のみがインク抑制処理に含まれてもよく、または、ステップＳ１４１〜Ｓ１５４の処理のみがインク抑制処理に含まれてもよい。あるいは、ステップＳ１１，ステップＳ１３１〜Ｓ１４０，ステップＳ１４１〜Ｓ１５４のそれぞれの処理のうちいずれか２つの処理がインク抑制処理に含まれてもよい。あるいは、上記以外の様々なインク抑制処理が行われてもよい。いずれの場合も、演算部４２によるインク抑制処理が行われることにより、発色不良やコックリングを効率良く抑制することができる。
【０１７３】
画像記録装置１では、ステップＳ１４においてステップＳ１４３〜Ｓ１５２が繰り返される間に、マゼンタ用のマトリクスセットの大ドット用マトリクス８１１、中ドット用マトリクス８１２および小ドット用マトリクス８１３のそれぞれの閾値が変更されてもよい。例えば、１つの画素位置に形成されるドットサイズの決定毎に、各閾値マトリクスの閾値に乱数が付与されることにより、各閾値マトリクスの閾値が変更される。乱数の付与は、例えば、１つの画素位置の列のドットサイズが決定される毎に行われてもよい。このように、マトリクスセットの閾値が変更されることにより、ステップＳ１５１におけるドットサイズの変更が、ハーフトーン画像領域の全体において不規則に発生する。換言すれば、上記ドットサイズの変更の発生の不規則性を増大させることができる。その結果、ドットサイズの変更に伴う意図しない規則的なパターンの出現を抑制することができる。ステップＳ１３においても同様である。
【０１７４】
画像記録装置１では、図１４に示すように、ステップＳ１２とステップＳ１３との間において、ステップＳ１２にて所定のサイズ以上のブラックのドットが形成されることが決定された画素位置が抽出され、抽出された画素位置に隣接する画素位置における第１閾値ドットサイズが小さくされてもよい（ステップＳ１２１）。具体的には、ステップＳ１２にて生成された第１ハーフトーン画像データにおいて、例えば、ハーフトーン画素値が「１」以上である画素位置（すなわち、ブラックの小ドット、中ドットまたは大ドットが形成される画素位置）が抽出される。そして、抽出された画素位置の上下左右に隣接する４つの画素位置における第１閾値ドットサイズが、大ドットと小ドットとの和に対応するサイズ（対応するインク量：１２ｐｌ）から、例えば、小ドットと小ドットとの和に対応するサイズ（対応するインク量：６ｐｌ）に変更される。あるいは、抽出された上記画素位置の上下左右斜めに隣接する８つの画素位置における第１閾値ドットサイズが小さくされる。なお、ステップＳ１２１では、中サイズ以上のブラックのドットが形成される画素位置が抽出されてもよく、あるいは、大サイズ以上のブラックのドットが形成される画素位置が抽出されてもよい。
【０１７５】
これにより、所定のサイズ以上のブラックのドットが形成される画素位置に隣接する画素位置にシアンのドットが形成されることが抑制され、また、シアンのドットが形成される場合であってもシアンのドットのサイズが小さくなる。その結果、記録媒体９上に形成された後のブラックのドットの拡がりを考慮し、拡がった後のブラックのドットとシアンのドットとの過剰な重なりを防止することができる。
【０１７６】
また、画像記録装置１では、図１５に示すように、ステップＳ１４８とステップＳ１４９との間において、ステップＳ１２，Ｓ１３にて所定のサイズ以上のブラックまたはシアンのドットが形成されることが決定された画素位置が抽出され、抽出された画素位置に隣接する画素位置における第２閾値ドットサイズが小さくされてもよい（ステップＳ１５７）。具体的には、例えば、第１ハーフトーン画像データにおいてハーフトーン画素値が「１」以上である画素位置、および、第２ハーフトーン画像データにおいてハーフトーン画素値が「１」以上である画素位置が抽出される。すなわち、ブラックの小サイズ以上のドットが形成される画素位置、および、シアンの小サイズ以上のドットが形成される画素位置が抽出される。そして、抽出された画素位置の上下左右、または、上下左右斜めに隣接する画素位置における第２閾値ドットサイズが、基準閾値ドットサイズ（対応するインク量：１８ｐｌ）または補正閾値ドットサイズ（対応するインク量：２１ｐｌ）から、例えば、小サイズに等しい分（対応するインク量：３ｐｌ）だけ小さくされる。なお、ステップＳ１５７では、例えば、中サイズ以上のブラックまたはシアンのドットが形成される画素位置が抽出されてもよく、あるいは、大サイズ以上のブラックまたはシアンのドットが形成される画素位置が抽出されてもよい。
【０１７７】
これにより、所定のサイズ以上のブラックまたはシアンのドットが形成される画素位置に隣接する画素位置にマゼンタのドットが形成されることが抑制され、また、マゼンタのドットが形成される場合であってもマゼンタのドットのサイズが小さくなる。その結果、記録媒体９上に形成された後のブラックおよびシアンのドットの拡がりを考慮し、拡がった後のブラックおよびシアンのドットとマゼンタのドットとの過剰な重なりを防止することができる。なお、ステップＳ１５７は、ステップＳ１４４〜Ｓ１４６よりも後、かつ、ステップＳ１４９よりも前に行われるのであれば、必ずしもステップＳ１４８とステップＳ１４９との間に行われる必要はない。
【０１７８】
上述のように、画像記録装置１では、ブラック、シアン、マゼンタおよびイエローの順で記録媒体９上にハーフトーン画像が記録され、当該記録順序の通りに（すなわち、ブラック、シアン、マゼンタおよびイエローの順で）単色ハーフトーン画像データが生成される。すなわち、ブラックの単色ハーフトーン画像データが最初に生成され、その後、他の色成分の単色ハーフトーン画像データが生成される。画像記録装置１では、当該他の色成分の単色ハーフトーン画像データが生成される際に、各画素位置において、上記記録順序における当該他の色成分よりも前の色成分のドットとしてブラックのドットのみが形成されている場合、当該ブラックのドットのサイズと当該他の色成分のドットのサイズとの合計が、所定の最大ドットサイズ以下とされる。そして、当該他の色成分が対象色成分である場合、当該他の色成分が対象色成分以外の色成分である場合に比べて、当該最大ドットサイズが大きくされる。
【０１７９】
具体的には、上記他の色成分がシアンまたはイエローである場合、最大ドットサイズは、例えば、対応インク量が１２ｐｌとなるサイズとされる。上記他の色成分が対象色成分であるマゼンタである場合、最大ドットサイズは、例えば、対応インク量が１５ｐｌとなるサイズとされる。したがって、各画素位置において、ブラックのドットの次にシアンのドットが記録される場合、ブラックのドットのサイズとシアンのドットのサイズとの合計は、対応インク量が１２ｐｌとなるサイズ（例えば、中サイズと中サイズとの合計）とされる。また、各画素位置において、ブラックのドットの次に、シアンおよびマゼンタのドットが記録されず、イエローのドットが記録される場合、ブラックのドットのサイズとイエローのドットのサイズとの合計は、対応インク量が１２ｐｌとなるサイズ（例えば、大サイズと小サイズとの合計）とされる。
【０１８０】
一方、各画素位置において、ブラックのドットの次に、シアンのドットが記録されず、マゼンタのドットが記録される場合、ブラックのドットのサイズとマゼンタのドットのサイズとの合計は、対応インク量が１５ｐｌとなるサイズ（例えば、中サイズと大サイズとの合計）とされる。記録媒体９上では、ブラックのドットと重なる他の色成分のドットはあまり認識されないが、ブラックのドットのサイズがある程度のサイズ以下であれば、当該他の色成分もある程度は発色する。そこで、上述のように、ブラックのドットのサイズと他の色成分のドットのサイズとの合計の上限値（すなわち、上記最大サイズ）について、対象色成分に係る上限値を他の色成分に係る上限値よりも大きくすることにより、対象色成分のマゼンタのドットがブラックのドットの次に記録される場合に、マゼンタのドットの発色を良くすることができる。その結果、ブラックのドットの次に記録される他の色成分のドットについて、当該他の色成分が、インク濃度がシアンおよびイエローよりも低いマゼンタである場合であっても、当該他の色成分がシアンおよびイエローである場合と同程度の発色を実現することができる。
【０１８１】
また、画像記録装置１では、ブラックのドットが形成された画素位置には、シアンやマゼンタ等、他の色成分のドットを形成しないようにしてもよい。この場合、図１６に示すように、ステップＳ１２とステップＳ１３との間において、ステップＳ１２にてブラックのドットが形成されることが決定された画素位置の第１閾値ドットサイズが、当該ブラックのドットサイズに等しくされる（ステップＳ１２２）。これにより、ステップＳ１３５において、ブラックのドットが形成される画素位置における第１合計ドットサイズが、仮決定されたシアンのドットサイズである第２ドット仮サイズがゼロサイズである場合を除き、必ず、第１閾値ドットサイズよりも大きくなる。したがって、ブラックのドットが形成される画素位置にシアンのドットは形成されない。その結果、シアンのドットがブラックのドットと重なることが防止され、記録媒体９に記録される画像においてシアンの発色を良くすることができる。
【０１８２】
さらに、図１７に示すように、ステップＳ１４８とステップＳ１４９との間において、ステップＳ１２にてブラックのドットが形成されることが決定された画素位置の第２閾値ドットサイズが、当該ブラックのドットサイズに等しくされる（ステップＳ１５８）。これにより、ステップＳ１４９において、ブラックのドットが形成される画素位置における第２合計ドットサイズが、仮決定されたマゼンタのドットサイズである第２ドット仮サイズがゼロサイズである場合を除き、必ず、第２閾値ドットサイズよりも大きくなる。これにより、ブラックのドットが形成される画素位置にマゼンタのドットは形成されない。その結果、マゼンタのドットがブラックのドットと重なることが防止され、記録媒体９に記録される画像においてマゼンタの発色を良くすることができる。なお、ステップＳ１５８は、ステップＳ１４４〜Ｓ１４６よりも後、かつ、ステップＳ１４９よりも前に行われるのであれば、必ずしもステップＳ１４８とステップＳ１４９との間に行われる必要はない。
【０１８３】
画像記録装置１では、画像の記録に利用されるインクは光硬化型インクには限定されない。画像記録装置１では、例えば、複数の吐出ヘッド３２から吐出されるインクは酸化重合型インクであってもよい。当該インクは、いわゆる水性インクであっても油性インクであってもよい。画像記録装置１において酸化重合型インクが利用される場合、記録媒体９として、例えば印刷用紙が利用される。アンカーコートユニット５により記録媒体９に塗布されるアンカーコート剤も、例えば、酸化重合型インクの記録媒体９上における拡がりを抑制するものが利用される。
【０１８４】
記録媒体９上に付与された酸化重合型インクは、各仮定着ヘッド３３により加熱されることにより記録媒体９上に仮定着し、定着ヘッド３５により加熱されることにより記録媒体９上に定着する。各仮定着ヘッド３３および定着ヘッド３５としては、例えばヒータが利用される。仮定着ヘッド３３が設けられることにより、定着ヘッド３５の出力を小さくすることができる。具体的には、定着ヘッド３５による記録媒体９の加熱温度を低減することができる。その結果、インク定着時の加熱による記録媒体９のダメージを低減することができる。
【０１８５】
各仮定着ヘッド３３からの出力は、各仮定着ヘッド３３の上記移動方向後側に隣接する吐出ヘッド３２から吐出される酸化重合型インクの定着特性に合わせて決定されることが好ましい。具体的には、各仮定着ヘッド３３による記録媒体９の加熱温度が、各仮定着ヘッド３３の移動方向後側に隣接する吐出ヘッド３２から吐出される酸化重合型インクの硬化に適した温度とされる。これにより、複数の色成分の酸化重合型インクの仮定着を、およそ均等に行うことができる。
【０１８６】
画像記録装置１では、例えば、複数の吐出ヘッド３２から吐出されるインクはハイブリッド型インクであってもよい。ハイブリッド型インクとは、光硬化型インクの硬化特性（すなわち、記録媒体９に対する定着特性）と酸化重合型インクの硬化特性とを併せ持つインクである。したがって、ハイブリッド型インクの硬化は、光の照射と加熱とにより行われる。画像記録装置１においてハイブリッド型インクが利用される場合、記録媒体９として、例えばフィルムや印刷用紙が利用される。アンカーコートユニット５により記録媒体９に塗布されるアンカーコート剤も、例えば、ハイブリッド型インクの記録媒体９上における拡がりを抑制するものが利用される。
【０１８７】
記録媒体９上に付与されたハイブリッド型インクは、各仮定着ヘッド３３により加熱されるとともに光（例えば、紫外線）が照射されることにより、記録媒体９上に仮定着する。また、記録媒体９上のハイブリッド型インクは、定着ヘッド３５により加熱されるとともに光（例えば、紫外線）が照射されることにより、記録媒体９上に定着する。仮定着ヘッド３３が設けられることにより、定着ヘッド３５の出力を小さくすることができる。具体的には、定着ヘッド３５による記録媒体９の加熱温度、および、定着ヘッド３５から記録媒体９に向けて照射される光のエネルギーを低減することができる。その結果、インク定着時の記録媒体９のダメージを低減することができる。
【０１８８】
各仮定着ヘッド３３からの出力は、各仮定着ヘッド３３の上記移動方向後側に隣接する吐出ヘッド３２から吐出されるハイブリッド型インクの定着特性に合わせて決定されることが好ましい。具体的には、各仮定着ヘッド３３による記録媒体９の加熱温度、および、各仮定着ヘッド３３から出射される光の波長が、各仮定着ヘッド３３の移動方向後側に隣接する吐出ヘッド３２から吐出されるハイブリッド型インクの硬化に適した温度および波長とされる。これにより、複数の色成分のハイブリッド型インクの仮定着を、およそ均等に行うことができる。
【０１８９】
次に、本発明の第２の実施の形態に係る画像記録装置について説明する。第２の実施の形態に係る画像記録装置は、図１に示す画像記録装置１とほぼ同様の構成を備え、以下の説明では、対応する構成に同符号を付す。また、当該画像記録装置では、上述の光硬化型インク、酸化重合型インクおよびハイブリッド型インクのいずれが利用されてもよい。第２の実施の形態に係る画像記録装置では、制御ユニット４の機能は図３に示すものと同様であり、画像を記録する動作は図５．Ａおよび図５．Ｂに示すものと同様である。ただし、以下に説明するように、第２ハーフトーン画像データ生成部４２６および第３ハーフトーン画像データ生成部４２７の機能、並びに、ステップＳ１３，Ｓ１４の詳細な流れが、第１の実施の形態とは一部異なる。
【０１９０】
図１８および図２０はそれぞれ、第２の実施の形態に係る第２ハーフトーン画像データ生成部４２６および第３ハーフトーン画像データ生成部４２７の機能を示すブロック図である。図１８および図２０に示すように、第２ハーフトーン画像データ生成部４２６および第３ハーフトーン画像データ生成部４２７では、画素値変更部４６５，４７５（図８，１２参照）に代えて仮サイズ変更部４６５ａ，４７５ａが設けられる。図１９．Ａおよび図１９．Ｂ、並びに、図２１．Ａおよび図２１．Ｂは、ステップＳ１３，Ｓ１４の詳細な流れを示す図である。
【０１９１】
図１８に示す第２ハーフトーン画像データ生成部４２６では、ステップＳ１３１と同様に、画像メモリ４２１からシアンの階調画像が読み込まれ、各画素の画素値が画素値記憶部４６１に記憶される（ステップＳ２３１）。続いて、仮サイズ決定部４６２により、第２色成分画像であるシアンの階調画像の各画素の画素値と、シアンに対応するマトリクスセットの閾値とが比較されることにより、ステップＳ１２におけるブラックの階調画像の網掛け処理と同様に、シアンの階調画像に網掛け処理が行われる（すなわち、シアンの階調画像がハーフトーン化される）。これにより、ハーフトーン画像領域の複数の画素位置にそれぞれ形成されるシアンの複数のドットのサイズが仮決定される（ステップＳ２３２）。
【０１９２】
次に、シアンの階調画像において、一の画素が注目画素として選択され（ステップＳ２３３）、ドットサイズ積算部４６３により、注目画素に対応する注目画素位置に形成されるブラックのドットのサイズである第１ドットサイズが、第１ハーフトーン画像データ生成部４２５から取得される。そして、注目画素位置についてステップＳ２３２にて仮決定されたシアンのドットのサイズである第２ドット仮サイズと、上記第１ドットサイズとの合計である第１合計ドットサイズが求められる（ステップＳ２３４）。
【０１９３】
サイズ決定部４６４では、第１合計ドットサイズと、第１閾値ドットサイズ記憶部４６７に予め記憶されている第１閾値ドットサイズが比較される（ステップＳ２３５）。第１合計ドットサイズと第１閾値ドットサイズとの比較は、ステップＳ１３５と同様に、両ドットサイズに対応するインク量、または、ハーフトーン画素値が比較されることにより行われる。
【０１９４】
第１合計ドットサイズが第１閾値ドットサイズ以下である場合、注目画素位置に形成されるシアンのドットのサイズである第２ドットサイズが、サイズ決定部４６４により、第２ドット仮サイズに等しいサイズに決定される（ステップＳ２３６）。一方、第１合計ドットサイズが第１閾値ドットサイズよりも大きい場合、第２ドットサイズは、ステップＳ１３７と同様に、第１閾値ドットサイズと第１ドットサイズとの差以下の範囲で最も大きいドットサイズに決定される（ステップＳ２３７）。
【０１９５】
ステップＳ２３５において第１合計ドットサイズが、第１閾値ドットサイズよりも大きいと判断された場合、ステップＳ２３７に続いて、シアンの階調画像において、注目画素の周囲の画素位置のうち第２ドットサイズが未決定の１つ以上の画素位置に位置する画素（以下、「周辺画素群」という。）が抽出される。周辺画素群に含まれる周辺画素は、注目画素と所定の位置関係を有する画素であり、本実施の形態では、周辺画素群は、図１０に示すように、注目画素７０２の右側および下側に隣接する２つの周辺画素７０３を含む。そして、仮サイズ変更部４６５ａにより、周辺画素群の第２ドット仮サイズが、注目画素位置における第２ドット仮サイズと第２ドットサイズとの差に基づいて変更される（ステップＳ２３８）。
【０１９６】
例えば、第２ドット仮サイズが大サイズ（対応するインク量：９ｐｌ）であり、第２ドットサイズが小サイズ（対応するインク量：３ｐｌ）である場合、第２ドット仮サイズと第２ドットサイズとの差に対応するインク量は、９−３＝６ｐｌである。６ｐｌのインク量は、２つの周辺画素７０３に均等に分配され、各周辺画素７０３の第２ドット仮サイズに対応するインク量に３ｐｌが加算される。これにより、各周辺画素７０３の第２ドット仮サイズが、１サイズ大きいサイズに変更される。例えば、変更前の第２ドット仮サイズがゼロサイズであれば、第２ドット仮サイズは小サイズに変更される。また、変更前の第２ドット仮サイズが小サイズであれば中サイズに変更され、変更前の第２ドット仮サイズが中サイズであれば大サイズに変更される。なお、変更前の第２ドット仮サイズが大サイズの場合は、第２ドット仮サイズは変更されない。この場合、第２ドット仮サイズの変更に利用されなかったインク量は、他の周辺画素７０３の第２ドット仮サイズの変更に利用されてもよい。
【０１９７】
また、例えば、第２ドット仮サイズが中サイズ（対応するインク量：６ｐｌ）であり、第２ドットサイズが小サイズ（対応するインク量：３ｐｌ）である場合、第２ドット仮サイズと第２ドットサイズとの差に対応するインク量は、６−３＝３ｐｌである。３ｐｌのインク量は、２つの周辺画素７０３に均等に分配され、各周辺画素７０３の第２ドット仮サイズに対応するインク量に１．５ｐｌが加算される。１．５ｐｌのインク量は、ドットサイズの差（すなわち、大サイズと中サイズとの差、中サイズと小サイズとの差、および、小サイズとゼロサイズとの差）の１／２に対応するため、各周辺画素７０３に係るインク量は、画像記録装置１にて表現可能なドットサイズに対応しない。この場合、例えば、各周辺画素７０３の第２ドット仮サイズに対応するインク量に３ｐｌを加算して第２ドット仮サイズを１サイズ大きくするとともに、各周辺画素７０３が注目画素になった場合の周辺画素から、各周辺画素７０３に余分に加算した１．５ｐｌを減算する。
【０１９８】
注目画素位置の第２ドットサイズが決定され、必要に応じて周辺画素群の第２ドット仮サイズの変更が行われると、複数の画素位置７５１について予め定められた処理順序（図１１参照）に従って、注目画素が次の画素に変更される（ステップＳ２３９，Ｓ２４０）。そして、ステップＳ２３４に戻り、新たな注目画素について、ステップＳ２３４〜Ｓ２３８の処理が行われる。図１１に示すように、ステップＳ２３４〜Ｓ２３８の処理は、ハーフトーン画像領域７５の横方向の画素位置７５１の列において、一方の端部の画素位置７５１から他方の端部の画素位置７５１へと順次行われる。ステップＳ２３４〜Ｓ２３８の処理は、ハーフトーン画像領域７５の縦方向の画素位置７５１の列において、一方の端部の画素位置７５１から他方の端部の画素位置７５１へと順次行われてもよい。
【０１９９】
第２の実施の形態に係る画像記録装置では、図１８に示す繰り返し制御部４６６による制御により、シアンの階調画像の全ての画素に対応する画素位置７５１について第２ドットサイズが決定されるまで、ステップＳ２３４〜Ｓ２４０が繰り返される。これにより、シアンの画像の記録に利用される第２ハーフトーン画像データが生成される。
【０２００】
第２ハーフトーン画像データの生成が終了すると、図２０に示す閾値ドットサイズ決定部４７８により、上述のカラー画像の各画素位置について第２閾値ドットサイズが決定される。具体的には、ステップＳ１４３〜Ｓ１４６と同様に、グレイ置換後のカラー画像において各画素位置に対応する各画素の色相が求められる（ステップＳ２４１）。そして、各画素の色相が上述の第１の色相範囲内に含まれる場合、第２閾値ドットサイズが基準閾値ドットサイズに決定され、各画素の色相が上述の第２の色相範囲内に含まれる場合、第２閾値ドットサイズが補正閾値ドットサイズに決定される（ステップＳ２４２〜Ｓ２４４）。各画素位置の第２閾値ドットサイズは、第２閾値ドットサイズ記憶部４７７に記憶される。
【０２０１】
続いて、ステップＳ１４１と同様に、対象色成分であるマゼンタの階調画像が画像メモリ４２１から読み込まれ、各画素の画素値が画素値記憶部４７１に記憶される（ステップＳ２４５）。そして、仮サイズ決定部４７２により、第３色成分画像であるマゼンタの階調画像の各画素の画素値と、マゼンタに対応するマトリクスセットの閾値とが比較されることにより、ステップＳ２３２と同様に、マゼンタの階調画像に網掛け処理が行われる（すなわち、マゼンタの階調画像がハーフトーン化される）。これにより、ハーフトーン画像領域の複数の画素位置にそれぞれ形成されるマゼンタの複数のドットのサイズが仮決定される（ステップＳ２４６）。
【０２０２】
次に、マゼンタの階調画像において、一の画素が注目画素として選択され（ステップＳ２４７）、ドットサイズ積算部４７３により、注目画素位置における第１ドットサイズおよび第２ドットサイズが、第１ハーフトーン画像データ生成部４２５および第２ハーフトーン画像データ生成部４２６から取得される。第１ドットサイズおよび第２ドットサイズの合計を、上記と同様に「前合計ドットサイズ」と呼ぶ。そして、注目画素位置についてステップＳ２４６にて仮決定されたマゼンタのドットのサイズ（すなわち、仮ドットサイズ）である第３ドット仮サイズと、前合計ドットサイズとの合計である第２合計ドットサイズが求められる（ステップＳ２４８）。
【０２０３】
サイズ決定部４６４では、第２合計ドットサイズと、第２閾値ドットサイズ記憶部４７７に予め記憶されている第２閾値ドットサイズが比較される（ステップＳ２４９）。第２合計ドットサイズと第２閾値ドットサイズとの比較は、ステップＳ２３５と同様に、両ドットサイズに対応するインク量、または、ハーフトーン画素値が比較されることにより行われる。注目画素位置の色相が上述の第１の色相範囲内に含まれる場合、第２閾値ドットサイズは基準閾値ドットサイズ（対応するインク量：１８ｐｌ）に等しい。また、注目画素位置の色相が、第１の色相範囲よりも対象色成分であるマゼンタの色味が強い（すなわち、赤方向の色味が強い）上述の第２の色相範囲内に含まれる場合、第２閾値ドットサイズは補正閾値ドットサイズ（対応するインク量：２１ｐｌ）に等しい。
【０２０４】
第２合計ドットサイズが第２閾値ドットサイズ以下である場合、ステップＳ１５０と同様に、注目画素位置に形成されるマゼンタのドットのサイズである第３ドットサイズが、サイズ決定部４７４により、第３ドット仮サイズに等しいサイズに決定される（ステップＳ２５０）。一方、第２合計ドットサイズが第２閾値ドットサイズよりも大きい場合、第３ドットサイズは、ステップＳ１５１と同様に、第２閾値ドットサイズと、前合計ドットサイズとの差以下の範囲で最も大きいドットサイズに決定される（ステップＳ２５１）。
【０２０５】
ステップＳ２４９において第２合計ドットサイズが、第２閾値ドットサイズよりも大きいと判断された場合、ステップＳ２５１に続いて、マゼンタの階調画像において、注目画素の周囲の画素位置のうち第３ドットサイズが未決定の１つ以上の画素位置に位置する画素である周辺画素群が抽出される。周辺画素群に含まれる周辺画素は、上述のように、注目画素と所定の位置関係を有する画素であり、本実施の形態では、周辺画素群は、図１０に示すように、注目画素７０２の右側および下側に隣接する２つの周辺画素７０３を含む。そして、仮サイズ変更部４７５ａにより、周辺画素群の第３ドット仮サイズが、ステップＳ２３８と同様に、注目画素位置における第３ドット仮サイズと第３ドットサイズとの差に基づいて変更される（ステップＳ２５２）。
【０２０６】
注目画素位置の第３ドットサイズが決定され、必要に応じて周辺画素群の第３ドット仮サイズの変更が行われると、複数の画素位置７５１について予め定められた処理順序（図１１参照）に従って、注目画素が次の画素に変更される（ステップＳ２５３，Ｓ２５４）。そして、ステップＳ２４８に戻り、新たな注目画素について、ステップＳ２４８〜Ｓ２５２の処理が行われる。図１１に示すように、ステップＳ２４８〜Ｓ２５２の処理は、ステップＳ２３４〜Ｓ２３８と同様に、ハーフトーン画像領域７５の横方向の画素位置７５１の列において、一方の端部の画素位置７５１から他方の端部の画素位置７５１へと順次行われる。ステップＳ２４８〜Ｓ２５２の処理は、ハーフトーン画像領域７５の縦方向の画素位置７５１の列において、一方の端部の画素位置７５１から他方の端部の画素位置７５１へと順次行われてもよい。
【０２０７】
第２の実施の形態に係る画像記録装置では、図２０に示す繰り返し制御部４７６による制御により、マゼンタの階調画像の全ての画素に対応する画素位置７５１について第３ドットサイズが決定されるまで、ステップＳ２４８〜Ｓ２５４が繰り返される。これにより、対象色成分であるマゼンタの画像の記録に利用される単色ハーフトーン画像データである第３ハーフトーン画像データが生成される。第３ハーフトーン画像データ生成部４２７は、対象色成分の単色ハーフトーン画像データを生成する対象色成分ハーフトーン画像データ生成部である。
【０２０８】
以上に説明したように、第２の実施の形態に係る画像記録装置では、画像処理部である演算部４２によるインク抑制処理に、上述のステップＳ２３１〜Ｓ２４０が含まれる。具体的には、シアン（第２の色成分）のドットサイズを示す第２ハーフトーン画像データを生成する際に、第１の実施の形態と同様に、ブラック（第１の色成分）のドットサイズを示す第１ハーフトーン画像データを参照しつつ、シアンの階調画像に網掛け処理が行われる。そして、各画素位置に形成されるブラックのドットサイズ（第１ドットサイズ）とシアンのドットサイズ（第２ドットサイズ）との合計である前合計ドットサイズが、所定の第１閾値ドットサイズ以下とされる。これにより、ブラックのドットとシアンのドットとの過剰な重なりを防止することができる。その結果、ブラックのインクとシアンのインクとの混合による発色不良やコックリングを抑制することができる。
【０２０９】
また、前合計ドットサイズを第１閾値ドットサイズ以下とするために、マトリクスセットとの比較により仮決定されたシアンのドットサイズが変更される場合、ドットサイズが変更される注目画素の周囲に位置する周辺画素群の第２ドット仮サイズが、注目画素位置におけるシアンのドットサイズの変更量（すなわち、第２ドット仮サイズと第２ドットサイズとの差）に基づいて変更される。これにより、シアンのドットサイズの変更による影響を補正し、シアンの階調画像を記録媒体９上に精度良く表現することができる。
【０２１０】
第２の実施の形態に係る画像記録装置では、第１の実施の形態と同様に、マゼンタ（第３の色成分）のドットサイズを示す第３ハーフトーン画像データを生成する際に、第１ハーフトーン画像データおよび第２ハーフトーン画像データを参照しつつ、マゼンタの階調画像に網掛け処理が行われる。そして、各画素位置に形成されるブラックのドットサイズ、シアンのドットサイズおよびマゼンタのドットサイズ（第３ドットサイズ）の合計が、所定の第２閾値ドットサイズ以下とされる。これにより、ブラック、シアンおよびマゼンタのドットの過剰な重なりを防止することができる。その結果、ブラック、シアンおよびマゼンタのインクの混合による発色不良やコックリングを抑制することができる。
【０２１１】
また、ブラック、シアンおよびマゼンタのドットサイズの合計を第２閾値ドットサイズ以下とするために、マトリクスセットとの比較により仮決定されたマゼンタのドットサイズが変更される場合、ドットサイズが変更される注目画素の周囲に位置する周辺画素群の第３ドット仮サイズが、注目画素位置におけるマゼンタのドットサイズの変更量（すなわち、第３ドット仮サイズと第３ドットサイズとの差）に基づいて変更される。これにより、マゼンタのドットサイズの変更による影響を補正し、マゼンタの階調画像を記録媒体９上に精度良く表現することができる。
【０２１２】
第２の実施の形態に係る画像記録装置では、演算部４２によるインク抑制処理に、上述のステップＳ２４１〜Ｓ２５４が含まれる。具体的には、第１の実施の形態と同様に、カラー画像において各画素位置７５１に対応する各画素の色相が求められ、対象色成分（マゼンタ）に係る各画素位置７５１の閾値ドットサイズである第２閾値ドットサイズが、各画素の色相に応じて変更される。より具体的には、各画素の色相が、他の色成分の色味が対象色成分の色味よりも強い上述の第１の色相範囲内に含まれる場合、第２閾値ドットサイズは基準閾値ドットサイズに決定される。また、各画素の色相が、対象色成分の色味が強い上述の第２の色相範囲内に含まれる場合、第２閾値ドットサイズは、基準閾値ドットサイズよりも大きい補正閾値ドットサイズに決定される。
【０２１３】
これにより、対象色成分の色味が強い領域を描画する際に、複数の色成分のドットの重なりを抑制して発色不良やコックリングを抑制しつつ、各画素位置における対象色成分のインクの付与量を、上述の比較例の画像記録装置に比べて増大させることができる。このため、インク濃度が低い対象色成分の発色を良くすることができ、他の色成分（シアンおよびイエロー）と同程度の発色を実現することができる。その結果、対象色成分の色味が強い領域の描画においても、所望の色相を表現することができる。なお、画像記録装置１では、対象色成分の色味があまり強くない領域を描画する際にも、各画素位置における複数の色成分のドットの重なりを抑制し、インクの混合による発色不良やコックリングを抑制することができる。
【０２１４】
上述のように、ステップＳ２４８〜Ｓ２５２の処理は、ハーフトーン画像領域７５の縦方向または横方向の画素位置７５１の列において、一方の端部の画素位置７５１から他方の端部の画素位置７５１へと順次行われる。これにより、第１の実施の形態と同様に、注目画素の周囲における第３ドットサイズが未決定の画素の個数を、処理の進行の程度（すなわち、注目画素の位置）にかかわらず、およそ一定とすることができる。その結果、ハーフトーン画像領域のおよそ全域に亘って、ステップＳ２４８〜Ｓ２５２の処理の質を均一にすることができる。ステップＳ２３４〜Ｓ２３８においても同様に、ハーフトーン画像領域のおよそ全域に亘って処理の質を均一にすることができる。
【０２１５】
第２の実施の形態に係る画像記録装置では、画像処理部である演算部４２により、元画像であるカラー画像に対して、上述のステップＳ１１，ステップＳ２３１〜Ｓ２４０，ステップＳ２４１〜Ｓ２５４にそれぞれ示すインク抑制処理が行われ、処理済みデータである第１〜第４ハーフトーン画像データが生成される。そして、第１〜第４ハーフトーン画像データに基づいて記録ユニット３および移動機構２が制御されることにより、予めアンカーコート剤が塗布された記録媒体９に画像が記録される。これにより、上述のように、発色不良、コックリング、インクの滲み等を抑制して記録媒体９上における画質を向上することができる。
【０２１６】
第２の実施の形態に係る画像記録装置でも、図１に示す画像記録装置１と同様に、複数の吐出ヘッド３２の間に仮定着ヘッド３３を配置し、定着ヘッド３５によるインクの定着よりも前に、仮定着ヘッド３３によりインクを記録媒体９に仮定着させる。これにより、定着ヘッド３５の出力を小さくすることができる。具体的には、画像の記録に光硬化型インクが利用される場合は、定着ヘッド３５から記録媒体９に向けて照射される光のエネルギーを低減することができる。また、画像の記録に酸化重合型インクが利用される場合は、定着ヘッド３５による記録媒体９の加熱温度を低減することができる。画像の記録にハイブリッド型インクが利用される場合は、定着ヘッド３５による記録媒体９の加熱温度、および、定着ヘッド３５から記録媒体９に向けて照射される光のエネルギーを低減することができる。その結果、いずれの場合も、インク定着時の記録媒体９のダメージを低減することができる。
【０２１７】
第２の実施の形態に係る画像記録装置では、上述の演算部４２によるインク抑制処理に、ステップＳ１１，ステップＳ２３１〜Ｓ２４０，ステップＳ２４１〜Ｓ２５４のそれぞれの処理が含まれる必要はない。例えば、ステップＳ１１の処理のみがインク抑制処理に含まれてもよく、ステップＳ２３１〜Ｓ２４０の処理のみがインク抑制処理に含まれてもよく、または、ステップＳ２４１〜Ｓ２５４の処理のみがインク抑制処理に含まれてもよい。あるいは、ステップＳ１１，ステップＳ２３１〜Ｓ２４０，ステップＳ２４１〜Ｓ２５４のそれぞれの処理のうちいずれか２つの処理がインク抑制処理に含まれてもよい。あるいは、上記以外の様々なインク抑制処理が行われてもよい。いずれの場合も、演算部４２によるインク抑制処理が行われることにより、発色不良やコックリングを効率良く抑制することができる。
【０２１８】
第２の実施の形態に係る画像記録装置では、第１の実施の形態と同様に、ステップＳ１２とステップＳ１３との間において、ステップＳ１２にて所定のサイズ以上のブラックのドットが形成されることが決定された画素位置が抽出され、抽出された画素位置に隣接する画素位置における第１閾値ドットサイズが小さくされてもよい（図１４：ステップＳ１２１）。これにより、所定のサイズ以上のブラックのドットが形成される画素位置に隣接する画素位置にシアンのドットが形成されることが抑制され、また、シアンのドットが形成される場合であってもシアンのドットのサイズが小さくなる。その結果、記録媒体９上において拡がった後のブラックのドットとシアンのドットとの過剰な重なりを防止することができる。
【０２１９】
また、ステップＳ２４８とステップＳ２４９との間において、図１５のステップＳ１５７と同様に、ステップＳ１２，Ｓ１３にて所定のサイズ以上のブラックまたはシアンのドットが形成されることが決定された画素位置が抽出され、抽出された画素位置に隣接する画素位置における第２閾値ドットサイズが小さくされてもよい。これにより、所定のサイズ以上のブラックまたはシアンのドットが形成される画素位置に隣接する画素位置にマゼンタのドットが形成されることが抑制され、また、マゼンタのドットが形成される場合であってもマゼンタのドットのサイズが小さくなる。その結果、記録媒体９上に形成された後のブラックおよびシアンのドットの拡がりを考慮し、拡がった後のブラックおよびシアンのドットとマゼンタのドットとの過剰な重なりを防止することができる。なお、上述の第２閾値ドットサイズの変更は、ステップＳ２４１〜Ｓ２４４よりも後、かつ、ステップＳ２４９よりも前に行われるのであれば、必ずしもステップＳ２４８とステップＳ２４９との間に行われる必要はない。
【０２２０】
第２の実施の形態に係る画像記録装置では、第１の実施の形態と同様に、ブラックの単色ハーフトーン画像データが最初に生成され、その後、他の色成分の単色ハーフトーン画像データが生成される。そして、当該他の色成分の単色ハーフトーン画像データが生成される際に、各画素位置において、上記記録順序における当該他の色成分よりも前の色成分のドットとしてブラックのドットのみが形成されている場合、当該ブラックのドットのサイズと当該他の色成分のドットのサイズとの合計が、所定の最大ドットサイズ以下とされる。また、当該他の色成分が対象色成分である場合、当該他の色成分が対象色成分以外の色成分である場合に比べて、当該最大ドットサイズが大きくされる。
【０２２１】
このように、ブラックのドットのサイズと他の色成分のドットのサイズとの合計の上限値（すなわち、上記最大サイズ）について、対象色成分に係る上限値をそれ以外の色成分に係る上限値よりも大きくすることにより、対象色成分のマゼンタのドットがブラックのドットの次に記録される場合に、マゼンタのドットの発色を良くすることができる。その結果、ブラックのドットの次に記録される他の色成分のドットについて、当該他の色成分が、インク濃度がシアンおよびイエローよりも低いマゼンタである場合であっても、当該他の色成分がシアンおよびイエローである場合と同程度の発色を実現することができる。
【０２２２】
第２の実施の形態に係る画像記録装置では、第１の実施の形態と同様に、ブラックのドットが形成された画素位置には、シアンやマゼンタ等、他の色成分のドットを形成しないようにしてもよい。この場合、ステップＳ１２とステップＳ１３との間において、ステップＳ１２にてブラックのドットが形成されることが決定された画素位置の第１閾値ドットサイズが、当該ブラックのドットサイズに等しくされる（図１６：ステップＳ１２２）。これにより、シアンのドットがブラックのドットと重なることが防止され、記録媒体９に記録される画像においてシアンの発色を良くすることができる。
【０２２３】
また、ステップＳ２４８とステップＳ２４９との間において、図１７に示すステップＳ１５８と同様に、ステップＳ１２にてブラックのドットが形成されることが決定された画素位置の第２閾値ドットサイズが、当該ブラックのドットサイズに等しくされる。これにより、マゼンタのドットがブラックのドットと重なることが防止され、記録媒体９に記録される画像においてマゼンタの発色を良くすることができる。なお、第２閾値ドットサイズをブラックのドットサイズに等しくする処理は、ステップＳ２４１〜Ｓ２４４よりも後、かつ、ステップＳ２４９よりも前に行われるのであれば、必ずしもステップＳ２４８とステップＳ２４９との間に行われる必要はない。
【０２２４】
上述の画像記録装置では、様々な変更が可能である。
【０２２５】
例えば、大ドット、中ドットおよび小ドットにそれぞれ対応するインクの液滴の量は、適宜変更されてよい。また、図４に示すマトリクスセットの特性も適宜変更されてよい。さらに、ゼロサイズを除く各色のインクのドットサイズは、必ずしも、大サイズ、中サイズ、小サイズの３種類である必要はなく、１種類、２種類または４種類以上であってもよい。
【０２２６】
上述の第１閾値ドットサイズは、対応インク量が１２ｐｌであるドットサイズには限定されず、適宜変更されてよい。第２閾値ドットサイズに係る基準閾値ドットサイズおよび補正閾値ドットサイズも、対応インク量が１８ｐｌおよび２１ｐｌであるドットサイズには限定されず、適宜変更されてよい。
【０２２７】
ステップＳ１３８，Ｓ１５２における周辺画素群の画素値の変更では、上述の積算結果に係数（例えば、０．８）を積算した画素値を周辺画素７０３に均等に分配して加算してもよい。ステップＳ２３８における周辺画素群の第２ドット仮サイズの変更では、第２ドット仮サイズと第２ドットサイズとの差に係数（例えば、０．８）を積算したものを周辺画素７０３に均等に分配してもよい。ステップＳ２５２における第３ドット仮サイズの変更においても同様である。
【０２２８】
上記実施の形態では、周辺画素群に含まれる周辺画素は、注目画素の右側および下側に隣接する２つの画素であるが、注目画素と周辺画素との位置関係は、様々に変更されてよい。さらに、周辺画素の画素値または仮ドットサイズの変更量も適宜変更されてよい。例えば、ステップＳ１３８において、注目画素の右側、右斜め下、下側、左斜め下に隣接する４つの画素が周辺画素とされてもよい。ステップＳ１５２，Ｓ２３８，Ｓ２５２においても同様である。この場合、ステップＳ１３８では、例えば、第２ドット仮サイズと第２ドットサイズとの差を第２ドット仮サイズで除算した値を、注目画素７０２の画素値に対して積算し、積算結果の７／１６が、注目画素の右側に隣接する周辺画素の画素値に加算される。また、注目画素の右斜め下、下側、左斜め下に隣接する周辺画素の画素値には、上記積算結果の１／１６、５／１６および３／１６がそれぞれ加算される。周辺画素は、必ずしも注目画素に隣接する必要はなく、注目画素の周囲の画素位置に位置する画素であれば、注目画素から離間した画素であってもよい。
【０２２９】
注目画素が画像のエッジ近傍に位置し、周辺画素群に含まれる周辺画素の一部が存在しない場合、ステップＳ１３８，Ｓ１５２では、ドットサイズの変更により周辺画素群に分配される画素値のうち、存在しない周辺画素に加算される予定であった画素値が、存在する周辺画素に分配されて加算されてもよい。また、ドットサイズの変更により周辺画素群に分配される画素値のうち、存在する周辺画素に対応する一部の画素値のみが、存在する周辺画素に加算されてもよい。ステップＳ２３８，Ｓ２５２における周辺画素の仮ドットサイズの変更においても同様である。
【０２３０】
ステップＳ１３３〜Ｓ１３８，Ｓ１４３〜Ｓ１５２，Ｓ２３４〜Ｓ２３８，Ｓ２４８〜Ｓ２５２の処理が行われる画素位置の順序である処理順序は、図１１に示すものには限定されず、例えば、ペアノ曲線やヒルベルト曲線に沿って処理順序が定められてもよい。
【０２３１】
第１の実施の形態に係る画像記録装置１では、第２の実施の形態と同様に、図１３．ＡにおけるステップＳ１４３〜Ｓ１４６に代えて、ステップＳ１４２よりも前に、各画素位置の第２閾値ドットサイズの決定が行われてもよい。この場合、ステップＳ１４１よりも前に、あるいは、ステップＳ１４１とステップＳ１４２との間にて、カラー画像において各画素位置に対応する各画素の色相が求められる。そして、各画素の色相が上述の第１の色相範囲内に含まれる場合、各画素位置の第２閾値ドットサイズが基準閾値ドットサイズに決定され、各画素の色相が上述の第２の色相範囲内に含まれる場合、各画素位置の第２閾値ドットサイズが補正閾値ドットサイズに決定される。
【０２３２】
第２の実施の形態に係る画像記録装置では、第１の実施の形態と同様に、図２１．ＡにおけるステップＳ２４１〜Ｓ２４４に代えて、例えば、ステップＳ２４８とステップＳ２４９との間において、注目画素位置の第２閾値ドットサイズの決定が行われてもよい。この場合、カラー画像において注目画素位置に対応する注目画素の色相が求められる。そして、注目画素の色相が上述の第１の色相範囲内に含まれる場合、注目画素位置の第２閾値ドットサイズが基準閾値ドットサイズに決定され、注目画素の色相が上述の第２の色相範囲内に含まれる場合、注目画素位置の第２閾値ドットサイズが補正閾値ドットサイズに決定される。
【０２３３】
画像データ生成部４２３では、ステップＳ１５において、ステップＳ１３，Ｓ１４と同様に、第１ハーフトーン画像データ、第２ハーフトーン画像データおよび第３ハーフトーン画像データを参照しつつ、イエローの階調画像の各画素の画素値と、イエローに対応するマトリクスセットの閾値とが比較されることにより、イエローの階調画像に網掛け処理が行われて第４ハーフトーン画像データが生成されてもよい。
【０２３４】
マトリクス記憶部４２２に記憶される閾値マトリクスは、規則的に配列されたドットの集合であるクラスタの大きさを変えることにより階調を表現するＡＭ（Ａｍｐｌｉｔｕｄｅ  Ｍｏｄｕｌａｔｅｄ）スクリーニングに用いられるものであってもよい。ステップＳ１２，Ｓ１５では、必ずしも閾値マトリクス法が用いられる必要はなく、例えば、階調画像に誤差拡散法により網掛け処理を行うことにより、第１ハーフトーン画像データおよび第４ハーフトーン画像データが生成されてもよい。
【０２３５】
ステップＳ１３３，Ｓ１４７でも、必ずしも閾値マトリクス法が用いられる必要はなく、例えば、階調画像に対して誤差拡散法により網掛け処理を行うことにより、注目画素位置に形成されるドットのサイズが仮決定されてもよい。具体的には、注目画素の画素値と、注目画素位置に設定されている所定の閾値とが比較され、注目画素位置に形成されるドットのサイズが仮決定された後、注目画素の画素値と、仮決定されたドットのサイズに対応する画素値との差が、次の注目画素の画素値に加算される。この場合も、ステップＳ１３３〜Ｓ１３８，Ｓ１４３〜Ｓ１５２が繰り返される間に閾値の変更を行うことにより、ドットサイズの変更に伴う意図しない規則的なパターンの出現を抑制することができる。ステップＳ２３２，Ｓ２４６においても同様に、必ずしも閾値マトリクス法が用いられる必要はなく、例えば、階調画像に対して誤差拡散法により網掛け処理を行うことにより、ドットのサイズが仮決定されてもよい。
【０２３６】
画像データ生成部４２３では、シアンのドットのサイズを示す第２ハーフトーン画像データは、第１ハーフトーン画像データを参照することなく生成されてもよい。これにより、第２ハーフトーン画像データの生成を簡素化することができる。
【０２３７】
上記実施の形態では、ステップＳ１１においてカラー画像にグレイ置換を行いつつ分版処理が施され、その後、ステップＳ１４において、カラー画像の各画素位置に対応する各画素の色相が求められるが、当該各画素の色相は、グレイ置換が行われる前のカラー画像において求められてもよい。
【０２３８】
第１の色相範囲および第２の色相範囲は、上述の範囲に限定されるものではなく、適宜変更されてよい。また、第１の色相範囲および第２の色相範囲は、Ｌ＊ａ＊ｂ＊表色系以外の表色系により表現されてもよい。
【０２３９】
上述の画像記録装置では、複数の色成分のドットの記録媒体９に対する記録順序は、ブラック、シアン、マゼンタおよびイエローの順には限定されず、適宜変更されてよい。また、画像データ生成部４２３による複数の色成分の単色ハーフトーン画像データの生成順序も適宜変更されてよい。
【０２４０】
上述の対象色成分は、ブラックおよびマゼンタ以外の色成分（すなわち、シアンまたはイエロー）であってもよい。例えば、シアンが対象色成分である場合、各画素位置においてシアンに係る第１閾値ドットサイズが、各画素の色相に基づいて変更される。具体的には、青方向の色味が強い場合には、あまり強くない場合に比べて第１閾値ドットサイズが大きくされる。
【０２４１】
上述の画像記録装置では、ブラック、シアン、マゼンタおよびイエロー以外の他の色成分（例えば、ライトシアンやライトマゼンタ）のインクがドットの記録に利用されてもよい。この場合、対象色成分は、当該他の色成分であってもよい。また、ブラック以外の２つ以上の色成分が対象色成分とされ、各対象色成分に係る閾値ドットサイズ（すなわち、対象色成分のドットよりも前に記録される各色成分のドットサイズの合計と、対象色成分のドットサイズとの和の上限）が、各画素の色相に基づいて変更されてもよい。
【０２４２】
上記実施の形態では、対象色成分（マゼンタ）の単色ハーフトーン画像データが生成される前に、２つの色成分（ブラックおよびシアン）の単色ハーフトーン画像データが生成される。画像記録装置では、これには限定されず、対象色成分の単色ハーフトーン画像データの生成前に、カラー画像の複数の色成分に含まれる１つ以上の色成分について単色ハーフトーン画像データがそれぞれ生成されていればよい。１つ以上の色成分の単色ハーフトーン画像データは、１つ以上の単色ハーフトーン画像データ生成部によりそれぞれ生成される。カラー画像の複数の色成分とは、カラー画像に含まれる複数の単色画像に対応する複数の色成分を意味する。対象色成分は、当該複数の色成分に含まれるとともに、当該複数の色成分のうち、上記１つ以上の色成分以外の１つの色成分である。対象色成分のインク濃度は、上述のように、当該１つ以上の色成分のインク濃度よりも低い。
【０２４３】
この場合、対象色成分の単色ハーフトーン画像データが生成される際には、当該１つ以上の色成分の単色ハーフトーン画像データを参照しつつ、対象色成分の画像に網掛け処理が行われる。また、前合計ドットサイズは、注目画素位置７５１に形成される当該１つ以上の色成分の各ドットのサイズの合計である。
【０２４４】
当該１つ以上の色成分には、上述のように、様々な色成分が含まれてよいが、図１６に示すステップＳ１２２、または、図１７に示すステップＳ１５８が行われる際には、当該１つ以上の色成分はブラックを含む。一方、図１４に示すステップＳ１２１、または、図１５に示すステップＳ１５７が行われる際には、当該１つ以上の色成分は、必ずしもブラックを含む必要はない。ステップＳ１２１およびステップＳ１５７では、記録媒体９上に先に記録される色成分のドットの拡がりが考慮され、先に記録されて拡がった後のドットと後から記録される他の色成分のドットとの過剰な重なりを防止することができる。
【０２４５】
また、記録ユニット３では、上記１つ以上の色成分のインクの微小液滴をそれぞれ吐出して当該１つ以上の色成分のドットを記録媒体上にそれぞれ記録する１つ以上の吐出ヘッド３２（すなわち、吐出部）が設けられる。当該１つ以上の吐出ヘッド３２は、上記１つ以上の色成分の単色ハーフトーン画像データに基づいてそれぞれ制御される。
【０２４６】
上記実施の形態に係る画像記録装置では、ハーフトーン画像データの生成および印刷動作は並行して行われる必要はなく、出力制御部４１内に十分大きなメモリを設けることが可能であれば、カラー画像全体のハーフトーン画像データの生成が完了してから画像記録動作が開始されてもよい。
【０２４７】
上述の画像記録装置では、記録媒体９が記録ユニット３に対してＹ方向に相対的に移動するのであれば、例えば、停止している記録媒体９の上方にて、記録ユニット３が移動機構２によりＹ方向に移動してもよい。画像記録装置の上記構造は、例えば、複数の記録媒体にカラー画像を順次記録する枚葉式の画像記録装置に適用されてもよい。記録媒体９は、フィルムや印刷用紙以外であってもよく、例えば、金属薄板が記録媒体９として利用される。
【０２４８】
上記実施の形態および各変形例における構成は、相互に矛盾しない限り適宜組み合わされてよい。
【符号の説明】
【０２４９】
１    画像記録装置
２    移動機構
３    記録ユニット
５    アンカーコートユニット
９    記録媒体
３２    吐出ヘッド
３３    仮定着ヘッド
３５    定着ヘッド
４１    出力制御部
４２    演算部
５１    コート剤付与ヘッド
５２    コート剤定着ヘッド
７０    階調画像
７５    ハーフトーン画像領域
４２３    画像データ生成部
４２５    第１ハーフトーン画像データ生成部
４２６    第２ハーフトーン画像データ生成部
４２７    第３ハーフトーン画像データ生成部
４２８    第４ハーフトーン画像データ生成部
４７２    仮サイズ決定部
４７３    ドットサイズ積算部
４７４    サイズ決定部
４７５    画素値変更部
４７５ａ    仮サイズ変更部
４７６    繰り返し制御部
４７８    閾値ドットサイズ決定部
７０２    注目画素
７０３    周辺画素
７５１    （注目）画素位置
Ｓ１１〜Ｓ２６，Ｓ１２１，Ｓ１２２，Ｓ１３１〜Ｓ１４０，Ｓ１４１〜Ｓ１５４，Ｓ１５７，Ｓ１５８，Ｓ２３１〜Ｓ２４０，Ｓ２４１〜Ｓ２５４    ステップ
【図１】
2015100923.tif 000003
【図２】
2015100923.tif 000004
【図３】
2015100923.tif 000005
【図４】
2015100923.tif 000006
【図５．Ａ】
2015100923.tif 000007
【図５．Ｂ】
2015100923.tif 000008
【図６】
2015100923.tif 000009
【図７】
2015100923.tif 000010
【図８】
2015100923.tif 000011
【図９．Ａ】
2015100923.tif 000012
【図９．Ｂ】
2015100923.tif 000013
【図１０】
2015100923.tif 000014
【図１１】
2015100923.tif 000015
【図１２】
2015100923.tif 000016
【図１３．Ａ】
2015100923.tif 000017
【図１３．Ｂ】
2015100923.tif 000018
【図１４】
2015100923.tif 000019
【図１５】
2015100923.tif 000020
【図１６】
2015100923.tif 000021
【図１７】
2015100923.tif 000022
【図１８】
2015100923.tif 000023
【図１９．Ａ】
2015100923.tif 000024
【図１９．Ｂ】
2015100923.tif 000025
【図２０】
2015100923.tif 000026
【図２１．Ａ】
2015100923.tif 000027
【図２１．Ｂ】
2015100923.tif 000028